(57)【要約】  軽度認知障害の状態を知る上で参考となり得る信頼性の高い情報を提供することができる評価方法などを提供することを課題とする。本実施形態では、評価対象の血液中のα-ＡＢＡ、Ａｌａ、Ａｒｇ、Ａｓｎ、Ｃｉｔ、Ｇｌｕ、Ｇｌｎ、Ｇｌｙ、Ｈｉｓ、Ｉｌｅ、Ｌｅｕ、Ｌｙｓ、Ｍｅｔ、Ｏｒｎ、Ｐｈｅ、Ｐｒｏ、Ｓｅｒ、Ｔｈｒ、Ｔｒｐ、Ｔｙｒ、Ｖａｌ、Ｔａｕｒｉｎｅ、１−ＭｅＨｉｓ、３−ＭｅＨｉｓ、ａＡＡＡ、ａＡｉＢＡ、ＡＤＭＡ、Ａｌｌｙｌ  Ｃｙｓ、ｂＡＢＡ、ｂＡｉＢＡ、Ｃｙｓｔａｔｈｉｏｎｉｎｅ、Ｃｙｓｔｅｉｃ  ａｃｉｄ、ＥｔＧｌｙ、ＧＡＢＡ、ｈＡｒｇ、Ｈｙｐｏｔａｕｒｉｎｅ、Ｈｙｐｒｏ、Ｋｙｎ、Ｐｙｒａｚｏｌｅ−１−Ａｌａ、ＭＣＳＯ、ＭｅＣｙｓ、Ｎ６−ＡｃＬｙｓ、Ｎ８−ＡｃＳｐｄ、Ｏｐｔｈａｌｍｉｃ  ａｃｉｄ、ＰＥＡ、Ｐｉｐｅｃｏｌｉｃ  ａｃｉｄ、Ｐｕｔ、Ｓａｒ、ＳＤＭＡ、Ｓｐｄ、ＳｐｍおよびＴｈｉｏｐｒｏｌｉｎｅの濃度値ならびにＡｌｂ、Ｆｏｌａｔｅ、ＷＢＣ、ＲＢＣ、Ｈｂ、ＨｔおよびＰＬＴの検査値のうちの少なくとも１つの値を用いて、評価対象について、軽度認知障害の状態を評価する。
2020067386.tif 000002
【特許請求の範囲】
【請求項１】
評価対象の血液中のＰｕｔ、α-ＡＢＡ、Ａｌａ、Ａｒｇ、Ａｓｎ、Ｃｉｔ、Ｇｌｕ、Ｇｌｎ、Ｇｌｙ、Ｈｉｓ、Ｉｌｅ、Ｌｅｕ、Ｌｙｓ、Ｍｅｔ、Ｏｒｎ、Ｐｈｅ、Ｐｒｏ、Ｓｅｒ、Ｔｈｒ、Ｔｒｐ、Ｔｙｒ、Ｖａｌ、Ｔａｕｒｉｎｅ、１−ＭｅＨｉｓ、３−ＭｅＨｉｓ、ａＡＡＡ、ａＡｉＢＡ、ＡＤＭＡ、Ａｌｌｙｌ  Ｃｙｓ、ｂＡＢＡ、ｂＡｉＢＡ、Ｃｙｓｔａｔｈｉｏｎｉｎｅ、Ｃｙｓｔｅｉｃ  ａｃｉｄ、ＥｔＧｌｙ、ＧＡＢＡ、ｈＡｒｇ、Ｈｙｐｏｔａｕｒｉｎｅ、Ｈｙｐｒｏ、Ｋｙｎ、Ｐｙｒａｚｏｌｅ−１−Ａｌａ、ＭＣＳＯ、ＭｅＣｙｓ、Ｎ６−ＡｃＬｙｓ、Ｎ８−ＡｃＳｐｄ、Ｏｐｔｈａｌｍｉｃ  ａｃｉｄ、ＰＥＡ、Ｐｉｐｅｃｏｌｉｃ  ａｃｉｄ、Ｓａｒ、ＳＤＭＡ、Ｓｐｄ、ＳｐｍおよびＴｈｉｏｐｒｏｌｉｎｅの濃度値ならびにＡｌｂ、Ｆｏｌａｔｅ、ＷＢＣ、ＲＢＣ、Ｈｂ、ＨｔおよびＰＬＴの検査値のうちの少なくとも１つの値、または、前記少なくとも１つの値が代入される変数を含む式および前記少なくとも１つの値を用いて算出された前記式の値を用いて、前記評価対象について、軽度認知障害の状態を評価する評価ステップを含むこと、
を特徴とする評価方法。
【請求項２】
前記評価ステップは、制御部を備えた情報処理装置の前記制御部において実行されること、
を特徴とする請求項１に記載の評価方法。
【請求項３】
評価対象の血液中のＰｕｔ、α-ＡＢＡ、Ａｌａ、Ａｒｇ、Ａｓｎ、Ｃｉｔ、Ｇｌｕ、Ｇｌｎ、Ｇｌｙ、Ｈｉｓ、Ｉｌｅ、Ｌｅｕ、Ｌｙｓ、Ｍｅｔ、Ｏｒｎ、Ｐｈｅ、Ｐｒｏ、Ｓｅｒ、Ｔｈｒ、Ｔｒｐ、Ｔｙｒ、Ｖａｌ、Ｔａｕｒｉｎｅ、１−ＭｅＨｉｓ、３−ＭｅＨｉｓ、ａＡＡＡ、ａＡｉＢＡ、ＡＤＭＡ、Ａｌｌｙｌ  Ｃｙｓ、ｂＡＢＡ、ｂＡｉＢＡ、Ｃｙｓｔａｔｈｉｏｎｉｎｅ、Ｃｙｓｔｅｉｃ  ａｃｉｄ、ＥｔＧｌｙ、ＧＡＢＡ、ｈＡｒｇ、Ｈｙｐｏｔａｕｒｉｎｅ、Ｈｙｐｒｏ、Ｋｙｎ、Ｐｙｒａｚｏｌｅ−１−Ａｌａ、ＭＣＳＯ、ＭｅＣｙｓ、Ｎ６−ＡｃＬｙｓ、Ｎ８−ＡｃＳｐｄ、Ｏｐｔｈａｌｍｉｃ  ａｃｉｄ、ＰＥＡ、Ｐｉｐｅｃｏｌｉｃ  ａｃｉｄ、Ｓａｒ、ＳＤＭＡ、Ｓｐｄ、ＳｐｍおよびＴｈｉｏｐｒｏｌｉｎｅの濃度値ならびにＡｌｂ、Ｆｏｌａｔｅ、ＷＢＣ、ＲＢＣ、Ｈｂ、ＨｔおよびＰＬＴの検査値のうちの少なくとも１つの値、および、前記少なくとも１つの値が代入される変数を含む軽度認知障害の状態を評価するための式を用いて、前記式の値を算出する算出ステップを含むこと、
を特徴とする算出方法。
【請求項４】
前記算出ステップは、制御部を備えた情報処理装置の前記制御部において実行されること、
を特徴とする請求項３に記載の算出方法。
【請求項５】
制御部を備える評価装置であって、
前記制御部は、
評価対象の血液中のＰｕｔ、α-ＡＢＡ、Ａｌａ、Ａｒｇ、Ａｓｎ、Ｃｉｔ、Ｇｌｕ、Ｇｌｎ、Ｇｌｙ、Ｈｉｓ、Ｉｌｅ、Ｌｅｕ、Ｌｙｓ、Ｍｅｔ、Ｏｒｎ、Ｐｈｅ、Ｐｒｏ、Ｓｅｒ、Ｔｈｒ、Ｔｒｐ、Ｔｙｒ、Ｖａｌ、Ｔａｕｒｉｎｅ、１−ＭｅＨｉｓ、３−ＭｅＨｉｓ、ａＡＡＡ、ａＡｉＢＡ、ＡＤＭＡ、Ａｌｌｙｌ  Ｃｙｓ、ｂＡＢＡ、ｂＡｉＢＡ、Ｃｙｓｔａｔｈｉｏｎｉｎｅ、Ｃｙｓｔｅｉｃ  ａｃｉｄ、ＥｔＧｌｙ、ＧＡＢＡ、ｈＡｒｇ、Ｈｙｐｏｔａｕｒｉｎｅ、Ｈｙｐｒｏ、Ｋｙｎ、Ｐｙｒａｚｏｌｅ−１−Ａｌａ、ＭＣＳＯ、ＭｅＣｙｓ、Ｎ６−ＡｃＬｙｓ、Ｎ８−ＡｃＳｐｄ、Ｏｐｔｈａｌｍｉｃ  ａｃｉｄ、ＰＥＡ、Ｐｉｐｅｃｏｌｉｃ  ａｃｉｄ、Ｓａｒ、ＳＤＭＡ、Ｓｐｄ、ＳｐｍおよびＴｈｉｏｐｒｏｌｉｎｅの濃度値ならびにＡｌｂ、Ｆｏｌａｔｅ、ＷＢＣ、ＲＢＣ、Ｈｂ、ＨｔおよびＰＬＴの検査値のうちの少なくとも１つの値、または、前記少なくとも１つの値が代入される変数を含む式および前記少なくとも１つの値を用いて算出された前記式の値を用いて、前記評価対象について、軽度認知障害の状態を評価する評価手段
を備えること、
を特徴とする評価装置。
【請求項６】
前記少なくとも１つの値に関する血液データまたは前記式の値を提供する端末装置とネットワークを介して通信可能に接続され、
前記制御部は、
前記端末装置から送信された前記評価対象の前記血液データまたは前記式の値を受信するデータ受信手段と、
前記評価手段で得られた評価結果を前記端末装置へ送信する結果送信手段と、
をさらに備え、
前記評価手段は、前記データ受信手段で受信した前記血液データに含まれている前記濃度値または前記式の値を用いること、
を特徴とする請求項５に記載の評価装置。
【請求項７】
制御部を備える算出装置であって、
前記制御部は、
評価対象の血液中のＰｕｔ、α-ＡＢＡ、Ａｌａ、Ａｒｇ、Ａｓｎ、Ｃｉｔ、Ｇｌｕ、Ｇｌｎ、Ｇｌｙ、Ｈｉｓ、Ｉｌｅ、Ｌｅｕ、Ｌｙｓ、Ｍｅｔ、Ｏｒｎ、Ｐｈｅ、Ｐｒｏ、Ｓｅｒ、Ｔｈｒ、Ｔｒｐ、Ｔｙｒ、Ｖａｌ、Ｔａｕｒｉｎｅ、１−ＭｅＨｉｓ、３−ＭｅＨｉｓ、ａＡＡＡ、ａＡｉＢＡ、ＡＤＭＡ、Ａｌｌｙｌ  Ｃｙｓ、ｂＡＢＡ、ｂＡｉＢＡ、Ｃｙｓｔａｔｈｉｏｎｉｎｅ、Ｃｙｓｔｅｉｃ  ａｃｉｄ、ＥｔＧｌｙ、ＧＡＢＡ、ｈＡｒｇ、Ｈｙｐｏｔａｕｒｉｎｅ、Ｈｙｐｒｏ、Ｋｙｎ、Ｐｙｒａｚｏｌｅ−１−Ａｌａ、ＭＣＳＯ、ＭｅＣｙｓ、Ｎ６−ＡｃＬｙｓ、Ｎ８−ＡｃＳｐｄ、Ｏｐｔｈａｌｍｉｃ  ａｃｉｄ、ＰＥＡ、Ｐｉｐｅｃｏｌｉｃ  ａｃｉｄ、Ｓａｒ、ＳＤＭＡ、Ｓｐｄ、ＳｐｍおよびＴｈｉｏｐｒｏｌｉｎｅの濃度値ならびにＡｌｂ、Ｆｏｌａｔｅ、ＷＢＣ、ＲＢＣ、Ｈｂ、ＨｔおよびＰＬＴの検査値のうちの少なくとも１つの値、および、前記少なくとも１つの値が代入される変数を含む軽度認知障害の状態を評価するための式を用いて、前記式の値を算出する算出手段
を備えること、
を特徴とする算出装置。
【請求項８】
制御部を備える情報処理装置において実行させるための評価プログラムであって、
前記制御部において実行させるための、
評価対象の血液中のＰｕｔ、α-ＡＢＡ、Ａｌａ、Ａｒｇ、Ａｓｎ、Ｃｉｔ、Ｇｌｕ、Ｇｌｎ、Ｇｌｙ、Ｈｉｓ、Ｉｌｅ、Ｌｅｕ、Ｌｙｓ、Ｍｅｔ、Ｏｒｎ、Ｐｈｅ、Ｐｒｏ、Ｓｅｒ、Ｔｈｒ、Ｔｒｐ、Ｔｙｒ、Ｖａｌ、Ｔａｕｒｉｎｅ、１−ＭｅＨｉｓ、３−ＭｅＨｉｓ、ａＡＡＡ、ａＡｉＢＡ、ＡＤＭＡ、Ａｌｌｙｌ  Ｃｙｓ、ｂＡＢＡ、ｂＡｉＢＡ、Ｃｙｓｔａｔｈｉｏｎｉｎｅ、Ｃｙｓｔｅｉｃ  ａｃｉｄ、ＥｔＧｌｙ、ＧＡＢＡ、ｈＡｒｇ、Ｈｙｐｏｔａｕｒｉｎｅ、Ｈｙｐｒｏ、Ｋｙｎ、Ｐｙｒａｚｏｌｅ−１−Ａｌａ、ＭＣＳＯ、ＭｅＣｙｓ、Ｎ６−ＡｃＬｙｓ、Ｎ８−ＡｃＳｐｄ、Ｏｐｔｈａｌｍｉｃ  ａｃｉｄ、ＰＥＡ、Ｐｉｐｅｃｏｌｉｃ  ａｃｉｄ、Ｓａｒ、ＳＤＭＡ、Ｓｐｄ、ＳｐｍおよびＴｈｉｏｐｒｏｌｉｎｅの濃度値ならびにＡｌｂ、Ｆｏｌａｔｅ、ＷＢＣ、ＲＢＣ、Ｈｂ、ＨｔおよびＰＬＴの検査値のうちの少なくとも１つの値、または、前記少なくとも１つの値が代入される変数を含む式および前記少なくとも１つの値を用いて算出された前記式の値を用いて、前記評価対象について、軽度認知障害の状態を評価する評価ステップ
を含むこと、
を特徴とする評価プログラム。
【請求項９】
制御部を備える情報処理装置において実行させるための算出プログラムであって、
前記制御部において実行させるための、
評価対象の血液中のＰｕｔ、α-ＡＢＡ、Ａｌａ、Ａｒｇ、Ａｓｎ、Ｃｉｔ、Ｇｌｕ、Ｇｌｎ、Ｇｌｙ、Ｈｉｓ、Ｉｌｅ、Ｌｅｕ、Ｌｙｓ、Ｍｅｔ、Ｏｒｎ、Ｐｈｅ、Ｐｒｏ、Ｓｅｒ、Ｔｈｒ、Ｔｒｐ、Ｔｙｒ、Ｖａｌ、Ｔａｕｒｉｎｅ、１−ＭｅＨｉｓ、３−ＭｅＨｉｓ、ａＡＡＡ、ａＡｉＢＡ、ＡＤＭＡ、Ａｌｌｙｌ  Ｃｙｓ、ｂＡＢＡ、ｂＡｉＢＡ、Ｃｙｓｔａｔｈｉｏｎｉｎｅ、Ｃｙｓｔｅｉｃ  ａｃｉｄ、ＥｔＧｌｙ、ＧＡＢＡ、ｈＡｒｇ、Ｈｙｐｏｔａｕｒｉｎｅ、Ｈｙｐｒｏ、Ｋｙｎ、Ｐｙｒａｚｏｌｅ−１−Ａｌａ、ＭＣＳＯ、ＭｅＣｙｓ、Ｎ６−ＡｃＬｙｓ、Ｎ８−ＡｃＳｐｄ、Ｏｐｔｈａｌｍｉｃ  ａｃｉｄ、ＰＥＡ、Ｐｉｐｅｃｏｌｉｃ  ａｃｉｄ、Ｓａｒ、ＳＤＭＡ、Ｓｐｄ、ＳｐｍおよびＴｈｉｏｐｒｏｌｉｎｅの濃度値ならびにＡｌｂ、Ｆｏｌａｔｅ、ＷＢＣ、ＲＢＣ、Ｈｂ、ＨｔおよびＰＬＴの検査値のうちの少なくとも１つの値、および、前記少なくとも１つの値が代入される変数を含む軽度認知障害の状態を評価するための式を用いて、前記式の値を算出する算出ステップ
を含むこと、
を特徴とする算出プログラム。
【請求項１０】
請求項８または９に記載のプログラムを記録したコンピュータ読み取り可能な記録媒体。
【請求項１１】
制御部を備える評価装置と、制御部を備え、評価対象の血液中のＰｕｔ、α-ＡＢＡ、Ａｌａ、Ａｒｇ、Ａｓｎ、Ｃｉｔ、Ｇｌｕ、Ｇｌｎ、Ｇｌｙ、Ｈｉｓ、Ｉｌｅ、Ｌｅｕ、Ｌｙｓ、Ｍｅｔ、Ｏｒｎ、Ｐｈｅ、Ｐｒｏ、Ｓｅｒ、Ｔｈｒ、Ｔｒｐ、Ｔｙｒ、Ｖａｌ、Ｔａｕｒｉｎｅ、１−ＭｅＨｉｓ、３−ＭｅＨｉｓ、ａＡＡＡ、ａＡｉＢＡ、ＡＤＭＡ、Ａｌｌｙｌ  Ｃｙｓ、ｂＡＢＡ、ｂＡｉＢＡ、Ｃｙｓｔａｔｈｉｏｎｉｎｅ、Ｃｙｓｔｅｉｃ  ａｃｉｄ、ＥｔＧｌｙ、ＧＡＢＡ、ｈＡｒｇ、Ｈｙｐｏｔａｕｒｉｎｅ、Ｈｙｐｒｏ、Ｋｙｎ、Ｐｙｒａｚｏｌｅ−１−Ａｌａ、ＭＣＳＯ、ＭｅＣｙｓ、Ｎ６−ＡｃＬｙｓ、Ｎ８−ＡｃＳｐｄ、Ｏｐｔｈａｌｍｉｃ  ａｃｉｄ、ＰＥＡ、Ｐｉｐｅｃｏｌｉｃ  ａｃｉｄ、Ｓａｒ、ＳＤＭＡ、Ｓｐｄ、ＳｐｍおよびＴｈｉｏｐｒｏｌｉｎｅの濃度値ならびにＡｌｂ、Ｆｏｌａｔｅ、ＷＢＣ、ＲＢＣ、Ｈｂ、ＨｔおよびＰＬＴの検査値のうちの少なくとも１つの値に関する血液データ、または、前記少なくとも１つの値が代入される変数を含む式および前記少なくとも１つの値を用いて算出された前記式の値を提供する端末装置とを、ネットワークを介して通信可能に接続して構成される評価システムであって、
前記端末装置の前記制御部は、
前記評価対象の前記血液データまたは前記式の値を前記評価装置へ送信するデータ送信手段と、
前記評価装置から送信された、前記評価対象についての軽度認知障害の状態に関する評価結果を受信する結果受信手段と、
を備え、
前記評価装置の前記制御部は、
前記端末装置から送信された前記評価対象の前記血液データまたは前記式の値を受信するデータ受信手段と、
前記データ受信手段で受信した前記評価対象の前記血液データに含まれている前記少なくとも１つの値または前記式の値を用いて、前記評価対象について、軽度認知障害の状態を評価する評価手段と、
前記評価手段で得られた前記評価結果を前記端末装置へ送信する結果送信手段と、
を備えること、
を特徴とする評価システム。
【請求項１２】
制御部を備えた端末装置であって、
前記制御部は、
評価対象についての軽度認知障害の状態に関する評価結果を取得する結果取得手段
を備え、
前記評価結果は、前記評価対象の血液中のＰｕｔ、α-ＡＢＡ、Ａｌａ、Ａｒｇ、Ａｓｎ、Ｃｉｔ、Ｇｌｕ、Ｇｌｎ、Ｇｌｙ、Ｈｉｓ、Ｉｌｅ、Ｌｅｕ、Ｌｙｓ、Ｍｅｔ、Ｏｒｎ、Ｐｈｅ、Ｐｒｏ、Ｓｅｒ、Ｔｈｒ、Ｔｒｐ、Ｔｙｒ、Ｖａｌ、Ｔａｕｒｉｎｅ、１−ＭｅＨｉｓ、３−ＭｅＨｉｓ、ａＡＡＡ、ａＡｉＢＡ、ＡＤＭＡ、Ａｌｌｙｌ  Ｃｙｓ、ｂＡＢＡ、ｂＡｉＢＡ、Ｃｙｓｔａｔｈｉｏｎｉｎｅ、Ｃｙｓｔｅｉｃ  ａｃｉｄ、ＥｔＧｌｙ、ＧＡＢＡ、ｈＡｒｇ、Ｈｙｐｏｔａｕｒｉｎｅ、Ｈｙｐｒｏ、Ｋｙｎ、Ｐｙｒａｚｏｌｅ−１−Ａｌａ、ＭＣＳＯ、ＭｅＣｙｓ、Ｎ６−ＡｃＬｙｓ、Ｎ８−ＡｃＳｐｄ、Ｏｐｔｈａｌｍｉｃ  ａｃｉｄ、ＰＥＡ、Ｐｉｐｅｃｏｌｉｃ  ａｃｉｄ、Ｓａｒ、ＳＤＭＡ、Ｓｐｄ、ＳｐｍおよびＴｈｉｏｐｒｏｌｉｎｅの濃度値ならびにＡｌｂ、Ｆｏｌａｔｅ、ＷＢＣ、ＲＢＣ、Ｈｂ、ＨｔおよびＰＬＴの検査値のうちの少なくとも１つの値、または、前記少なくとも１つの値が代入される変数を含む式および前記少なくとも１つの値を用いて算出された前記式の値を用いて、前記評価対象について、軽度認知障害の状態を評価した結果であること、
を特徴とする端末装置。
【請求項１３】
前記評価対象について軽度認知障害の状態を評価する評価装置とネットワークを介して通信可能に接続されており、
前記制御部は、前記評価対象の血液中の前記少なくとも１つの値に関する血液データまたは前記式の値を前記評価装置へ送信するデータ送信手段を備え、
前記結果取得手段は、前記評価装置から送信された前記評価結果を受信すること、
を特徴とする請求項１２に記載の端末装置。
【発明の詳細な説明】
【技術分野】
【０００１】
本発明は、軽度認知障害（Mild  Cognitive  Impairment）（以下、「ＭＣＩ」と記す。）の評価方法、算出方法、評価装置、算出装置、評価プログラム、算出プログラム、記録媒体、評価システムおよび端末装置に関するものである。
【背景技術】
【０００２】
ＭＣＩは、年齢相応の正常な老化と比べて認知機能に問題があるものの日常生活に支障はなく認知症との診断には至らない、さまざまな認知症の前段階または境界例と考えられる状態を指す。ＭＣＩの診断について、現状、主に２つの診断基準が提唱され、広く受け入れられている（非特許文献１，２）。ＭＣＩの背景疾患は、ＡＤ（Alzheimer’s  Disease）以外にもレビー小体型認知症（ＤＬＢ）、前頭側頭葉変性症（ＦＴＬＤ）、血管性認知症（ＶａＤ）および老年性うつ等様々あり、原因疾患によっては、適切な介入を行うことにより認知症の発症リスクを低減できる可能性がある。そのため、ＭＣＩを判別可能な簡易スクリーニング法を提供することにより、より早期の段階での、より多くの者を対象とした専門医療機関の受診及び予防・治療機会の提供の可能性を高め、認知症発症者の増加防止に寄与することが期待される。【０００３】
しかしながら、現在認知症のスクリーニング検査法として普及している神経心理検査Mini  Mental  State  Examination（以下、「ＭＭＳＥ」と記す。）、改訂長谷川式簡易知能評価スケール（以下、「ＨＤＳ−Ｒ」と記す。）およびAlzheimer’s  Disease  Assessment  Scale-Cognitive（以下、「ＡＤＡＳ−ｃｏｇ」と記す。）等をＭＣＩのスクリーニングに適用した場合、認知症の判定と比較して検出精度が低下することに加え、検査時間が長いためスループットが低いこと、および、検査実施者に熟練した技術を要すること、が課題である。ＭＣＩのスクリーニング検査法として従来の神経心理検査を補助する新たな簡易検査技術が求められる。【０００４】
なお、血液検査によりＭＣＩを判別する技術について、血液中のペプチド断片濃度を測定し、それを指標としてＭＣＩを判別する技術が知られている（非特許文献３）。また、血液中のアミノ酸及びアミノ酸関連代謝物の定量的解析によるＡＤ判定およびＭＣＩ判定技術が知られている（特許文献１）。
【先行技術文献】
【特許文献】
【０００５】
【特許文献１】国際公開第2018/008764号
【非特許文献】
【０００６】
【非特許文献１】Petersenら、Arch Neurol (1999) 56(6):760.; Mild cognitive impairment: clinical characterization and outcome.
【非特許文献２】Winbladら、J. Intern. Med. (2004)256(3):240-6.; Mild cognitive impairment--beyond controversies, towards a consensus: report of the International Working Group on Mild Cognitive Impairment.
【非特許文献３】Nakamuraら、Nature.(2018) 554(7691):249-254.; High performance plasma amyloid-β biomarkers for Alzheimer's disease.
【発明の概要】
【発明が解決しようとする課題】
【０００７】
しかしながら、アミノ酸及びアミノ酸関連代謝物を含む代謝物の血中濃度を指標とした高精度なＭＣＩ判定技術に関しては、実用化を視野に入れた場合に、実臨床での要求基準を満たすための更なる精度向上が必要である、という問題点があった。【０００８】
本発明は、上記に鑑みてなされたもので、ＭＣＩの状態を知る上で参考となり得る信頼性の高い情報を提供することができる評価方法、算出方法、評価装置、算出装置、評価プログラム、算出プログラム、記録媒体、評価システムおよび端末装置を提供することを目的とする。
【課題を解決するための手段】
【０００９】
上述した課題を解決し、目的を達成するために、本発明にかかる評価方法は、評価対象の血液中の２２種類のアミノ酸（α-ＡＢＡ、Ａｌａ、Ａｒｇ、Ａｓｎ、Ｃｉｔ、Ｇｌｕ、Ｇｌｎ、Ｇｌｙ、Ｈｉｓ、Ｉｌｅ、Ｌｅｕ、Ｌｙｓ、Ｍｅｔ、Ｏｒｎ、Ｐｈｅ、Ｐｒｏ、Ｓｅｒ、Ｔｈｒ、Ｔｒｐ、Ｔｙｒ、ＶａｌおよびＴａｕｒｉｎｅ）および３０種類のアミノ酸関連代謝物（１−ＭｅＨｉｓ、３−ＭｅＨｉｓ、ａＡＡＡ、ａＡｉＢＡ、ＡＤＭＡ、Ａｌｌｙｌ  Ｃｙｓ、ｂＡＢＡ、ｂＡｉＢＡ、Ｃｙｓｔａｔｈｉｏｎｉｎｅ、Ｃｙｓｔｅｉｃ  ａｃｉｄ、ＥｔＧｌｙ、ＧＡＢＡ、ｈＡｒｇ、Ｈｙｐｏｔａｕｒｉｎｅ、Ｈｙｐｒｏ、Ｋｙｎ、Ｐｙｒａｚｏｌｅ−１−Ａｌａ、ＭＣＳＯ、ＭｅＣｙｓ、Ｎ６−ＡｃＬｙｓ、Ｎ８−ＡｃＳｐｄ、Ｏｐｔｈａｌｍｉｃ  ａｃｉｄ、ＰＥＡ、Ｐｉｐｅｃｏｌｉｃ  ａｃｉｄ、Ｐｕｔ、Ｓａｒ、ＳＤＭＡ、Ｓｐｄ、ＳｐｍおよびＴｈｉｏｐｒｏｌｉｎｅ）の濃度値ならびに７種類の血液生化学検査項目（Ａｌｂ、Ｆｏｌａｔｅ、ＷＢＣ、ＲＢＣ、Ｈｂ、ＨｔおよびＰＬＴ）の検査値のうちの少なくとも１つの値、または、前記少なくとも１つの値が代入される変数を含む式および前記少なくとも１つの値を用いて算出された前記式の値を用いて、前記評価対象について、ＭＣＩの状態を評価する評価ステップを含むこと、を特徴とする。【００１０】
ここで、本明細書では各種アミノ酸、各種アミノ酸関連代謝物および各種血液生化学検査項目を主に略称で表記するが、それらの正式名称は以下の通りである。
（略称）     （正式名称）
α-ABA        α-Aminobutyric  acid
Ala           Alanine
Arg           Arginine
Asn           Asparagine
Cit           Citrulline
Gln           Glutamine
Glu           Glutamic acid
Gly           Glycine
His           Histidine
Ile           Isoleucine
Leu           Leucine
Lys           Lysine
Met           Methionine
Orn           Ornithine
Phe           Phenylalanine
Pro           Proline
Ser           Serine
Taurine      Taurine
Thr           Threonine
Trp           Tryptophan
Tyr           Tyrosine
Val           Valine
BCAA          Valine、LeucineおよびIsoleucineの合計値
EAA           His、Ile、Leu、Lys、Met、Phe、Thr、TryおよびValの合計値【００１１】
（略称）           （正式名称）
1-MeHis              N(pi)-Methyl-L-histidine
3-MeHis              N(tau)-Methyl-L-histidine
aAAA                  Aminoadipic  acid
aAiBA                 2-Aminoisobutyric  acid
ADMA                  Asymmetric  dimethylarginine
Allyl  Cys           Allyl  cysteine
bABA                  3-Aminobutanoic  acid
bAiBA                 L-3-Aminoisobutyric  acid
Cystathionine       L-Cystathionine
Cysteic  acid       Cysteic acid
EtGly                Ethylglycine
GABA                 4-Aminobutyric  Acid
hArg                 L-Homoarginine
Hypotaurine         Hypotaurine
Hypro                4-Hydroxy-L-proline
Kyn                   L-Kynurenine
Kyn/Trp              L-Kynurenine/Tryptophan
Kyn/BCAA             L-Kynurenine/BCAA
Pyrazole-1-Ala      2-amino-3-(1H-pyrazol-1-yl)propanoic  acid
MCSO                  S-Methyl-L-cysteine  sulfoxide
MCSO1                 S-Methyl-L-cysteine  sulfoxide  1st  peak
MCSO2                 S-Methyl-L-cysteine  sulfoxide  2nd  peak
MeCys                 Methyl  cysteine
MCSO2/MeCys          S-Methyl-L-cysteine  sulfoxide  2nd  peak/Methyl  cysteine
N6-AcLys             Ne-Acetyl-L-lysine
N8-AcSpd             N8-Acetylspermidine
Opthalmic  acid     Opthalmic  acid
PEA                   Phosphoethanolamine
Pipecolic  acid     Pipecolic  acid
Put                  Putrescine
Sar                  Sarcosine
SDMA                 Symmetric  dimethylarginine
Spd                  Spermidine
Spm                  Spermine
Thioproline          Thioproline【００１２】
（略称）         （正式名称）
Alb                 Albumin
Folate             Folate
WBC                 White blood cell counts
RBC                 Red blood cell counts
Hb                  Hemoglobin
Ht                  Hematocrit
PLT                 Platelet counts【００１３】
また、本発明にかかる評価方法は、前記評価ステップが、制御部を備えた情報処理装置の前記制御部において実行されること、を特徴とする。【００１４】
また、本発明にかかる算出方法は、評価対象の血液中の前記２２種類のアミノ酸および前記３０種類のアミノ酸関連代謝物の濃度値ならびに前記７種類の血液生化学検査項目の検査値のうちの少なくとも１つの値、および、前記少なくとも１つの値が代入される変数を含むＭＣＩの状態を評価するための式を用いて、前記式の値を算出する算出ステップを含むこと、を特徴とする。【００１５】
また、本発明にかかる算出方法は、前記算出ステップが、制御部を備えた情報処理装置の前記制御部において実行されること、を特徴とする。【００１６】
また、本発明にかかる評価装置は、制御部を備える評価装置であって、前記制御部が、評価対象の血液中の前記２２種類のアミノ酸および前記３０種類のアミノ酸関連代謝物の濃度値ならびに前記７種類の血液生化学検査項目の検査値のうちの少なくとも１つの値、または、前記少なくとも１つ値が代入される変数を含む式および前記少なくとも１つの値を用いて算出された前記式の値を用いて、前記評価対象について、ＭＣＩの状態を評価する評価手段を備えること、を特徴とする。【００１７】
また、本発明にかかる評価装置は、前記少なくとも１つの値に関する血液データまたは前記式の値を提供する端末装置とネットワークを介して通信可能に接続され、前記制御部が、前記端末装置から送信された前記評価対象の前記血液データまたは前記式の値を受信するデータ受信手段と、前記評価手段で得られた評価結果を前記端末装置へ送信する結果送信手段と、をさらに備え、前記評価手段が、前記データ受信手段で受信した前記血液データに含まれている前記少なくとも１つの値または前記式の値を用いること、を特徴とする。【００１８】
また、本発明にかかる算出装置は、制御部を備える算出装置であって、前記制御部が、評価対象の血液中の前記２２種類のアミノ酸および前記３０種類のアミノ酸関連代謝物の濃度値ならびに前記７種類の血液生化学検査項目の検査値のうちの少なくとも１つの値、および、前記少なくとも１つの値が代入される変数を含むＭＣＩの状態を評価するための式を用いて、前記式の値を算出する算出手段を備えること、を特徴とする。【００１９】
また、本発明にかかる評価プログラムは、制御部を備える情報処理装置において実行させるための評価プログラムであって、前記制御部において実行させるための、評価対象の血液中の前記２２種類のアミノ酸および前記３０種類のアミノ酸関連代謝物の濃度値ならびに前記７種類の血液生化学検査項目の検査値のうちの少なくとも１つの値、または、前記少なくとも１つの値が代入される変数を含む式および前記少なくとも１つの値を用いて算出された前記式の値を用いて、前記評価対象について、ＭＣＩの状態を評価する評価ステップを含むこと、を特徴とする。【００２０】
また、本発明にかかる算出プログラムは、制御部を備える情報処理装置において実行させるための算出プログラムであって、前記制御部において実行させるための、評価対象の血液中の前記２２種類のアミノ酸および前記３０種類のアミノ酸関連代謝物の濃度値ならびに前記７種類の血液生化学検査項目の検査値のうちの少なくとも１つの値、および、前記少なくとも１つの値が代入される変数を含むＭＣＩの状態を評価するための式を用いて、前記式の値を算出する算出ステップを含むこと、を特徴とする。【００２１】
また、本発明にかかる記録媒体は、前記評価プログラムまたは前記算出プログラムを記録したコンピュータ読み取り可能な記録媒体である。具体的には、本発明にかかる記録媒体は、一時的でないコンピュータ読み取り可能な記録媒体であって、情報処理装置に前記評価方法または前記算出方法を実行させるためのプログラム化された命令を含むこと、を特徴とするものである。【００２２】
また、本発明にかかる評価システムは、制御部を備える評価装置と、制御部を備え、評価対象の血液中の前記２２種類のアミノ酸および前記３０種類のアミノ酸関連代謝物の濃度値ならびに前記７種類の血液生化学検査項目の検査値のうちの少なくとも１つの値に関する血液データ、または、前記少なくとも１つの値が代入される変数を含む式および前記少なくとも１つの値を用いて算出された前記式の値を提供する端末装置とを、ネットワークを介して通信可能に接続して構成される評価システムであって、前記端末装置の前記制御部が、前記評価対象の前記血液データまたは前記式の値を前記評価装置へ送信するデータ送信手段と、前記評価装置から送信された、前記評価対象についてのＭＣＩの状態に関する評価結果を受信する結果受信手段と、を備え、前記評価装置の前記制御部が、前記端末装置から送信された前記評価対象の前記血液データまたは前記式の値を受信するデータ受信手段と、前記データ受信手段で受信した前記評価対象の前記血液データに含まれている前記少なくとも１つの値または前記式の値を用いて、前記評価対象について、ＭＣＩの状態を評価する評価手段と、前記評価手段で得られた前記評価結果を前記端末装置へ送信する結果送信手段と、を備えること、を特徴とする。【００２３】
また、本発明にかかる端末装置は、制御部を備えた端末装置であって、前記制御部が、評価対象についてのＭＣＩの状態に関する評価結果を取得する結果取得手段を備え、前記評価結果が、前記評価対象の血液中の前記２２種類のアミノ酸および前記３０種類のアミノ酸関連代謝物の濃度値ならびに前記７種類の血液生化学検査項目の検査値のうちの少なくとも１つの値、または、前記少なくとも１つの値が代入される変数を含む式および前記少なくとも１つの値を用いて算出された前記式の値を用いて、前記評価対象について、ＭＣＩの状態を評価した結果であること、を特徴とする。【００２４】
また、本発明にかかる端末装置は、前記評価対象についてＭＣＩの状態を評価する評価装置とネットワークを介して通信可能に接続されており、前記制御部が、前記評価対象の血液中の前記２２種類のアミノ酸および前記３０種類のアミノ酸関連代謝物の濃度値ならびに前記７種類の血液生化学検査項目の検査値のうちの少なくとも１つの値に関する血液データまたは前記式の値を前記評価装置へ送信するデータ送信手段を備え、前記結果取得手段が、前記評価装置から送信された前記評価結果を受信すること、を特徴とする。
【発明の効果】
【００２５】
本発明によれば、ＭＣＩの状態を知る上で参考となり得る信頼性の高い情報を提供することができるという効果を奏する。
【図面の簡単な説明】
【００２６】
【図１】図１は、第１実施形態の基本原理を示す原理構成図である。
【図２】図２は、第２実施形態の基本原理を示す原理構成図である。
【図３】図３は、本システムの全体構成の一例を示す図である。
【図４】図４は、本システムの全体構成の他の一例を示す図である。
【図５】図５は、本システムの評価装置１００の構成の一例を示すブロック図である。
【図６】図６は、血液データファイル１０６ａに格納される情報の一例を示す図である。
【図７】図７は、指標状態情報ファイル１０６ｂに格納される情報の一例を示す図である。
【図８】図８は、指定指標状態情報ファイル１０６ｃに格納される情報の一例を示す図である。
【図９】図９は、式ファイル１０６ｄ１に格納される情報の一例を示す図である。
【図１０】図１０は、評価結果ファイル１０６ｅに格納される情報の一例を示す図である。
【図１１】図１１は、評価部１０２ｄの構成を示すブロック図である。
【図１２】図１２は、本システムのクライアント装置２００の構成の一例を示すブロック図である。
【図１３】図１３は、本システムのデータベース装置４００の構成の一例を示すブロック図である。
【図１４】図１４は、液体クロマトグラフ質量分析計により得られたクロマトグラムを示す図である。
【図１５】図１５は、液体クロマトグラフ質量分析計により得られたクロマトグラムを示す図である。
【図１６】図１６は、ロジスティック回帰式に含まれる変数とＲＯＣ＿ＡＵＣ値を示す図である。
【図１７】図１７は、ロジスティック回帰式に含まれる変数とＲＯＣ＿ＡＵＣ値を示す図である。
【図１８】図１８は、ロジスティック回帰式における変数の出現頻度を示す図である。
【図１９】図１９は、ロジスティック回帰式における２種の変数の組み合わせの出現頻度を示す図である。
【図２０】図２０は、ロジスティック回帰式に含まれる変数とＲＯＣ＿ＡＵＣ値を示す図である。
【図２１】図２１は、ロジスティック回帰式に含まれる変数とＲＯＣ＿ＡＵＣ値を示す図である。
【図２２】図２２は、ロジスティック回帰式における変数の出現頻度を示す図である。
【図２３】図２３は、ロジスティック回帰式における２種の変数の組み合わせの出現頻度を示す図である。
【図２４】図２４は、ロジスティック回帰式に含まれる変数とＲＯＣ＿ＡＵＣ値を示す図である。
【図２５】図２５は、ロジスティック回帰式に含まれる変数とＲＯＣ＿ＡＵＣ値を示す図である。
【図２６】図２６は、ロジスティック回帰式における変数の出現頻度を示す図である。
【図２７】図２７は、ロジスティック回帰式における２種の変数の組み合わせの出現頻度を示す図である。
【図２８】図２８は、ロジスティック回帰式に含まれる変数とＲＯＣ＿ＡＵＣ値を示す図である。
【図２９】図２９は、ロジスティック回帰式に含まれる変数とＲＯＣ＿ＡＵＣ値を示す図である。
【図３０】図３０は、ロジスティック回帰式に含まれる変数とＲＯＣ＿ＡＵＣ値を示す図である。
【図３１】図３１は、ロジスティック回帰式に含まれる変数とＲＯＣ＿ＡＵＣ値を示す図である。
【図３２】図３２は、ロジスティック回帰式に含まれる変数とＲＯＣ＿ＡＵＣ値を示す図である。
【図３３】図３３は、ロジスティック回帰式に含まれる変数とＲＯＣ＿ＡＵＣ値を示す図である。
【図３４】図３４は、ロジスティック回帰式に含まれる変数とＲＯＣ＿ＡＵＣ値を示す図である。
【図３５】図３５は、ロジスティック回帰式に含まれる変数とＲＯＣ＿ＡＵＣ値を示す図である。
【図３６】図３６は、ロジスティック回帰式に含まれる変数とＲＯＣ＿ＡＵＣ値を示す図である。
【図３７】図３７は、ロジスティック回帰式に含まれる変数とＲＯＣ＿ＡＵＣ値を示す図である。
【発明を実施するための形態】
【００２７】
以下に、本発明にかかる評価方法および算出方法の実施形態（第１実施形態）ならびに本発明にかかる評価装置、算出装置、評価方法、算出方法、評価プログラム、算出プログラム、記録媒体、評価システムおよび端末装置の実施形態（第２実施形態）を、図面に基づいて詳細に説明する。なお、本発明はこれらの実施形態により限定されるものではない。
【００２８】
［第１実施形態］
［１−１．第１実施形態の概要］
ここでは、第１実施形態の概要について図１を参照して説明する。図１は第１実施形態の基本原理を示す原理構成図である。
【００２９】
まず、評価対象（例えば動物やヒトなどの個体）から採取した血液（例えば血漿、血清、全血などを含む）中の前記２２種類のアミノ酸および前記３０種類のアミノ酸関連代謝物の濃度値ならびに前記７種類の血液生化学検査項目の検査値のうちの少なくとも１つの値に関する血液データを取得する（ステップＳ１１）。
【００３０】
なお、ステップＳ１１では、例えば、濃度値または検査値の測定を行う企業等が測定した血液データを取得してもよい。また、評価対象から採取した血液から、例えば以下の（Ａ）、（Ｂ）、または（Ｃ）などの測定方法により濃度値を測定することで、血液データを取得してもよい。ここで、濃度値の単位は、例えばモル濃度、重量濃度又は酵素活性であってもよく、これらの濃度に任意の定数を加減乗除することで得られるものでもよい。また、評価対象から採取した血液から、例えばＢＣＰ（ｂｒｏｍｏｃｒｅｓｏｌ  ｐｕｒｐｌｅ）改良法、ＣＬＥＩＡ（ｃｈｅｍｉｌｕｍｉｎｅｓｃｅｎｔ  ｅｎｚｙｍｅ  ｉｍｍｕｎｏ  ａｓｓａｙ）法、半導体レーザーを使用したフローサイトメトリー法、シースフロー直流電流検出方式、ＳＬＳ（ｓｏｄｉｕｍ  ｌａｕｒｙｌ  ｓｕｌｆａｔｅ）−ヘモグロビン法または赤血球パルス波高値検出法などの測定方法により、検査値を測定することで血液データを取得してもよい。
（Ａ）採取した血液サンプルを遠心することにより血液から血漿を分離する。全ての血漿サンプルは、濃度値の測定時まで−８０℃で凍結保存する。濃度値測定時には、アセトニトリルを添加し除蛋白処理を行った後、必要に応じて固層抽出等によりリン脂質等の夾雑物を除去し、標識試薬（３−アミノピリジル−Ｎ−ヒドロキシスクシンイミジルカルバメート）を用いてプレカラム誘導体化を行い、そして、液体クロマトグラフィー質量分析法（タンデム質量分析法を含む）により濃度値を分析する（国際公開第２００３／０６９３２８号、国際公開第２００５／１１６６２９号を参照）。
（Ｂ）採取した血液サンプルを遠心することにより血液から血漿を分離する。全ての血漿サンプルは、濃度値の測定時まで−８０℃で凍結保存する。濃度値測定時には、スルホサリチル酸を添加し除蛋白処理を行った後、ニンヒドリン試薬を用いたポストカラム誘導体化法を原理としたアミノ酸分析計により濃度値を分析する。
（Ｃ）採取した血液サンプルを、膜やＭＥＭＳ（Micro  Electro  Mechanical  Systems）技術または遠心分離の原理を用いて血球分離を行い、血液から血漿または血清を分離する。血漿または血清取得後すぐに濃度値の測定を行わない血漿または血清サンプルは、濃度値の測定時まで−８０℃で凍結保存する。濃度値測定時には、酵素やアプタマーなど、標的とする血中物質と反応または結合する分子等を用い、基質認識によって増減する物質や分光学的値を定量等することにより濃度値を分析する。
【００３１】
つぎに、ステップＳ１１で取得した血液データに含まれている前記少なくとも１つの値を用いて、評価対象についてＭＣＩの状態を評価する（ステップＳ１２）。なお、ステップＳ１２を実行する前に、ステップＳ１１で取得した血液データから欠損値や外れ値などのデータを除去してもよい。ここで、ＭＣＩの状態を評価するとは、例えば、ＭＣＩの現在の状態を検査することである。
【００３２】
以上、第１実施形態によれば、ステップＳ１１では評価対象の血液データを取得し、ステップＳ１２では、ステップＳ１１で取得した評価対象の血液データに含まれている前記少なくとも１つの値を用いて、評価対象についてＭＣＩの状態を評価する（要するに、評価対象についてＭＣＩの状態を評価するための情報または評価対象についてＭＣＩの状態を知る上で参考となり得る信頼性の高い情報を取得する）。これにより、評価対象についてＭＣＩの状態を評価するための情報または評価対象についてＭＣＩの状態を知る上で参考となり得る信頼性の高い情報を提供することができる。
【００３３】
また、前記２２種類のアミノ酸および前記３０種類のアミノ酸関連代謝物の濃度値ならびに前記７種類の血液生化学検査項目の検査値のうちの少なくとも１つの値が評価対象についてのＭＣＩの状態を反映したものであると決定してもよく、さらに、濃度値または検査値を例えば以下に挙げた手法などで変換し、変換後の値が評価対象についてのＭＣＩの状態を反映したものであると決定してもよい。換言すると、濃度値若しくは検査値又は変換後の値そのものを、評価対象についてのＭＣＩの状態に関する評価結果として扱ってもよい。
濃度値の取り得る範囲が所定範囲（例えば０．０から１．０までの範囲、０．０から１０．０までの範囲、０．０から１００．０までの範囲、又は−１０．０から１０．０までの範囲、など）に収まるようにするためなどに、例えば、濃度値に対して任意の値を加減乗除したり、濃度値を所定の変換手法（例えば、指数変換、対数変換、角変換、平方根変換、プロビット変換、逆数変換、Ｂｏｘ−Ｃｏｘ変換、又はべき乗変換など）で変換したり、また、濃度値に対してこれらの計算を組み合わせて行ったりすることで、濃度値を変換してもよい（検査値についても同様）。例えば、濃度値を指数としネイピア数を底とする指数関数の値（具体的には、ＭＣＩの状態が所定の状態（例えば、基準値を超えた、ＭＣＩに罹患している可能性が高い状態、など）である確率ｐを定義したときの自然対数ｌｎ（ｐ／（１−ｐ））が濃度値と等しいとした場合におけるｐ／（１−ｐ）の値）をさらに算出してもよく、また、算出した指数関数の値を１と当該値との和で割った値（具体的には、確率ｐの値）をさらに算出してもよい（検査値についても同様）。
また、特定の条件のときの変換後の値が特定の値となるように、濃度値を変換してもよい。例えば、特異度が８０％のときの変換後の値が５．０となり且つ特異度が９５％のときの変換後の値が８．０となるように濃度値を変換してもよい（検査値についても同様）。
また、各アミノ酸および各アミノ酸関連代謝物ごとに、濃度分布を正規分布化した後、平均５０、標準偏差１０となるように偏差値化してもよい（検査値についても同様）。
なお、これらの変換は、男女別や年齢別に行ってもよい（検査値についても同様）。
なお、本明細書における濃度値は、濃度値そのものであってもよく、濃度値を変換した後の値であってもよい（検査値についても同様）。
【００３４】
また、モニタ等の表示装置又は紙等の物理媒体に視認可能に示される所定の物差し上における所定の目印の位置に関する位置情報を、前記２２種類のアミノ酸および前記３０種類のアミノ酸関連代謝物の濃度値ならびに前記７種類の血液生化学検査項目の検査値のうちの少なくとも１つの値又は当該少なくとも１つの値を変換した場合にはその変換後の値を用いて生成し、生成した位置情報が評価対象についてのＭＣＩの状態を反映したものであると決定してもよい。なお、所定の物差しとは、ＭＣＩの状態を評価するためのものであり、例えば、目盛りが示された物差しであって、「濃度値若しくは検査値又は変換後の値の取り得る範囲、又は、当該範囲の一部分」における上限値と下限値に対応する目盛りが少なくとも示されたもの、などである。また、所定の目印とは、濃度値若しくは検査値又は変換後の値に対応するものであり、例えば、丸印又は星印などである。
【００３５】
また、前記２２種類のアミノ酸および前記３０種類のアミノ酸関連代謝物の濃度値ならびに前記７種類の血液生化学検査項目の検査値のうちの少なくとも１つの値が、所定値（平均値±１ＳＤ、２ＳＤ、３ＳＤ、Ｎ分位点、Ｎパーセンタイル又は臨床的意義の認められたカットオフ値など）より低い若しくは所定値以下の場合又は所定値以上若しくは所定値より高い場合に、評価対象について、ＭＣＩの状態を評価してもよい。その際、濃度値そのものではなく、濃度偏差値（各アミノ酸および各アミノ酸関連代謝物ごとに、男女別に濃度分布を正規分布化した後、平均５０、標準偏差１０となるように偏差値化した値）を用いてもよい（検査値についても同様）。例えば、濃度偏差値が平均値−２ＳＤ未満の場合（濃度偏差値＜３０の場合）又は濃度偏差値が平均値＋２ＳＤより高い場合（濃度偏差値＞７０の場合）に、評価対象について、ＭＣＩの状態を評価してもよい（検査値についても同様）。
【００３６】
また、前記２２種類のアミノ酸および前記３０種類のアミノ酸関連代謝物の濃度値ならびに前記７種類の血液生化学検査項目の検査値のうちの少なくとも１つの値、および、当該少なくとも１つの値が代入される変数を含む式を用いて、式の値を算出することで、評価対象についてＭＣＩの状態を評価してもよい。
【００３７】
また、算出した式の値が評価対象についてのＭＣＩの状態を反映したものであると決定してもよく、さらに、式の値を例えば以下に挙げた手法などで変換し、変換後の値が評価対象についてのＭＣＩの状態を反映したものであると決定してもよい。換言すると、式の値又は変換後の値そのものを、評価対象についてのＭＣＩの状態に関する評価結果として扱ってもよい。
式の値の取り得る範囲が所定範囲（例えば０．０から１．０までの範囲、０．０から１０．０までの範囲、０．０から１００．０までの範囲、又は−１０．０から１０．０までの範囲、など）に収まるようにするためなどに、例えば、式の値に対して任意の値を加減乗除したり、式の値を所定の変換手法（例えば、指数変換、対数変換、角変換、平方根変換、プロビット変換、逆数変換、Ｂｏｘ−Ｃｏｘ変換、又はべき乗変換など）で変換したり、また、式の値に対してこれらの計算を組み合わせて行ったりすることで、式の値を変換してもよい。例えば、式の値を指数としネイピア数を底とする指数関数の値（具体的には、ＭＣＩの状態が所定の状態（例えば、基準値を超えた、ＭＣＩに罹患している可能性が高い状態、など）である確率ｐを定義したときの自然対数ｌｎ（ｐ／（１−ｐ））が式の値と等しいとした場合におけるｐ／（１−ｐ）の値）をさらに算出してもよく、また、算出した指数関数の値を１と当該値との和で割った値（具体的には、確率ｐの値）をさらに算出してもよい。
また、特定の条件のときの変換後の値が特定の値となるように、式の値を変換してもよい。例えば、特異度が８０％のときの変換後の値が５．０となり且つ特異度が９５％のときの変換後の値が８．０となるように式の値を変換してもよい。
また、平均５０、標準偏差１０となるように偏差値化してもよい。
なお、これらの変換は、男女別や年齢別に行ってもよい。
なお、本明細書における式の値は、式の値そのものであってもよく、式の値を変換した後の値であってもよい。
【００３８】
また、モニタ等の表示装置又は紙等の物理媒体に視認可能に示される所定の物差し上における所定の目印の位置に関する位置情報を、式の値又は当該式の値を変換した場合にはその変換後の値を用いて生成し、生成した位置情報が評価対象についてのＭＣＩの状態を反映したものであると決定してもよい。なお、所定の物差しとは、ＭＣＩの状態を評価するためのものであり、例えば、目盛りが示された物差しであって、「式の値又は変換後の値の取り得る範囲、又は、当該範囲の一部分」における上限値と下限値に対応する目盛りが少なくとも示されたもの、などである。また、所定の目印とは、式の値又は変換後の値に対応するものであり、例えば、丸印又は星印などである。
【００３９】
また、評価対象がＭＣＩに罹患している可能性の程度を定性的に評価してもよい。具体的には、「前記２２種類のアミノ酸および前記３０種類のアミノ酸関連代謝物の濃度値および前記７種類の血液生化学検査項目の検査値のうちの少なくとも１つの値ならびに予め設定された１つまたは複数の閾値」または「前記２２種類のアミノ酸および前記３０種類のアミノ酸関連代謝物の濃度値および前記７種類の血液生化学検査項目の検査値のうちの少なくとも１つの値、当該少なくとも１つの値が代入される変数を含む式、ならびに予め設定された１つまたは複数の閾値」を用いて、評価対象を、ＭＣＩに罹患している可能性の程度を少なくとも考慮して定義された複数の区分のうちのどれか１つに分類してもよい。なお、複数の区分には、ＭＣＩに罹患している可能性の程度が高い対象（例えば、ＭＣＩに罹患していると見做す対象）を属させるための区分、ＭＣＩに罹患している可能性の程度が低い対象（例えば、ＭＣＩに罹患していないと見做す対象）を属させるための区分、およびＭＣＩに罹患している可能性の程度が中程度である対象を属させるための区分が含まれていてもよい。また、複数の区分には、ＭＣＩに罹患している可能性の程度が高い対象を属させるための区分、および、ＭＣＩに罹患している可能性の程度が低い対象を属させるための区分（例えば、健常である可能性が高い対象（例えば健常であると見做す対象）を属させるための区分など）が含まれていてもよい。また、濃度値若しくは検査値又は式の値を所定の手法で変換し、変換後の値を用いて評価対象を複数の区分のうちのどれか１つに分類してもよい。
【００４０】
また、評価の際に用いる式について、その形式は特に問わないが、例えば、以下に示す形式のものでもよい。
・最小二乗法に基づく重回帰式、線形判別式、主成分分析、正準判別分析などの線形モデル
・最尤法に基づくロジスティック回帰、Ｃｏｘ回帰などの一般化線形モデル
・一般化線形モデルに加えて個体間差、施設間差などの変量効果を考慮した一般化線形混合モデル
・Ｋ−ｍｅａｎｓ法、階層的クラスタ解析などクラスタ解析で作成された式
・ＭＣＭＣ(マルコフ連鎖モンテカルロ法)、ベイジアンネットワーク、階層ベイズ法などベイズ統計に基づき作成された式
・サポートベクターマシンや決定木などクラス分類により作成された式
・分数式など上記のカテゴリに属さない手法により作成された式
・異なる形式の式の和で示されるような式
【００４１】
また、評価の際に用いる式を、例えば、本出願人による国際出願である国際公開第２００４／０５２１９１号に記載の方法又は本出願人による国際出願である国際公開第２００６／０９８１９２号に記載の方法で作成してもよい。なお、これらの方法で得られた式であれば、入力データとしての血液データにおけるアミノ酸の濃度値、アミノ酸関連代謝物の濃度値または血液生化学検査項目の検査値の単位に因らず、当該式をＭＣＩの状態を評価するのに好適に用いることができる。
【００４２】
ここで、重回帰式、多重ロジスティック回帰式、正準判別関数などにおいては各変数に係数及び定数項が付加されるが、この係数及び定数項は、好ましくは実数であれば構わず、より好ましくは、データから前記の各種分類を行うために得られた係数及び定数項の９９％信頼区間の範囲に属する値であれば構わず、さらに好ましくは、データから前記の各種分類を行うために得られた係数及び定数項の９５％信頼区間の範囲に属する値であれば構わない。また、各係数の値及びその信頼区間は、それを実数倍したものでもよく、定数項の値及びその信頼区間は、それに任意の実定数を加減乗除したものでもよい。ロジスティック回帰式、線形判別式、重回帰式などを評価の際に用いる場合、線形変換（定数の加算、定数倍）及び単調増加（減少）の変換（例えばｌｏｇｉｔ変換など）は評価性能を変えるものではなく変換前と同等であるので、これらの変換が行われた後のものを用いてもよい。
【００４３】
また、分数式とは、当該分数式の分子が変数Ａ，Ｂ，Ｃ，・・・の和で表わされ及び／又は当該分数式の分母が変数ａ，ｂ，ｃ，・・・の和で表わされるものである。また、分数式には、このような構成の分数式α，β，γ，・・・の和（例えばα＋βのようなもの）も含まれる。また、分数式には、分割された分数式も含まれる。なお、分子や分母に用いられる変数にはそれぞれ適当な係数がついても構わない。また、分子や分母に用いられる変数は重複しても構わない。また、各分数式に適当な係数がついても構わない。また、各変数の係数の値や定数項の値は、実数であれば構わない。ある分数式と、当該分数式において分子の変数と分母の変数が入れ替えられたものとでは、目的変数との相関の正負の符号が概して逆転するものの、それらの相関性は保たれるが故に、評価性能も同等と見做せるので、分数式には、分子の変数と分母の変数が入れ替えられたものも含まれる。
【００４４】
そして、ＭＣＩの状態を評価する際、前記２２種類のアミノ酸および前記３０種類のアミノ酸関連代謝物の濃度値ならびに前記７種類の血液生化学検査項目の検査値のうちの少なくとも１つの値以外に、他の生体情報に関する値（例えば、以下に挙げた値など）をさらに用いても構わない。また、評価の際に用いる式には、前記２２種類のアミノ酸および前記３０種類のアミノ酸関連代謝物の濃度値ならびに前記７種類の血液生化学検査項目の検査値のうちの少なくとも１つの値が代入される変数以外に、他の生体情報に関する値（例えば、以下に挙げた値など）が代入される１つ又は複数の変数がさらに含まれていてもよい。
１．アミノ酸およびアミノ酸関連代謝物以外の他の血中の代謝物（糖類・脂質等）、タンパク質、ペプチド、ミネラル、ホルモン等の濃度値
２．総蛋白、トリグリセリド（中性脂肪）、ＨｂＡ１ｃ、糖化アルブミン、インスリン抵抗性指数、総コレステロール、ＬＤＬコレステロール、ＨＤＬコレステロール、アミラーゼ、総ビリルビン、クレアチニン、推算糸球体濾過量(ｅＧＦＲ)、尿酸、ＧＯＴ（ＡＳＴ）、ＧＰＴ（ＡＬＴ），ＧＧＴＰ（γ−ＧＴＰ）、グルコース（血糖値）、ＣＲＰ（Ｃ反応性蛋白）、ＭＣＶ、ＭＣＨ，ＭＣＨＣ等の血液検査値
３．超音波エコー、Ｘ線、ＣＴ、ＭＲＩ、内視鏡像等の画像情報から得られる値
４．年齢、身長、体重、ＢＭＩ、腹囲、収縮期血圧、拡張期血圧、性別、喫煙情報、食事情報、飲酒情報、運動情報、ストレス情報、睡眠情報、家族の既往歴情報、疾患歴情報（糖尿病等）等の生体指標に関する値
５．アルツハイマー型認知症のリスク遺伝子（ＡＰＯＥε４アリル等）の保有数等の遺伝子情報から得られる値
【００４５】
［第２実施形態］
［２−１．第２実施形態の概要］
ここでは、第２実施形態の概要について図２を参照して説明する。図２は第２実施形態の基本原理を示す原理構成図である。なお、本第２実施形態の説明では、上述した第１実施形態と重複する説明を省略する場合がある。特に、ここでは、ＭＣＩの状態を評価する際に、式の値又はその変換後の値を用いるケースを一例として記載しているが、例えば、前記２２種類のアミノ酸および前記３０種類のアミノ酸関連代謝物の濃度値ならびに前記７種類の血液生化学検査項目の検査値のうちの少なくとも１つの値又はその変換後の値（例えば濃度偏差値など）を用いてもよい。
【００４６】
制御部は、血液中の前記２２種類のアミノ酸および前記３０種類のアミノ酸関連代謝物の濃度値ならびに前記７種類の血液生化学検査項目の検査値のうちの少なくとも１つの値に関する予め取得した評価対象（例えば動物やヒトなどの個体）の血液データに含まれている当該少なくとも１つの値、および、当該少なくとも１つの値が代入される変数を含む予め記憶部に記憶された式を用いて、式の値を算出することで、評価対象についてＭＣＩの状態を評価する（ステップＳ２１）。これにより、ＭＣＩの状態を知る上で参考となり得る信頼性の高い情報を提供することができる。
【００４７】
なお、ステップＳ２１で用いられる式は、以下に説明する式作成処理（工程１〜工程４）に基づいて作成されたものでもよい。ここで、式作成処理の概要について説明する。なお、ここで説明する処理はあくまでも一例であり、式の作成方法はこれに限定されない。
【００４８】
まず、制御部は、血液データとＭＣＩの状態を表す指標に関する指標データとを含む予め記憶部に記憶された指標状態情報（欠損値や外れ値などを持つデータが事前に除去されているものでもよい）から所定の式作成手法に基づいて、候補式（例えば、ｙ＝ａ１ｘ１＋ａ２ｘ２＋・・・＋ａｎｘｎ、ｙ：指標データ、ｘｉ：血液データ、ａｉ：定数、ｉ＝１，２，・・・，ｎ）を作成する（工程１）。
【００４９】
なお、工程１において、指標状態情報から、複数の異なる式作成手法（主成分分析や判別分析、サポートベクターマシン、重回帰分析、Ｃｏｘ回帰分析、ロジスティック回帰分析、ｋ−ｍｅａｎｓ法、クラスター解析、決定木などの多変量解析に関するものを含む。）を併用して複数の候補式を作成してもよい。具体的には、多数の健常群およびＭＣＩ群から得た血液を分析して得た血液データおよび指標データから構成される多変量データである指標状態情報に対して、複数の異なるアルゴリズムを利用して複数群の候補式を同時並行的に作成してもよい。例えば、異なるアルゴリズムを利用して判別分析およびロジスティック回帰分析を同時に行い、２つの異なる候補式を作成してもよい。また、主成分分析を行って作成した候補式を利用して指標状態情報を変換し、変換した指標状態情報に対して判別分析を行うことで候補式を作成してもよい。これにより、最終的に、評価に最適な式を作成することができる。
【００５０】
ここで、主成分分析を用いて作成した候補式は、全ての血液データの分散を最大にするような各変数を含む一次式である。また、判別分析を用いて作成した候補式は、各群内の分散の和の全ての血液データの分散に対する比を最小にするような各変数を含む高次式（指数や対数を含む）である。また、サポートベクターマシンを用いて作成した候補式は、群間の境界を最大にするような各変数を含む高次式（カーネル関数を含む）である。また、重回帰分析を用いて作成した候補式は、全ての血液データからの距離の和を最小にするような各変数を含む高次式である。また、Ｃｏｘ回帰分析を用いて作成した候補式は、対数ハザード比を含む線形モデルで、そのモデルの尤度を最大とするような各変数とその係数を含む１次式であるである。また、ロジスティック回帰分析を用いて作成した候補式は、確率の対数オッズを表す線形モデルであり、その確率の尤度を最大にするような各変数を含む一次式である。また、ｋ−ｍｅａｎｓ法とは、各血液データのｋ個近傍を探索し、近傍点の属する群の中で一番多いものをそのデータの所属群と定義し、入力された血液データの属する群と定義された群とが最も合致するような変数を選択する手法である。また、クラスター解析とは、全ての血液データの中で最も近い距離にある点同士をクラスタリング（群化）する手法である。また、決定木とは、変数に序列をつけて、序列が上位である変数の取りうるパターンから血液データの群を予測する手法である。
【００５１】
式作成処理の説明に戻り、制御部は、工程１で作成した候補式を、所定の検証手法に基づいて検証（相互検証）する（工程２）。候補式の検証は、工程１で作成した各候補式に対して行う。なお、工程２において、ブートストラップ法やホールドアウト法、Ｎ−フォールド法、リーブワンアウト法などのうち少なくとも１つに基づいて、候補式の判別率や感度、特異度、情報量基準、ＲＯＣ＿ＡＵＣ（受信者特性曲線の曲線下面積）などのうち少なくとも１つに関して検証してもよい。これにより、指標状態情報や評価条件を考慮した予測性または頑健性の高い候補式を作成することができる。
【００５２】
ここで、判別率とは、本実施形態にかかる評価手法で、真の状態が陰性である評価対象（例えば、ＭＣＩに罹患していない評価対象など）を正しく陰性と評価し、真の状態が陽性である評価対象（例えば、ＭＣＩに罹患している評価対象など）を正しく陽性と評価している割合である。また、感度とは、本実施形態にかかる評価手法で、真の状態が陽性である評価対象を正しく陽性と評価している割合である。また、特異度とは、本実施形態にかかる評価手法で、真の状態が陰性である評価対象を正しく陰性と評価している割合である。また、赤池情報量規準とは、回帰分析などの場合に，観測データが統計モデルにどの程度一致するかを表す基準であり、「−２×（統計モデルの最大対数尤度）＋２×（統計モデルの自由パラメータ数）」で定義される値が最小となるモデルを最もよいと判断する。また、ＲＯＣ＿ＡＵＣは、２次元座標上に（ｘ，ｙ）＝（１−特異度，感度）をプロットして作成される曲線である受信者特性曲線（ＲＯＣ）の曲線下面積として定義され、ＲＯＣ＿ＡＵＣの値は完全な判別では１となり、この値が１に近いほど判別性が高いことを示す。また、予測性とは、候補式の検証を繰り返すことで得られた判別率や感度、特異性を平均したものである。また、頑健性とは、候補式の検証を繰り返すことで得られた判別率や感度、特異性の分散である。
【００５３】
式作成処理の説明に戻り、制御部は、所定の変数選択手法に基づいて候補式の変数を選択することで、候補式を作成する際に用いる指標状態情報に含まれる血液データの組み合わせを選択する（工程３）。なお、工程３において、変数の選択は、工程１で作成した各候補式に対して行ってもよい。これにより、候補式の変数を適切に選択することができる。そして、工程３で選択した血液データを含む指標状態情報を用いて再び工程１を実行する。また、工程３において、工程２での検証結果からステップワイズ法、ベストパス法、近傍探索法、遺伝的アルゴリズムのうち少なくとも１つに基づいて候補式の変数を選択してもよい。なお、ベストパス法とは、候補式に含まれる変数を１つずつ順次減らしていき、候補式が与える評価指標を最適化することで変数を選択する方法である。
【００５４】
式作成処理の説明に戻り、制御部は、上述した工程１、工程２および工程３を繰り返し実行し、これにより蓄積した検証結果に基づいて、複数の候補式の中から評価の際に用いる候補式を選出することで、評価の際に用いる式を作成する（工程４）。なお、候補式の選出には、例えば、同じ式作成手法で作成した候補式の中から最適なものを選出する場合と、すべての候補式の中から最適なものを選出する場合とがある。
【００５５】
以上、説明したように、式作成処理では、指標状態情報に基づいて、候補式の作成、候補式の検証および候補式の変数の選択に関する処理を一連の流れで体系化（システム化）して実行することにより、ＭＣＩの評価に最適な式を作成することができる。換言すると、式作成処理では、前記２２種類のアミノ酸および前記３０種類のアミノ酸関連代謝物の濃度値ならびに前記７種類の血液生化学検査項目の検査値のうちの少なくとも１つの値を多変量の統計解析に用い、最適でロバストな変数の組を選択するために変数選択法とクロスバリデーションとを組み合わせて、評価性能の高い式を抽出する。
【００５６】
［２−２．第２実施形態の構成］
ここでは、第２実施形態にかかる評価システム（以下では本システムと記す場合がある。）の構成について、図３から図１４を参照して説明する。なお、本システムはあくまでも一例であり、本発明はこれに限定されない。特に、ここでは、ＭＣＩの状態を評価する際に、式の値又はその変換後の値を用いるケースを一例として記載しているが、例えば、前記２２種類のアミノ酸および前記３０種類のアミノ酸関連代謝物の濃度値ならびに前記７種類の血液生化学検査項目の検査値のうちの少なくとも１つの値又はその変換後の値（例えば濃度偏差値など）を用いてもよい。
【００５７】
まず、本システムの全体構成について図３および図４を参照して説明する。図３は本システムの全体構成の一例を示す図である。また、図４は本システムの全体構成の他の一例を示す図である。本システムは、図３に示すように、評価対象である個体についてＭＣＩの状態を評価する評価装置１００と、血液中の前記２２種類のアミノ酸および前記３０種類のアミノ酸関連代謝物の濃度値ならびに前記７種類の血液生化学検査項目の検査値のうちの少なくとも１つの値に関する個体の血液データを提供するクライアント装置２００（本発明の端末装置に相当）とを、ネットワーク３００を介して通信可能に接続して構成されている。
【００５８】
なお、本システムにおいて、評価に用いられるデータの提供元となるクライアント装置２００と評価結果の提供先となるクライアント装置２００は別々のものであってもよい。本システムは、図４に示すように、評価装置１００やクライアント装置２００の他に、評価装置１００で式を作成する際に用いる指標状態情報や、評価の際に用いる式などを格納したデータベース装置４００を、ネットワーク３００を介して通信可能に接続して構成されてもよい。これにより、ネットワーク３００を介して、評価装置１００からクライアント装置２００やデータベース装置４００へ、あるいはクライアント装置２００やデータベース装置４００から評価装置１００へ、ＭＣＩの状態を知る上で参考となる情報などが提供される。ここで、ＭＣＩの状態を知る上で参考となる情報とは、例えば、ヒトを含む生物のＭＣＩの状態に関する特定の項目について測定した値に関する情報などである。また、ＭＣＩの状態を知る上で参考となる情報は、評価装置１００やクライアント装置２００や他の装置（例えば各種の計測装置等）で生成され、主にデータベース装置４００に蓄積される。
【００５９】
つぎに、本システムの評価装置１００の構成について図５から図１１を参照して説明する。図５は、本システムの評価装置１００の構成の一例を示すブロック図であり、該構成のうち本発明に関係する部分のみを概念的に示している。
【００６０】
評価装置１００は、当該評価装置を統括的に制御するＣＰＵ（Ｃｅｎｔｒａｌ  Ｐｒｏｃｅｓｓｉｎｇ  Ｕｎｉｔ）等の制御部１０２と、ルータ等の通信装置および専用線等の有線または無線の通信回線を介して当該評価装置をネットワーク３００に通信可能に接続する通信インターフェース部１０４と、各種のデータベースやテーブルやファイルなどを格納する記憶部１０６と、入力装置１１２や出力装置１１４に接続する入出力インターフェース部１０８と、で構成されており、これら各部は任意の通信路を介して通信可能に接続されている。ここで、評価装置１００は、各種の分析装置（例えばアミノ酸分析装置等）と同一筐体で構成されてもよい。例えば、血液中の前記２２種類のアミノ酸および前記３０種類のアミノ酸関連代謝物の濃度値ならびに前記７種類の血液生化学検査項目の検査値のうちの少なくとも１つの値を算出（測定）し、算出した値を出力（印刷やモニタ表示など）する構成（ハードウェアおよびソフトウェア）を備えた小型分析装置において、後述する評価部１０２ｄをさらに備え、当該評価部１０２ｄで得られた結果を前記構成を用いて出力すること、を特徴とするものでもよい。
【００６１】
通信インターフェース部１０４は、評価装置１００とネットワーク３００（またはルータ等の通信装置）との間における通信を媒介する。すなわち、通信インターフェース部１０４は、他の端末と通信回線を介してデータを通信する機能を有する。
【００６２】
入出力インターフェース部１０８は、入力装置１１２や出力装置１１４に接続する。ここで、出力装置１１４には、モニタ（家庭用テレビを含む）の他、スピーカやプリンタを用いることができる（なお、以下では、出力装置１１４をモニタ１１４として記載する場合がある。）。入力装置１１２には、キーボードやマウスやマイクの他、マウスと協働してポインティングデバイス機能を実現するモニタを用いることができる。
【００６３】
記憶部１０６は、ストレージ手段であり、例えば、ＲＡＭ（Ｒａｎｄｏｍ  Ａｃｃｅｓｓ  Ｍｅｍｏｒｙ）・ＲＯＭ（Ｒｅａｄ  Ｏｎｌｙ  Ｍｅｍｏｒｙ）等のメモリ装置や、ハードディスクのような固定ディスク装置、フレキシブルディスク、光ディスク等を用いることができる。記憶部１０６には、ＯＳ（Ｏｐｅｒａｔｉｎｇ  Ｓｙｓｔｅｍ）と協働してＣＰＵに命令を与え各種処理を行うためのコンピュータプログラムが記録されている。記憶部１０６は、図示の如く、血液データファイル１０６ａと、指標状態情報ファイル１０６ｂと、指定指標状態情報ファイル１０６ｃと、式関連情報データベース１０６ｄと、評価結果ファイル１０６ｅと、を格納する。
【００６４】
血液データファイル１０６ａは、血液中の前記２２種類のアミノ酸および前記３０種類のアミノ酸関連代謝物の濃度値ならびに前記７種類の血液生化学検査項目の検査値のうちの少なくとも１つの値に関する血液データを格納する。図６は、血液データファイル１０６ａに格納される情報の一例を示す図である。血液データファイル１０６ａに格納される情報は、図６に示すように、評価対象である個体（サンプル）を一意に識別するための個体番号と、血液データとを相互に関連付けて構成されている。ここで、図６では、血液データを数値、すなわち連続尺度として扱っているが、血液データは名義尺度や順序尺度でもよい。なお、名義尺度や順序尺度の場合は、それぞれの状態に対して任意の数値を与えることで解析してもよい。また、血液データに、他の生体情報に関する値（上記参照）を組み合わせてもよい。
【００６５】
図５に戻り、指標状態情報ファイル１０６ｂは、式を作成する際に用いる指標状態情報を格納する。図７は、指標状態情報ファイル１０６ｂに格納される情報の一例を示す図である。指標状態情報ファイル１０６ｂに格納される情報は、図７に示すように、個体番号と、ＭＣＩの状態を表す指標（指標Ｔ１、指標Ｔ２、指標Ｔ３・・・）に関する指標データ（Ｔ）と、血液データと、を相互に関連付けて構成されている。ここで、図７では、指標データおよび血液データを数値（すなわち連続尺度）として扱っているが、指標データおよび血液データは名義尺度や順序尺度でもよい。なお、名義尺度や順序尺度の場合は、それぞれの状態に対して任意の数値を与えることで解析してもよい。また、指標データは、ＭＣＩの状態のマーカーとなる既知の指標などであり、数値データを用いてもよい。
【００６６】
図５に戻り、指定指標状態情報ファイル１０６ｃは、後述する指定部１０２ｂで指定した指標状態情報を格納する。図８は、指定指標状態情報ファイル１０６ｃに格納される情報の一例を示す図である。指定指標状態情報ファイル１０６ｃに格納される情報は、図８に示すように、個体番号と、指定した指標データと、指定した血液データと、を相互に関連付けて構成されている。
【００６７】
図５に戻り、式関連情報データベース１０６ｄは、後述する式作成部１０２ｃで作成した式を格納する式ファイル１０６ｄ１で構成される。式ファイル１０６ｄ１は、評価の際に用いる式を格納する。図９は、式ファイル１０６ｄ１に格納される情報の一例を示す図である。式ファイル１０６ｄ１に格納される情報は、図９に示すように、ランクと、式（図９では、Ｆｐ（Ｈｉｓ，・・・）やＦｐ（Ｈｉｓ，ＡＤＭＡ，ＧＡＢＡ）、Ｆｋ（Ｈｉｓ，ＡＤＭＡ，ＧＡＢＡ，・・・）など）と、各式作成手法に対応する閾値と、各式の検証結果（例えば各式の値）と、を相互に関連付けて構成されている。
【００６８】
図５に戻り、評価結果ファイル１０６ｅは、後述する評価部１０２ｄで得られた評価結果を格納する。図１０は、評価結果ファイル１０６ｅに格納される情報の一例を示す図である。評価結果ファイル１０６ｅに格納される情報は、評価対象である個体（サンプル）を一意に識別するための個体番号と、予め取得した個体の血液データと、ＭＣＩの状態に関する評価結果（例えば、後述する算出部１０２ｄ１で算出した式の値、後述する変換部１０２ｄ２で式の値を変換した後の値、後述する生成部１０２ｄ３で生成した位置情報、又は、後述する分類部１０２ｄ４で得られた分類結果、など）と、を相互に関連付けて構成されている。
【００６９】
図５に戻り、制御部１０２は、ＯＳ等の制御プログラム・各種の処理手順等を規定したプログラム・所要データなどを格納するための内部メモリを有し、これらのプログラムに基づいて種々の情報処理を実行する。制御部１０２は、図示の如く、大別して、取得部１０２ａと指定部１０２ｂと式作成部１０２ｃと評価部１０２ｄと結果出力部１０２ｅと送信部１０２ｆとを備えている。制御部１０２は、データベース装置４００から送信された指標状態情報やクライアント装置２００から送信された血液データに対して、欠損値のあるデータの除去・外れ値の多いデータの除去・欠損値のあるデータの多い変数の除去などのデータ処理も行う。
【００７０】
取得部１０２ａは、情報（具体的には、血液データや指標状態情報、式など）を取得する。例えば、取得部１０２ａは、クライアント装置２００やデータベース装置４００から送信された情報（具体的には、血液データや指標状態情報、式など）を、ネットワーク３００を介して受信することで、情報の取得を行ってもよい。なお、取得部１０２ａは、評価結果の送信先のクライアント装置２００とは異なるクライアント装置２００から送信された評価に用いられるデータを受信してもよい。また、例えば、記録媒体に記録されている情報の読み出しを行うための機構（ハードウェアおよびソフトウェアを含む）を評価装置１００が備える場合、取得部１０２ａは、記録媒体に記録されている情報（具体的には、血液データや指標状態情報、式など）を当該機構を介して読み出すことで、情報の取得を行ってもよい。指定部１０２ｂは、式を作成するにあたり対象とする指標データおよび血液データを指定する。
【００７１】
式作成部１０２ｃは、取得部１０２ａで取得した指標状態情報や指定部１０２ｂで指定した指標状態情報に基づいて式を作成する。なお、式が予め記憶部１０６の所定の記憶領域に格納されている場合には、式作成部１０２ｃは、記憶部１０６から所望の式を選択することで、式を作成してもよい。また、式作成部１０２ｃは、式を予め格納した他のコンピュータ装置（例えばデータベース装置４００）から所望の式を選択しダウンロードすることで、式を作成してもよい。
【００７２】
評価部１０２ｄは、事前に得られた式（例えば、式作成部１０２ｃで作成した式、又は、取得部１０２ａで取得した式など）、及び、取得部１０２ａで取得した個体の血液データに含まれる前記少なくとも１つの値を用いて、式の値を算出することで、個体についてＭＣＩの状態を評価する。なお、評価部１０２ｄは、前記２２種類のアミノ酸および前記３０種類のアミノ酸関連代謝物の濃度値ならびに前記７種類の血液生化学検査項目の検査値のうちの少なくとも１つの値又は当該少なくとも１つの値の変換後の値（例えば濃度偏差値）を用いて、個体についてＭＣＩの状態を評価してもよい。
【００７３】
ここで、評価部１０２ｄの構成について図１１を参照して説明する。図１１は、評価部１０２ｄの構成を示すブロック図であり、該構成のうち本発明に関係する部分のみを概念的に示している。評価部１０２ｄは、算出部１０２ｄ１と、変換部１０２ｄ２と、生成部１０２ｄ３と、分類部１０２ｄ４と、をさらに備えている。
【００７４】
算出部１０２ｄ１は、前記２２種類のアミノ酸および前記３０種類のアミノ酸関連代謝物の濃度値ならびに前記７種類の血液生化学検査項目の検査値のうちの少なくとも１つの値、および、当該少なくとも１つの値が代入される変数を少なくとも含む式を用いて、式の値を算出する。なお、評価部１０２ｄは、算出部１０２ｄ１で算出した式の値を評価結果として評価結果ファイル１０６ｅの所定の記憶領域に格納してもよい。
【００７５】
変換部１０２ｄ２は、算出部１０２ｄ１で算出した式の値を例えば上述した変換手法などで変換する。なお、評価部１０２ｄは、変換部１０２ｄ２で変換した後の値を評価結果として評価結果ファイル１０６ｅの所定の記憶領域に格納してもよい。また、変換部１０２ｄ２は、血液データに含まれている前記少なくとも１つの値を、例えば上述した変換手法などで変換してもよい。
【００７６】
生成部１０２ｄ３は、モニタ等の表示装置又は紙等の物理媒体に視認可能に示される所定の物差し上における所定の目印の位置に関する位置情報を、算出部１０２ｄ１で算出した式の値又は変換部１０２ｄ２で変換した後の値（濃度値若しくは検査値又は当該濃度値若しくは当該検査値の変換後の値でもよい）を用いて生成する。なお、評価部１０２ｄは、生成部１０２ｄ３で生成した位置情報を評価結果として評価結果ファイル１０６ｅの所定の記憶領域に格納してもよい。
【００７７】
分類部１０２ｄ４は、算出部１０２ｄ１で算出した式の値又は変換部１０２ｄ２で変換した後の値（濃度値若しくは検査値又は当該濃度値若しくは当該検査値の変換後の値でもよい）を用いて、個体を、ＭＣＩに罹患している可能性の程度を少なくとも考慮して定義された複数の区分のうちのどれか１つに分類する。
【００７８】
結果出力部１０２ｅは、制御部１０２の各処理部での処理結果（評価部１０２ｄで得られた評価結果を含む）等を出力装置１１４に出力する。
【００７９】
送信部１０２ｆは、個体の血液データの送信元のクライアント装置２００に対して評価結果を送信したり、データベース装置４００に対して、評価装置１００で作成した式や評価結果を送信したりする。なお、送信部１０２ｆは、評価に用いられるデータの送信元のクライアント装置２００とは異なるクライアント装置２００に対して評価結果を送信してもよい。
【００８０】
つぎに、本システムのクライアント装置２００の構成について図１２を参照して説明する。図１２は、本システムのクライアント装置２００の構成の一例を示すブロック図であり、該構成のうち本発明に関係する部分のみを概念的に示している。
【００８１】
クライアント装置２００は、制御部２１０とＲＯＭ２２０とＨＤ（Ｈａｒｄ  Ｄｉｓｋ）２３０とＲＡＭ２４０と入力装置２５０と出力装置２６０と入出力ＩＦ２７０と通信ＩＦ２８０とで構成されており、これら各部は任意の通信路を介して通信可能に接続されている。クライアント装置２００は、プリンタ・モニタ・イメージスキャナ等の周辺装置を必要に応じて接続した情報処理装置（例えば、既知のパーソナルコンピュータ・ワークステーション・家庭用ゲーム装置・インターネットＴＶ・ＰＨＳ（Ｐｅｒｓｏｎａｌ  Ｈａｎｄｙｐｈｏｎｅ  Ｓｙｓｔｅｍ）端末・携帯端末・移動体通信端末・ＰＤＡ（Ｐｅｒｓｏｎａｌ  Ｄｉｇｉｔａｌ  Ａｓｓｉｓｔａｎｔ）等の情報処理端末など）を基にしたものであってもよい。
【００８２】
入力装置２５０はキーボードやマウスやマイク等である。なお、後述するモニタ２６１もマウスと協働してポインティングデバイス機能を実現する。出力装置２６０は、通信ＩＦ２８０を介して受信した情報を出力する出力手段であり、モニタ（家庭用テレビを含む）２６１およびプリンタ２６２を含む。この他、出力装置２６０にスピーカ等を設けてもよい。入出力ＩＦ２７０は入力装置２５０や出力装置２６０に接続する。
【００８３】
通信ＩＦ２８０は、クライアント装置２００とネットワーク３００（またはルータ等の通信装置）とを通信可能に接続する。換言すると、クライアント装置２００は、モデムやＴＡ（Ｔｅｒｍｉｎａｌ  Ａｄａｐｔｅｒ）やルータなどの通信装置および電話回線を介して、または専用線を介してネットワーク３００に接続される。これにより、クライアント装置２００は、所定の通信規約に従って評価装置１００にアクセスすることができる。
【００８４】
制御部２１０は、受信部２１１および送信部２１２を備えている。受信部２１１は、通信ＩＦ２８０を介して、評価装置１００から送信された評価結果などの各種情報を受信する。送信部２１２は、通信ＩＦ２８０を介して、個体の血液データなどの各種情報を評価装置１００へ送信する。
【００８５】
制御部２１０は、当該制御部で行う処理の全部または任意の一部を、ＣＰＵおよび当該ＣＰＵにて解釈して実行するプログラムで実現してもよい。ＲＯＭ２２０またはＨＤ２３０には、ＯＳと協働してＣＰＵに命令を与え、各種処理を行うためのコンピュータプログラムが記録されている。当該コンピュータプログラムは、ＲＡＭ２４０にロードされることで実行され、ＣＰＵと協働して制御部２１０を構成する。また、当該コンピュータプログラムは、クライアント装置２００と任意のネットワークを介して接続されるアプリケーションプログラムサーバに記録されてもよく、クライアント装置２００は、必要に応じてその全部または一部をダウンロードしてもよい。また、制御部２１０で行う処理の全部または任意の一部を、ワイヤードロジック等によるハードウェアで実現してもよい。
【００８６】
ここで、制御部２１０は、評価装置１００に備えられている評価部１０２ｄが有する機能と同様の機能を有する評価部２１０ａ（算出部２１０ａ１、変換部２１０ａ２、生成部２１０ａ３、及び分類部２１０ａ４を含む）を備えていてもよい。そして、制御部２１０に評価部２１０ａが備えられている場合には、評価部２１０ａは、評価装置１００から送信された評価結果に含まれている情報に応じて、変換部２１０ａ２で式の値（濃度値または検査値でもよい）を変換したり、生成部２１０ａ３で式の値又は変換後の値（濃度値若しくは検査値又は当該濃度値若しくは当該検査値の変換後の値でもよい）に対応する位置情報を生成したり、分類部２１０ａ４で式の値又は変換後の値（濃度値若しくは検査値又は当該濃度値若しくは当該検査値の変換後の値でもよい）を用いて個体を複数の区分のうちのどれか１つに分類したりしてもよい。
【００８７】
つぎに、本システムのネットワーク３００について図３、図４を参照して説明する。ネットワーク３００は、評価装置１００とクライアント装置２００とデータベース装置４００とを相互に通信可能に接続する機能を有し、例えばインターネットやイントラネットやＬＡＮ（Ｌｏｃａｌ  Ａｒｅａ  Ｎｅｔｗｏｒｋ）（有線／無線の双方を含む）等である。なお、ネットワーク３００は、ＶＡＮ（Ｖａｌｕｅ−Ａｄｄｅｄ  Ｎｅｔｗｏｒｋ）や、パソコン通信網や、公衆電話網（アナログ／デジタルの双方を含む）や、専用回線網（アナログ／デジタルの双方を含む）や、ＣＡＴＶ（Ｃｏｍｍｕｎｉｔｙ  Ａｎｔｅｎｎａ  ＴｅｌｅＶｉｓｉｏｎ）網や、携帯回線交換網または携帯パケット交換網（ＩＭＴ（Ｉｎｔｅｒｎａｔｉｏｎａｌ  Ｍｏｂｉｌｅ  Ｔｅｌｅｃｏｍｍｕｎｉｃａｔｉｏｎ）２０００方式、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）方式またはＰＤＣ（Ｐｅｒｓｏｎａｌ  Ｄｉｇｉｔａｌ  Ｃｅｌｌｕｌａｒ）／ＰＤＣ−Ｐ方式等を含む）や、無線呼出網や、Ｂｌｕｅｔｏｏｔｈ（登録商標）等の局所無線網や、ＰＨＳ網や、衛星通信網（ＣＳ（Ｃｏｍｍｕｎｉｃａｔｉｏｎ  Ｓａｔｅｌｌｉｔｅ）、ＢＳ（Ｂｒｏａｄｃａｓｔｉｎｇ  Ｓａｔｅｌｌｉｔｅ）またはＩＳＤＢ（Ｉｎｔｅｇｒａｔｅｄ  Ｓｅｒｖｉｃｅｓ  Ｄｉｇｉｔａｌ  Ｂｒｏａｄｃａｓｔｉｎｇ）等を含む）等でもよい。
【００８８】
つぎに、本システムのデータベース装置４００の構成について図１３を参照して説明する。図１３は、本システムのデータベース装置４００の構成の一例を示すブロック図であり、該構成のうち本発明に関係する部分のみを概念的に示している。
【００８９】
データベース装置４００は、評価装置１００または当該データベース装置で式を作成する際に用いる指標状態情報や、評価装置１００で作成した式、評価装置１００での評価結果などを格納する機能を有する。図１３に示すように、データベース装置４００は、当該データベース装置を統括的に制御するＣＰＵ等の制御部４０２と、ルータ等の通信装置および専用線等の有線または無線の通信回路を介して当該データベース装置をネットワーク３００に通信可能に接続する通信インターフェース部４０４と、各種のデータベースやテーブルやファイル（例えばＷｅｂページ用ファイル）などを格納する記憶部４０６と、入力装置４１２や出力装置４１４に接続する入出力インターフェース部４０８と、で構成されており、これら各部は任意の通信路を介して通信可能に接続されている。
【００９０】
記憶部４０６は、ストレージ手段であり、例えば、ＲＡＭ・ＲＯＭ等のメモリ装置や、ハードディスクのような固定ディスク装置や、フレキシブルディスクや、光ディスク等を用いることができる。記憶部４０６には、各種処理に用いる各種プログラム等を格納する。通信インターフェース部４０４は、データベース装置４００とネットワーク３００（またはルータ等の通信装置）との間における通信を媒介する。すなわち、通信インターフェース部４０４は、他の端末と通信回線を介してデータを通信する機能を有する。入出力インターフェース部４０８は、入力装置４１２や出力装置４１４に接続する。ここで、出力装置４１４には、モニタ（家庭用テレビを含む）の他、スピーカやプリンタを用いることができる。また、入力装置４１２には、キーボードやマウスやマイクの他、マウスと協働してポインティングデバイス機能を実現するモニタを用いることができる。
【００９１】
制御部４０２は、ＯＳ等の制御プログラム・各種の処理手順等を規定したプログラム・所要データなどを格納するための内部メモリを有し、これらのプログラムに基づいて種々の情報処理を実行する。制御部４０２は、図示の如く、大別して、送信部４０２ａと受信部４０２ｂを備えている。送信部４０２ａは、指標状態情報や式などの各種情報を、評価装置１００へ送信する。受信部４０２ｂは、評価装置１００から送信された、式や評価結果などの各種情報を受信する。
【００９２】
なお、本説明では、評価装置１００が、血液データの取得から、式の値の算出、個体の区分への分類、そして評価結果の送信までを実行し、クライアント装置２００が評価結果の受信を実行するケースを例として挙げたが、クライアント装置２００に評価部２１０ａが備えられている場合は、評価装置１００は式の値の算出を実行すれば十分であり、例えば式の値の変換、位置情報の生成、及び、個体の区分への分類などは、評価装置１００とクライアント装置２００とで適宜分担して実行してもよい。
例えば、クライアント装置２００は、評価装置１００から式の値を受信した場合には、評価部２１０ａは、変換部２１０ａ２で式の値を変換したり、生成部２１０ａ３で式の値又は変換後の値に対応する位置情報を生成したり、分類部２１０ａ４で式の値又は変換後の値を用いて個体を複数の区分のうちのどれか１つに分類したりしてもよい。
また、クライアント装置２００は、評価装置１００から変換後の値を受信した場合には、評価部２１０ａは、生成部２１０ａ３で変換後の値に対応する位置情報を生成したり、分類部２１０ａ４で変換後の値を用いて個体を複数の区分のうちのどれか１つに分類したりしてもよい。
また、クライアント装置２００は、評価装置１００から式の値又は変換後の値と位置情報とを受信した場合には、評価部２１０ａは、分類部２１０ａ４で式の値又は変換後の値を用いて個体を複数の区分のうちのどれか１つに分類してもよい。
【００９３】
［２−３．他の実施形態］
本発明にかかる評価装置、算出装置、評価方法、算出方法、評価プログラム、算出プログラム、記録媒体、評価システムおよび端末装置は、上述した第２実施形態以外にも、請求の範囲に記載した技術的思想の範囲内において種々の異なる実施形態にて実施されてよいものである。
【００９４】
また、第２実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【００９５】
このほか、上記文献中や図面中で示した処理手順、制御手順、具体的名称、各処理の登録データや検索条件等のパラメータを含む情報、画面例、データベース構成については、特記する場合を除いて任意に変更することができる。
【００９６】
また、評価装置１００に関して、図示の各構成要素は機能概念的なものであり、必ずしも物理的に図示の如く構成されていることを要しない。
【００９７】
例えば、評価装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。尚、プログラムは、情報処理装置に本発明にかかる評価方法または算出方法を実行させるためのプログラム化された命令を含む一時的でないコンピュータ読み取り可能な記録媒体に記録されており、必要に応じて評価装置１００に機械的に読み取られる。すなわち、ＲＯＭまたはＨＤＤ（Ｈａｒｄ  Ｄｉｓｋ  Ｄｒｉｖｅ）などの記憶部１０６などには、ＯＳと協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【００９８】
また、このコンピュータプログラムは評価装置１００に対して任意のネットワークを介して接続されたアプリケーションプログラムサーバに記憶されていてもよく、必要に応じてその全部または一部をダウンロードすることも可能である。
【００９９】
また、本発明にかかる評価プログラムまたは算出プログラムを、一時的でないコンピュータ読み取り可能な記録媒体に格納してもよく、また、プログラム製品として構成することもできる。ここで、この「記録媒体」とは、メモリーカード、ＵＳＢ（Ｕｎｉｖｅｒｓａｌ  Ｓｅｒｉａｌ  Ｂｕｓ）メモリ、ＳＤ（Ｓｅｃｕｒｅ  Ｄｉｇｉｔａｌ）カード、フレキシブルディスク、光磁気ディスク、ＲＯＭ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）（登録商標）、ＣＤ−ＲＯＭ（Ｃｏｍｐａｃｔ  Ｄｉｓｃ  Ｒｅａｄ  Ｏｎｌｙ  Ｍｅｍｏｒｙ）、ＭＯ（Ｍａｇｎｅｔｏ−Ｏｐｔｉｃａｌ  ｄｉｓｋ）、ＤＶＤ（Ｄｉｇｉｔａｌ  Ｖｅｒｓａｔｉｌｅ  Ｄｉｓｋ）、および、Ｂｌｕ−ｒａｙ（登録商標）  Ｄｉｓｃ等の任意の「可搬用の物理媒体」を含むものとする。
【０１００】
また、「プログラム」とは、任意の言語または記述方法にて記述されたデータ処理方法であり、ソースコードまたはバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施形態に示した各装置において記録媒体を読み取るための具体的な構成および読み取り手順ならびに読み取り後のインストール手順等については、周知の構成や手順を用いることができる。
【０１０１】
記憶部１０６に格納される各種のデータベース等は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【０１０２】
また、評価装置１００は、既知のパーソナルコンピュータまたはワークステーション等の情報処理装置として構成してもよく、また、任意の周辺装置が接続された当該情報処理装置として構成してもよい。また、評価装置１００は、当該情報処理装置に本発明の評価方法または算出方法を実現させるソフトウェア（プログラムまたはデータ等を含む）を実装することにより実現してもよい。
【０１０３】
更に、装置の分散・統合の具体的形態は図示するものに限られず、その全部または一部を、各種の付加等に応じてまたは機能負荷に応じて、任意の単位で機能的または物理的に分散・統合して構成することができる。すなわち、上述した実施形態を任意に組み合わせて実施してもよく、実施形態を選択的に実施してもよい。
【実施例１】
【０１０４】
ＭＣＩの確定診断が行われた６５歳以上のＭＣＩ患者（ＭＣＩ群：５６名）、及び、認知機能が健常と考えられる６５歳以上の健常高齢者（健常群：７３名）の血漿サンプルから、前述のアミノ酸分析法（Ａ）により血中代謝物濃度を測定した。【０１０５】
以下に列挙したデータを用いて、ＭＣＩ群と健常群の判別能を評価した。
・２２種類のアミノ酸（ａＡＢＡ、Ａｌａ、Ａｒｇ、Ａｓｎ、Ｃｉｔ、Ｇｌｕ、Ｇｌｎ、Ｇｌｙ、Ｈｉｓ、Ｉｌｅ、Ｌｅｕ、Ｌｙｓ、Ｍｅｔ、Ｏｒｎ、Ｐｈｅ、Ｐｒｏ、Ｓｅｒ、Ｔｈｒ、Ｔｒｐ、Ｔｙｒ、ＶａｌおよびＴａｕｒｉｎｅ）の血漿中濃度値（ｎｍｏｌ／ｍｌ）
・２７種類のアミノ酸関連代謝物（１−ＭｅＨｉｓ、３−ＭｅＨｉｓ、ａＡＡＡ、ａＡｉＢＡ、ＡＤＭＡ、Ａｌｌｙｌ  Ｃｙｓ、ｂＡＢＡ、ｂＡｉＢＡ、Ｃｙｓｔａｔｈｉｏｎｉｎｅ、Ｃｙｓｔｅｉｃ  ａｃｉｄ、ＥｔＧｌｙ、ＧＡＢＡ、ｈＡｒｇ、Ｈｙｐｏｔａｕｒｉｎｅ、Ｈｙｐｒｏ、Ｋｙｎ、Ｎ６−ＡｃＬｙｓ、Ｎ８−ＡｃＳｐｄ、Ｏｐｔｈａｌｍｉｃ  ａｃｉｄ、ＰＥＡ、Ｐｉｐｅｃｏｌｉｃ  ａｃｉｄ、Ｐｕｔ、Ｓａｒ、ＳＤＭＡ、Ｓｐｄ、ＳｐｍおよびＴｈｉｏｐｒｏｌｉｎｅ）の血漿中濃度値（ｎｍｏｌ／ｍｌ）
・４種類のアミノ酸関連代謝物（ＭｅＣｙｓ、Ｐｙｒａｚｏｌｅ−１−Ａｌａ、ＭＣＳＯ１およびＭＣＳＯ２）のピーク面積値
・４種類の代謝物比（Ｋｙｎ／Ｔｒｐ、Ｋｙｎ／ＢＣＡＡ、ＭＣＳＯ２／ＭｅＣｙｓおよびＭＣＳＯ１／ＭＣＳＯ２）
・ＢＣＡＡの血漿中濃度値（Ｖａｌ、ＬｅｕおよびＩｌｅの血漿中濃度値の合計値）
・ＥＡＡの血漿中濃度値（Ｈｉｓ、Ｉｌｅ、Ｌｅｕ、Ｌｙｓ、Ｍｅｔ、Ｐｈｅ、Ｔｈｒ、ＴｒｐおよびＶａｌの血漿中濃度値の合計値）【０１０６】
なお、ＭＣＳＯ１およびＭＣＳＯ２は、以下の通り定義した。
健常者（３２名）から採取したプール血漿にアセトニトリルを添加し除蛋白処理を行った後、標識試薬（３−アミノピリジル−Ｎ−ヒドロキシスクシンイミジルカルバメート）を用いてプレカラム誘導体化を行い、下記分析条件に従って、液体クロマトグラフ質量分析計（ＬＣ‐ＭＳ/ＭＳ）により分析を行った。得られた抽出イオンクロマトグラム（図１４）で検出されたピークのうち、２．３分付近および２．５分付近のピークをそれぞれＭＣＳＯ１、ＭＣＳＯ２とした。
＜分析条件＞
（１）液体クロマトグラフ質量分析計（ＬＣ‐ＭＳ/ＭＳ）：ＨＰＬＣシステム「１２９０ＩｎｆｉｎｉｔｙＩＩ」（アジレント社）、質量分析システム「６４９５Ｂ  Ｔｒｉｐｌｅ  Ｑｕａｄ  ＬＣ／ＭＳ」（アジレント社）
（２）分析カラム：「Ｉｎｅｒｔｃｉｌ  ＯＤＳ−３（粒子径：２．０μｍ、内径：２．１ｍｍ、長さ：１５０ｍｍ）」（ジーエルサイエンス社）
（３）カラム温度：５０℃
（４）溶離液Ａ：ＡＰＤＳアミノタグワコー用溶離液（和光純薬工業）
（５）溶離液Ｂ：アセトニトリル／水（６０：４０、ｖ／ｖ）
（６）流量：０．５ｍＬ／ｍｉｎ
（７）移動相の勾配条件（時間と、溶離液Ｂの比率）：
０．００分〜  ３．５０分：６％
３．５０分〜  ５．００分：６％〜８％
５．００分〜  ７．００分：８％〜２０％
７．００分〜  ８．５０分：２０％
８．５０分〜  ９．５０分：２０％〜２５％
９．５０分〜１２．００分：２５％
１２．００分〜１２．０１分：２５％〜３５％
１２．０１分〜１４．００分：３５％〜８０％
１４．００分〜１４．０１分：８０％〜９５％
１４．０１分〜１６．００分：９５％
１６．００分〜１６．１０分：９５％〜６％
１６．１０分〜１９．００分：６％
（８）イオン化法：エレクトロスプレー  ポジティブモード
（９）スキャンタイプ：Ｓｅｌｅｃｔｅｄ  ｒｅａｃｔｉｏｎ  ｍｏｎｉｔｏｒｉｎｇ【０１０７】
このＭＣＳＯ１およびＭＣＳＯ２について、別途構造解析を行った。構造決定にあたり、健常者（３２名）から採取したプール血漿にアセトニトリルを添加し除蛋白処理を行ったサンプルおよびＳ−ｍｅｔｈｙｌｓｙｓｔｅｉｎｅ  ｓｕｌｆｏｘｉｄｅ標準物質（Ｓａｎｔａ  Ｃｒｕｚ  Ｂｉｏｔｅｃｈｎｏｌｏｇｙ社  製品番号ｓｃ−２０４８９９）について、標識試薬（３−アミノピリジル−Ｎ−ヒドロキシスクシンイミジルカルバメート）を用いてプレカラム誘導体化を行い、下記分析条件に従って、液体クロマトグラフ質量分析計（ＬＣ‐ＭＳ/ＭＳ）により分析を行った。得られた抽出イオンクロマトグラムで１．７分付近および１．８分付近に検出されたピークの保持時間が、血漿サンプルと標準物質について一致した（図１５）。更に、血漿及び標準物質の精密質量は理論値（２７２．０７００）と一致したことから、該当ピークをＳ−ｍｅｔｈｙｌｓｙｓｔｅｉｎｅ  ｓｕｌｆｏｘｉｄｅと構造決定した。なお、Ｓ−ｍｅｔｈｙｌｓｙｓｔｅｉｎｅ  ｓｕｌｆｏｘｉｄｅは、ジアステレオマー混合物（(+)-S-Carboxymethyl-L-cysteine（ＲＳ体）と(-)-S-Carboxymethyl-L-cysteine（ＲＲ体）の混合物）であるため、ピークが２本検出される。なお、天然に多く存在するのはＲＳ体である。
＜分析条件＞
（１）液体クロマトグラフ質量分析計（ＬＣ‐ＭＳ/ＭＳ）：ＨＰＬＣシステム「ＵＦＬＣ  Ｓｙｓｔｅｍ」（島津製作所社）、質量分析システム「Ｑ−ＥｘａｃｔｉｖｅＴＭＰｌｕｓ」（サーモフィッシャーサイエンティフィック社）
（２）分析カラム：「Ｉｎｅｒｔｃｉｌ  ＯＤＳ−３（粒子径：２．０μｍ、内径：２．１ｍｍ、長さ：１００ｍｍ）（ジーエルサイエンス社）
（３）カラム温度：５０℃
（４）溶離液Ａ：ＡＰＤＳアミノタグワコー用溶離液（和光純薬工業）
（５）溶離液Ｂ：アセトニトリル／水（６０：４０、ｖ／ｖ）
（６）流量：０．５ｍＬ／ｍｉｎ
（７）移動相の勾配条件（時間と、溶離液Ｂの比率）：
０．００分〜  ０．０１分：５％〜６％
０．０１分〜  ３．５０分：６％
３．５０分〜  ５．００分：６％〜８％
５．００分〜  ６．００分：８％〜２０％
６．００分〜  ８．５０分：２０％
８．５０分〜  ９．５０分：２０％〜２４％
９．５０分〜１２．００分：２４％
１２．００分〜１２．０１分：２４％〜３５％
１２．０１分〜１５．００分：３５％〜８０％
１５．００分〜１５．１０分：８０％〜９５％
１５．１０分〜１７．００分：９５％
１７．０１分〜１９．００分：５％
（８）イオン化法：エレクトロスプレー  ポジティブモード
（９）スキャンタイプ：フルスキャンモード【０１０８】
健常群とＭＣＩ群の血中濃度について帰無仮説を「両群の平均値が等しい」とした場合の検定（マン・ホイットニーのＵ検定）において、健常群に対して有意（ｐ＜０．０５）であったアミノ酸およびアミノ酸関連代謝物は、Ｔａｕｒｉｎｅ、Ｓｐｄ、ＰＥＡ、ＭＣＳＯ２、Ｐｙｒａｚｏｌｅ−１−Ａｌａ、ＭｅＣｙｓ、ＭＣＳＯ２／ＭｅＣｙｓ、Ｐｕｔ、Ｌｙｓ、Ｈｉｓ、ＭＣＳＯ１／ＭＣＳＯ２、ｈＡｒｇ、Ｔｈｒ、Ａｌａ、ＥＡＡ、Ｍｅｔ、Ｈｙｐｏｔａｕｒｉｎｅ、ａＡＢＡおよびＫｙｎ／ＢＣＡＡであった。【０１０９】
また、図１６に、各アミノ酸および各アミノ酸関連代謝物を用いたロジスティック回帰の結果（ＲＯＣ＿ＡＵＣ値）を示した。ＲＯＣ＿ＡＵＣが０．５９５以上であったアミノ酸およびアミノ酸関連代謝物は、Ｔａｕｒｉｎｅ、Ｓｐｄ、ＰＥＡ、ＭＣＳＯ２、Ｐｙｒａｚｏｌｅ−１−Ａｌａ、ＭｅＣｙｓ、ＭＣＳＯ２／ＭｅＣｙｓ、Ｐｕｔ、Ｌｙｓ、Ｈｉｓ、ＭＣＳＯ１／ＭＣＳＯ２、ｈＡｒｇ、Ｔｈｒ、Ａｌａ、ＥＡＡ、Ｍｅｔ、Ｈｙｐｏｔａｕｒｉｎｅ、ａＡＢＡ、Ｋｙｎ／ＢＣＡＡ、ＯｒｎおよびＫｙｎ／Ｔｒｐであった。Ｔａｕｒｉｎｅ、Ｓｐｄ、ＰＥＡ、ＭＣＳＯ２、ＭｅＣｙｓ、ＭＣＳＯ２／ＭｅＣｙｓ、Ｐｕｔ、Ｌｙｓ、Ｈｉｓ、ｈＡｒｇ、Ｔｈｒ、Ａｌａ、ＥＡＡ、Ｍｅｔ、Ｈｙｐｏｔａｕｒｉｎｅ、ａＡＢＡおよびＯｒｎはＭＣＩ群で減少し、Ｐｙｒａｚｏｌｅ−１−Ａｌａ、ＭＣＳＯ１／ＭＣＳＯ２、Ｋｙｎ／ＢＣＡＡおよびＫｙｎ／ＴｒｐはＭＣＩ群で増加した。これらの代謝物の濃度値は、健常の状態を考慮した、ＭＣＩの状態の評価において有用なものであると考えられる。
【実施例２】
【０１１０】
実施例１で得られたサンプルデータを用いた。血漿中の代謝物濃度値が代入される変数を含む、ＭＣＩ群と健常群との２群を判別するための多変量判別式（多変量関数）を求めた。【０１１１】
多変量判別式としてロジスティック回帰式を用いた。ロジスティック回帰式に含める２個の変数の組み合わせを、実施例１に記載した、前記２２種類のアミノ酸の血漿中濃度値、前記２７種類のアミノ酸関連代謝物の血漿中濃度値、前記４種類のアミノ酸関連代謝物のピーク面積値および前記４種類の代謝物比から探索し、ＭＣＩ群と健常群の判別能が良好なロジスティック回帰式の探索を実施した。【０１１２】
ＭＣＩ群と健常群のＲＯＣ＿ＡＵＣ値が０．７００以上で、変数の個数が２個のロジスティック回帰式の一覧を、以下の［１．２変数の式］に示した。これらのロジスティック回帰式は、ＲＯＣ＿ＡＵＣ値が高いことから、前記の評価において有用なものであると考えられる。なお、以下の［１．２変数の式］には、各式に関して、式に含まれる変数とＲＯＣ＿ＡＵＣ値が示されている（以下同様）。
【実施例３】
【０１１３】
実施例１で用いたサンプルデータを用いた。血漿中の代謝物濃度値が代入される変数を含む、ＭＣＩ群と健常群との２群を判別するための多変量判別式（多変量関数）を求めた。【０１１４】
多変量判別式としてロジスティック回帰式を用いた。ロジスティック回帰式に含める３個の変数の組み合わせを、実施例２と同様に、前記２２種類のアミノ酸の血漿中濃度値、前記２７種類のアミノ酸関連代謝物の血漿中濃度値、前記４種類のアミノ酸関連代謝物のピーク面積値および前記４種類の代謝物比から探索し、ＭＣＩ群と健常群の判別能が良好なロジスティック回帰式の探索を実施した。【０１１５】
ＭＣＩ群と健常群のＲＯＣ＿ＡＵＣ値が０．７５０以上で、変数の個数が３個のロジスティック回帰式の一覧を、以下の［２．３変数の式］に示した。これらのロジスティック回帰式は、ＲＯＣ＿ＡＵＣ値が高いことから、前記の評価において有用なものであると考えられる。
【実施例４】
【０１１６】
実施例１で用いたサンプルデータを用いた。血漿中の代謝物濃度値と年齢が代入される変数を含む、ＭＣＩ群と健常群との２群を判別するための多変量判別式（多変量関数）を求めた。【０１１７】
多変量判別式としてロジスティック回帰式を用いた。ロジスティック回帰式に含める、４個の変数の組み合わせを、前記２２種類のアミノ酸の血漿中濃度値、前記２７種類のアミノ酸関連代謝物の血漿中濃度値、前記４種類のアミノ酸関連代謝物のピーク面積値および前記４種類の代謝物比ならびに年齢から探索し、ＭＣＩ群と健常群の判別能が良好なロジスティック回帰式の探索を実施した。【０１１８】
上記で得られたロジスティック回帰式のうち、ＭＣＩ群と健常群のＲＯＣ＿ＡＵＣ値が年齢を変数に組み込むことで上昇した式の中から、年齢変数有りの上位２０式を図１７に示した。【０１１９】
なお、上記で得られたロジスティック回帰式のうち以下の［２．３変数の式］で示された３４８５式に年齢の変数を加えることでＲＯＣ＿ＡＵＣ値が上昇した組み合わせは３０５３式だった。年齢の変数を加えることで大多数のロジスティック回帰式のＲＯＣ＿ＡＵＣ値は改善することから、年齢を変数に加えることは前記の評価において有用なものであると考えられる。
【実施例５】
【０１２０】
実施例１で用いたサンプルデータを用いた。血漿中の代謝物濃度値が代入される変数を含む、ＭＣＩ群と健常群との２群を判別するための多変量判別式（多変量関数）を求めた。【０１２１】
多変量判別式としてロジスティック回帰式を用いた。ロジスティック回帰式に含める６個の変数の組み合わせを、前記２２種類のアミノ酸の血漿中濃度値、前記２７種類のアミノ酸関連代謝物の血漿中濃度値、前記４種類のアミノ酸関連代謝物のピーク面積値および前記４種類の代謝物比から探索し、ＭＣＩ群と健常群の判別能が良好なロジスティック回帰式の探索を実施した。なお、欠損値が多い組み合わせを除くため、計算に用いる事が出来るデータ数がＭＣＩ群と健常群を合計して７０より少なかった６変数の組み合わせ式は探索結果から除外した。【０１２２】
上記で得られたロジスティック回帰式のうちＲＯＣ＿ＡＵＣが０．９００以上の３５９，６０３通りの式に含まれるアミノ酸・アミノ酸関連代謝物変数の出現頻度を求め、図１８に示した。【０１２３】
これより、Ｔａｕｒｉｎｅ、Ｐｙｒａｚｏｌｅ−１−Ａｌａ、１−ＭｅＨｉｓ、Ｓｐｄ、Ｋｙｎ／ＢＣＡＡ、ＳＤＭＡ、Ｋｙｎ、Ｋｙｎ／Ｔｒｐ、３−ＭｅＨｉｓおよびＴｈｉｏｐｒｏｌｉｎｅの出現頻度は３５，０００回以上と高いことが示された。特に、ＳｐｄおよびＫｙｎ／ＢＣＡＡの出現頻度は４０，０００回以上と高いことが示された。更に、Ｔａｕｒｉｎｅ、Ｐｙｒａｚｏｌｅ−１−Ａｌａおよび１−ＭｅＨｉｓの出現頻度は１００，０００回以上と高いことが示された。【０１２４】
更に、２種のアミノ酸・アミノ酸関連代謝物変数の組み合わせの出現頻度を求め、図１９に示した。【０１２５】
これより、以下の２種のアミノ酸・アミノ酸関連代謝物変数の組み合わせの出現頻度は１０，０００回以上と高いことが示された。
Taurine,Pyrazole-1-Ala;Taurine,1-MeHis;Taurine,Spd;Taurine,Kyn/BCAA;Taurine,SDMA;Taurine,Kyn;Taurine,Kyn/Trp;Taurine,3-MeHis;Taurine,Cit;Taurine,Thioproline;Taurine,hArg;Taurine,GABA;Taurine,Put;Taurine,His;Taurine,Cystathionine;Taurine,Leu;Taurine,Ile;Taurine,MCSO1/MCSO2;Taurine,Val;Asn,Taurine;Taurine,N8-AcSpd;Taurine,Tyr;Taurine,Lys;Taurine,aABA;Gln,Taurine;Ser,Taurine;Taurine,Trp;Taurine,Arg;Taurine,Hypro;Taurine,MCSO2;Taurine,ADMA;Taurine,Met;Taurine,bAiBA;Taurine,bABA;Taurine,Phe;Taurine,Ala;Gly,Taurine;Taurine,Orn;Taurine,Thr;Taurine,Pro;Taurine,MCSO1;Taurine,N6-AcLys;Taurine,MeCys;Glu,Taurine;1-MeHis,Pyrazole-1-Ala;Taurine,aAAA;1-MeHis,Spd;Pyrazole-1-Ala,Spd;Taurine,Hypotaurine;Taurine,MCSO2/MeCys;Pyrazole-1-Ala,Thioproline;Lys,Pyrazole-1-Ala;1-MeHis,Kyn/BCAA;Pyrazole-1-Ala,hArg;Pyrazole-1-Ala,N8-AcSpd;Thr,Pyrazole-1-Ala;Pyrazole-1-Ala,GABA;His,Pyrazole-1-Ala;1-MeHis,SDMA;Pyrazole-1-Ala,Put;Ile,Pyrazole-1-Ala;Pyrazole-1-Ala,MCSO1/MCSO2;1-MeHis,Kyn;1-MeHis,Kyn/Trp;Tyr,Pyrazole-1-Ala;Val,Pyrazole-1-Ala;Pyrazole-1-Ala,Cystathionine;Pyrazole-1-Ala,Kyn/Trp;aABA,Pyrazole-1-Ala;Pro,Pyrazole-1-Ala;Cit,Pyrazole-1-Ala;Pyrazole-1-Ala,MeCys;Pyrazole-1-Ala,Kyn;Gln,Pyrazole-1-Ala;Taurine,Opthalmic acid;Pyrazole-1-Ala,bAiBA;Pyrazole-1-Ala,MCSO2;Ser,Pyrazole-1-Ala;Pyrazole-1-Ala,Kyn/BCAA;Leu,Pyrazole-1-Ala;Pyrazole-1-Ala,SDMA;Taurine,Cysteic acid;Glu,Pyrazole-1-Ala;Pyrazole-1-Ala,bABA;Asn,Pyrazole-1-Ala;Arg,Pyrazole-1-Ala;Taurine,Pipecolic acid;Trp,Pyrazole-1-Ala;Phe,Pyrazole-1-Ala;Met,Pyrazole-1-Ala;Taurine,Sar;Pyrazole-1-Ala,Hypro;1-MeHis,3-MeHis;Gly,Pyrazole-1-Ala;Ala,Pyrazole-1-Ala;ADMA,Pyrazole-1-Ala;3-MeHis,Pyrazole-1-Ala;Orn,Pyrazole-1-Ala;Pyrazole-1-Ala,MCSO1;aAAA,Pyrazole-1-Ala;1-MeHis,Cit;1-MeHis,hArg;Pyrazole-1-Ala,Hypotaurine;Pyrazole-1-Ala,N6-AcLys;1-MeHis,His;Pyrazole-1-Ala,Cysteic acid;1-MeHis,MCSO2;1-MeHis,Put;1-MeHis,GABA;Pyrazole-1-Ala,Sar;Pyrazole-1-Ala,Pipecolic acid;1-MeHis,N8-AcSpd;1-MeHis,Cystathionine;Lys,1-MeHis;1-MeHis,N6-AcLys;1-MeHis,MCSO2/MeCys;1-MeHis,Thioproline;Pyrazole-1-Ala,MCSO2/MeCys;1-MeHis,MCSO1/MCSO2;Leu,1-MeHis;Asn,1-MeHis;1-MeHis,ADMA;1-MeHis,Ile;Tyr,1-MeHis;1-MeHis,Hypro;1-MeHis,Val;Gln,1-MeHis;1-MeHis,Trp;Arg,1-MeHis;aABA,1-MeHis;Ser,1-MeHis;1-MeHis,Met;1-MeHis,bAiBA;Phe,1-MeHis【０１２６】
特に、以下の２種のアミノ酸・アミノ酸関連代謝物変数の組み合わせの出現頻度は２０，０００回以上と高いことが示された。
Taurine,Kyn/BCAA;Taurine,SDMA;Taurine,Kyn;Taurine,Kyn/Trp;Taurine,3-MeHis;Taurine,Cit;Taurine,Thioproline;Taurine,hArg;Taurine,GABA;Taurine,Put;Taurine,His;Taurine,Cystathionine;Taurine,Leu;Taurine,Ile;Taurine,MCSO1/MCSO2;Taurine,Val;Asn,Taurine;Taurine,N8-AcSpd;Taurine,Tyr;Taurine,Lys;Taurine,aABA;Gln,Taurine;Ser,Taurine;Taurine,Trp;Taurine,Arg;Taurine,Hypro;Taurine,MCSO2;Taurine,ADMA;Taurine,Met;Taurine,bAiBA;Taurine,bABA;Taurine,Phe;Taurine,Ala;Gly,Taurine;Taurine,Orn;Taurine,Thr;Taurine,Pro;Taurine,MCSO1;Taurine,N6-AcLys;Taurine,MeCys;Glu,Taurine;1-MeHis,Pyrazole-1-Ala;Taurine,aAAA;1-MeHis,Spd;Pyrazole-1-Ala,Spd;Taurine,Hypotaurine;Taurine,MCSO2/MeCys【０１２７】
更に、TaurineとPyrazole-1-Alaの組み合わせの出現頻度、Taurineと1-MeHisの組み合わせの出現頻度およびTaurineとSpdの組み合わせの出現頻度は６０，０００回以上と高いことが示された。
【実施例６】
【０１２８】
ＭＣＩの確定診断が行われた６０歳以上のＭＣＩ患者（ＭＣＩ群：１２０名）、及び、認知機能が健常と考えられる６０歳以上の健常高齢者（健常群：１２０名）の血清サンプルからＢＣＰ改良法により血中アルブミン濃度を測定した。【０１２９】
アルブミンの血清中濃度値（ｇ／ｄＬ）のデータを用いて、ＭＣＩ群と健常群の判別能をＲＯＣ＿ＡＵＣで評価したところ、ＲＯＣ＿ＡＵＣ値は０．６１５であった。アルブミンの濃度値は、健常の状態を考慮した、ＭＣＩの状態の評価において有用なものであると考えられる。
【実施例７】
【０１３０】
ＭＣＩの確定診断が行われた６０歳以上のＭＣＩ患者（ＭＣＩ群：１２０名）、及び、認知機能が健常と考えられる６０歳以上の健常高齢者（健常群：１２０名）の血漿サンプル、及び血清サンプルを用いた。血漿サンプルから前述のアミノ酸分析法（Ａ）により血中アミノ酸濃度を、血清サンプルからＢＣＰ改良法により血中アルブミン濃度を測定した。【０１３１】
血清中のアルブミン濃度値が代入される変数と血漿中のアミノ酸濃度値が代入される変数を含む、ＭＣＩ群と健常群との２群を判別するための多変量判別式（多変量関数）を求めた。【０１３２】
多変量判別式としてロジスティック回帰式を用いた。ロジスティック回帰式に含める２個の変数の組み合わせ（アルブミンの変数（Ａｌｂ）を必須とする）を、アルブミンの血清中濃度値（ｇ／ｄＬ）および１９種類のアミノ酸（Ａｌａ，Ａｒｇ，Ａｓｎ，Ｃｉｔ，Ｇｌｎ，Ｇｌｙ，Ｈｉｓ，Ｉｌｅ，Ｌｅｕ，Ｌｙｓ，Ｍｅｔ，Ｏｒｎ，Ｐｈｅ，Ｐｒｏ，Ｓｅｒ，Ｔｈｒ，Ｔｒｐ，Ｔｙｒ，Ｖａｌ）の血漿中濃度値（ｎｍｏｌ／ｍｌ）から探索し、ＭＣＩ群と健常群の判別能が良好なロジスティック回帰式の探索を実施した。【０１３３】
ＭＣＩ群と健常群のＲＯＣ＿ＡＵＣ値が実施例６に記載した０．６１５以上で、変数の個数が２個のロジスティック回帰式の一覧を、図２０に示した。これらのロジスティック回帰式は、ＲＯＣ＿ＡＵＣ値が高いことから、前記の評価において有用なものであると考えられる。
【実施例８】
【０１３４】
実施例７で用いたサンプルデータを用いた。血清中のアルブミン濃度値が代入される変数と血漿中のアミノ酸濃度値が代入される変数を含む、ＭＣＩ群と健常群との２群を判別するための多変量判別式（多変量関数）を求めた。【０１３５】
多変量判別式としてロジスティック回帰式を用いた。ロジスティック回帰式に含める３個の変数の組み合わせ（アルブミンの変数を必須とする）を、実施例７と同様に、アルブミンの血清中濃度値および上記１９種類のアミノ酸の血漿中濃度値から探索し、ＭＣＩ群と健常群の判別能が良好なロジスティック回帰式の探索を実施した。【０１３６】
ＭＣＩ群と健常群のＲＯＣ＿ＡＵＣ値が図２０に記載した０．６４８以上で、変数の個数が３個のロジスティック回帰式の一覧を、図２１に示した。これらのロジスティック回帰式は、ＲＯＣ＿ＡＵＣ値が高いことから、前記の評価において有用なものであると考えられる。
【実施例９】
【０１３７】
実施例７で用いたサンプルデータを用いた。血清中のアルブミン濃度値が代入される変数と血漿中のアミノ酸濃度値が代入される変数を含む、ＭＣＩ群と健常群との２群を判別するための多変量判別式（多変量関数）を求めた。【０１３８】
多変量判別式としてロジスティック回帰式を用いた。ロジスティック回帰式に含める６個の変数の組み合わせ（アルブミンの変数を必須とする）を、実施例７と同様に、アルブミンの血清中濃度値および上記１９種類のアミノ酸の血漿中濃度値から探索し、ＭＣＩ群と健常群の判別能が良好なロジスティック回帰式の探索を実施した。【０１３９】
上記で得られたロジスティック回帰式（１１，６２８通り（＝１９Ｃ５））のうち、ＲＯＣ＿ＡＵＣが０．７０以上の１３５通りの式に含まれるアミノ酸変数の出現頻度を求め、図２２に示した。【０１４０】
これより、Ｔｒｐ、Ｐｒｏ、Ｌｙｓ、Ｍｅｔ、Ｃｉｔ、ＳｅｒおよびＧｌｙの出現頻度は２０回以上と高いことが示された。特に、ＭｅｔおよびＣｉｔの出現頻度は３０回以上と高いことが示された。更に、Ｔｒｐ、ＰｒｏおよびＬｙｓの出現頻度は１００回以上と高いことが示された。【０１４１】
更に、上記１３５通りの式に含まれる２種のアミノ酸変数の組み合わせの出現頻度を求め、図２３に示した。【０１４２】
これより、以下の２種のアミノ酸変数の組み合わせの出現頻度は１０回以上と高いことが示された。
Pro,Trp;Lys,Trp;Pro,Lys;Met,Trp;Pro,Met;Cit,Trp;Cit,Pro;Ser,Trp;Ser,Lys;Gly,Trp;Gly,Lys;Met,Lys;His,Trp;Arg,Trp;Ser,Pro;Asn,Trp;Gly,Pro;His,Pro;His,Lys;Thr,Trp;Cit,Met;Cit,Lys;Arg,Pro;Pro,Ile;Pro,Leu;Pro,Phe;Tyr,Trp;Ile,Trp;Leu,Trp;Phe,Trp;Asn,Pro;Asn,Lys;Thr,Pro;Thr,Lys;Ala,Pro;Ala,Trp;Arg,Lys;Pro,Tyr;Pro,Val;Pro,Orn;Tyr,Lys;Val,Trp;Orn,Trp;Lys,Phe;Ala,Lys;Val,Lys;Orn,Lys;Lys,Ile;Lys,Leu【０１４３】
特に、以下の２種のアミノ酸変数の組み合わせの出現頻度は２０回以上と高いことが示された。
Met,Trp;Pro,Met;Cit,Trp;Cit,Pro;Ser,Trp;Ser,Lys;Gly,Trp;Gly,Lys【０１４４】
更に、ProとTrpの組み合わせの出現頻度、LysとTrpの組み合わせの出現頻度およびProとLysの組み合わせの出現頻度は１００回以上と高いことが示された。【０１４５】
また、上記で得られたロジスティック回帰式（１１，６２８通り）のうちＲＯＣ＿ＡＵＣの上位１００通りの式について、式に含まれる変数とＲＯＣ＿ＡＵＣ値を、以下に示した。これらのロジスティック回帰式は、ＲＯＣ＿ＡＵＣ値が高いことから、前記の評価において有用なものであると考えられる。
Alb, Ser, Cit, Pro, Met, Trp, 0.717;  Alb, Cit, Pro, Met, Lys, Trp, 0.716;  Alb, Arg, Pro, Met, Lys, Trp, 0.712;  Alb, His, Cit, Pro, Met, Trp, 0.710;  Alb, Cit, Pro, Met, Phe, Trp, 0.710;  Alb, Cit, Pro, Met, Leu, Trp, 0.710;  Alb, Ser, Gly, Pro, Lys, Trp, 0.709;  Alb, Cit, Pro, Met, Orn, Trp, 0.709;  Alb, Cit, Pro, Lys, Phe, Trp, 0.709;  Alb, Cit, Pro, Val, Met, Trp, 0.709;  Alb, Cit, Arg, Pro, Met, Trp, 0.708;  Alb, Asn, Cit, Pro, Met, Trp, 0.708;  Alb, Gly, Cit, Pro, Met, Trp, 0.708;  Alb, Thr, Cit, Pro, Met, Trp, 0.708;  Alb, Cit, Pro, Met, Ile, Trp, 0.708;  Alb, Ser, Pro, Met, Lys, Trp, 0.708;  Alb, Gln, Cit, Pro, Met, Trp, 0.708;  Alb, Ala, Cit, Pro, Met, Trp, 0.708;  Alb, Cit, Pro, Tyr, Met, Trp, 0.708;  Alb, Pro, Met, Orn, Lys, Trp, 0.707;  Alb, His, Cit, Pro, Lys, Trp, 0.707;  Alb, Thr, Cit, Pro, Lys, Trp, 0.707;  Alb, Gln, Pro, Met, Lys, Trp, 0.706;  Alb, Gly, Pro, Lys, Phe, Trp, 0.705;  Alb, Pro, Tyr, Met, Lys, Trp, 0.705;  Alb, Pro, Met, Lys, Ile, Trp, 0.705;  Alb, Ser, Asn, Gly, Lys, Trp, 0.705;  Alb, Ser, Asn, Pro, Lys, Trp, 0.705;  Alb, Pro, Met, Lys, Leu, Trp, 0.705;  Alb, Gly, Arg, Pro, Lys, Trp, 0.705;  Alb, Gly, Pro, Met, Lys, Trp, 0.705;  Alb, Cit, Pro, Lys, Leu, Trp, 0.705;  Alb, Gly, Cit, Pro, Lys, Trp, 0.705;  Alb, Thr, Pro, Met, Lys, Trp, 0.705;  Alb, Cit, Pro, Tyr, Lys, Trp, 0.705;  Alb, Pro, Lys, Ile, Leu, Trp, 0.705;  Alb, Pro, Val, Met, Lys, Trp, 0.705;  Alb, Ser, Gly, Thr, Lys, Trp, 0.705;  Alb, Pro, Lys, Ile, Phe, Trp, 0.705;  Alb, Ala, Cit, Pro, Lys, Trp, 0.704;  Alb, Ala, Pro, Met, Lys, Trp, 0.704;  Alb, Ser, His, Pro, Lys, Trp, 0.704;  Alb, Asn, Cit, Pro, Lys, Trp, 0.704;  Alb, Gly, Pro, Orn, Lys, Trp, 0.704;  Alb, Cit, Arg, Pro, Lys, Trp, 0.704;  Alb, Ser, Cit, Met, Lys, Trp, 0.704;  Alb, Thr, Arg, Pro, Lys, Trp, 0.704;  Alb, Cit, Pro, Orn, Lys, Trp, 0.704;  Alb, His, Pro, Val, Lys, Trp, 0.704;  Alb, Ser, Arg, Pro, Lys, Trp, 0.704;  Alb, His, Pro, Lys, Leu, Trp, 0.704;  Alb, Ala, Pro, Orn, Lys, Trp, 0.704;  Alb, Ser, Pro, Lys, Phe, Trp, 0.704;  Alb, Cit, Pro, Lys, Ile, Trp, 0.704;  Alb, His, Thr, Pro, Lys, Trp, 0.704;  Alb, Thr, Pro, Lys, Ile, Trp, 0.704;  Alb, Pro, Val, Orn, Lys, Trp, 0.704;  Alb, Pro, Orn, Lys, Ile, Trp, 0.704;  Alb, Pro, Orn, Lys, Phe, Trp, 0.704;  Alb, Ser, Cit, Pro, Lys, Trp, 0.704;  Alb, Cit, Pro, Val, Lys, Trp, 0.704;  Alb, Pro, Orn, Lys, Leu, Trp, 0.704;  Alb, His, Pro, Met, Lys, Trp, 0.704;  Alb, His, Pro, Orn, Lys, Trp, 0.704;  Alb, Thr, Pro, Tyr, Lys, Trp, 0.704;  Alb, Pro, Met, Lys, Phe, Trp, 0.703;  Alb, Gly, His, Pro, Lys, Trp, 0.703;  Alb, Gln, Thr, Pro, Lys, Trp, 0.703;  Alb, His, Pro, Lys, Ile, Trp, 0.703;  Alb, Thr, Pro, Val, Lys, Trp, 0.703;  Alb, Ala, Pro, Lys, Ile, Trp, 0.703;  Alb, Gly, Pro, Lys, Ile, Trp, 0.703;  Alb, Ser, Pro, Orn, Lys, Trp, 0.703;  Alb, Asn, Pro, Orn, Lys, Trp, 0.703;  Alb, His, Ala, Pro, Lys, Trp, 0.703;  Alb, Arg, Pro, Lys, Phe, Trp, 0.703;  Alb, Gly, Pro, Lys, Leu, Trp, 0.703;  Alb, Asn, Arg, Pro, Lys, Trp, 0.703;  Alb, Gly, Thr, Pro, Lys, Trp, 0.703;  Alb, His, Pro, Tyr, Lys, Trp, 0.703;  Alb, Thr, Pro, Orn, Lys, Trp, 0.703;  Alb, Ser, Ala, Pro, Lys, Trp, 0.703;  Alb, Ser, Pro, Lys, Ile, Trp, 0.703;  Alb, Pro, Tyr, Lys, Phe, Trp, 0.703;  Alb, Thr, Ala, Pro, Lys, Trp, 0.703;  Alb, Thr, Pro, Lys, Phe, Trp, 0.703;  Alb, Asn, Pro, Met, Lys, Trp, 0.702;  Alb, Pro, Val, Lys, Phe, Trp, 0.702;  Alb, His, Pro, Lys, Phe, Trp, 0.702;  Alb, Ala, Pro, Tyr, Lys, Trp, 0.702;  Alb, Pro, Lys, Leu, Phe, Trp, 0.702;  Alb, Ser, Thr, Pro, Lys, Trp, 0.702;  Alb, Arg, Pro, Orn, Lys, Trp, 0.702;  Alb, Ser, Gly, Met, Lys, Trp, 0.702;  Alb, Ser, Arg, Pro, Met, Trp, 0.702;  Alb, Ser, Pro, Val, Lys, Trp, 0.702;  Alb, Gln, Cit, Pro, Lys, Trp, 0.702;  Alb, Ser, Gly, His, Lys, Trp, 0.702;  Alb, Gly, Pro, Tyr, Lys, Trp, 0.702;  Alb, Gly, Pro, Val, Lys, Trp, 0.702;
【実施例１０】
【０１４６】
ＭＣＩの確定診断が行われた６０歳以上のＭＣＩ患者（ＭＣＩ群：１４７名）、及び、認知機能が健常と考えられる６０歳以上の健常高齢者（健常群：３８名）の血清サンプルからＣＬＥＩＡ法により血中葉酸濃度を測定した。【０１４７】
葉酸の血清中濃度値（ｎｇ／ｍＬ）のデータを用いて、ＭＣＩ群と健常群の判別能をＲＯＣ＿ＡＵＣで評価したところ、ＲＯＣ＿ＡＵＣ値は０．６７９であった。葉酸の濃度値は、健常の状態を考慮した、ＭＣＩの状態の評価において有用なものであると考えられる。
【実施例１１】
【０１４８】
ＭＣＩの確定診断が行われた６０歳以上のＭＣＩ患者（ＭＣＩ群：１４７名）、及び、認知機能が健常と考えられる６０歳以上の健常高齢者（健常群：３８名）の血漿サンプル、及び血清サンプルを用いた。血漿サンプルから前述のアミノ酸分析法（Ａ）により血中アミノ酸濃度を、血清サンプルからＣＬＥＩＡ法により血中葉酸濃度を、血清サンプルからＢＣＰ改良法により血中アルブミン濃度を測定した。【０１４９】
血清中の葉酸濃度値が代入される変数と血清中のアルブミン濃度値または血漿中のアミノ酸濃度値が代入される変数を含む、ＭＣＩ群と健常群との２群を判別するための多変量判別式（多変量関数）を求めた。【０１５０】
多変量判別式としてロジスティック回帰式を用いた。ロジスティック回帰式に含める２個の変数の組み合わせ（葉酸の変数（Ｆｏｌａｔｅ）を必須とする）を、葉酸の血清中濃度値（ｎｇ／ｍＬ）、アルブミンの血清中濃度値（ｇ／ｄＬ）および上記１９種類のアミノ酸の血漿中濃度値（ｎｍｏｌ／ｍｌ）から探索し、ＭＣＩ群と健常群の判別能が良好なロジスティック回帰式の探索を実施した。【０１５１】
ＭＣＩ群と健常群のＲＯＣ＿ＡＵＣ値が実施例１０に記載した０．６７９以上で、変数の個数が２個のロジスティック回帰式の一覧を、図２４に示した。これらのロジスティック回帰式は、ＲＯＣ＿ＡＵＣ値が高いことから、前記の評価において有用なものであると考えられる。
【実施例１２】
【０１５２】
実施例１１で用いたサンプルデータを用いた。血清中の葉酸濃度値が代入される変数と、血清中のアルブミン濃度値または血漿中のアミノ酸濃度値が代入される変数を含む、ＭＣＩ群と健常群との２群を判別するための多変量判別式（多変量関数）を求めた。【０１５３】
多変量判別式としてロジスティック回帰式を用いた。ロジスティック回帰式に含める３個の変数の組み合わせ（葉酸の変数を必須とする）を、実施例１１と同様に、葉酸の血清中濃度値、アルブミンの血清中濃度値および上記１９種類のアミノ酸の血漿中濃度値から探索し、ＭＣＩ群と健常群の判別能が良好なロジスティック回帰式の探索を実施した。【０１５４】
ＭＣＩ群と健常群のＲＯＣ＿ＡＵＣ値が図２４に記載した０．７１２以上で、変数の個数が３個のロジスティック回帰式の一覧を、図２５に示した。これらのロジスティック回帰式は、ＲＯＣ＿ＡＵＣ値が高いことから、前記の評価において有用なものであると考えられる。
【実施例１３】
【０１５５】
実施例１１で用いたサンプルデータを用いた。血清中の葉酸濃度値が代入される変数と血清中のアルブミン濃度値または血漿中のアミノ酸濃度値が代入される変数を含む、ＭＣＩ群と健常群との２群を判別するための多変量判別式（多変量関数）を求めた。【０１５６】
多変量判別式としてロジスティック回帰式を用いた。ロジスティック回帰式に含める６個の変数の組み合わせ（葉酸の変数を必須とする）を、実施例１１と同様に、葉酸の血清中濃度値、アルブミンの血清中濃度値および上記１９種類のアミノ酸の血漿中濃度値から探索し、ＭＣＩ群と健常群の判別能が良好なロジスティック回帰式の探索を実施した。【０１５７】
上記で得られたロジスティック回帰式（１５，５０４通り（＝２０Ｃ５））のうち、ＲＯＣ＿ＡＵＣが０．７５以上の５８８通りの式に含まれるアミノ酸・アルブミン変数の出現頻度を求め、図２６に示した。【０１５８】
これより、Ａｌｂ、Ｔｙｒ、Ｔｈｒ、Ｏｒｎ、Ｐｈｅ、Ｍｅｔ、Ｇｌｙ、ＡｌａおよびＡｓｎの出現頻度は１００回以上と高いことが示された。特に、Ｔｈｒ、ＯｒｎおよびＰｈｅの出現頻度は２００回以上と高いことが示された。更に、ＡｌｂおよびＴｙｒの出現頻度は１００回以上と高いことが示された。【０１５９】
更に、上記５８８通りの式に含まれる２種のアミノ酸・アルブミン変数の組み合わせの出現頻度を求め、図２７に示した。【０１６０】
これより、以下の２種のアミノ酸・アルブミン変数の組み合わせの出現頻度は４０回以上と高いことが示された。
Alb,Tyr;Thr,Tyr;Alb,Orn;Tyr,Orn;Alb,Thr;Alb,Phe;Alb,Met;Tyr,Met;Thr,Phe;Alb,Gly;Orn,Phe;Tyr,Phe;Thr,Orn;Asn,Tyr;Alb,Ala;Alb,Ser;Alb,Val;Tyr,Ala;Alb,Trp;Gly,Phe;Cit,Tyr;Ser,Tyr;Tyr,Trp;Alb,Gln;Asn,Thr;Gly,Tyr;Alb,Asn;Gln,Tyr;Alb,Leu;Tyr,Val;Arg,Tyr;Alb,His;Tyr,Leu;Alb,Ile;Thr,Ala;Alb,Lys;Ala,Phe;Met,Phe;Alb,Cit;Tyr,Ile;Alb,Arg;Thr,Cit;Alb,Pro;Asn,Orn;Gly,Orn;Tyr,Lys;Gly,Thr;Ser,Thr;His,Tyr;Tyr,Pro;Thr,Arg【０１６１】
特に、以下の２種のアミノ酸・アルブミン変数の組み合わせの出現頻度は１００回以上と高いことが示された。
Tyr,Orn;Alb,Thr;Alb,Phe;Alb,Met;Tyr,Met;Thr,Phe;Alb,Gly【０１６２】
更に、AlbとTyrの組み合わせの出現頻度、ThrとTyrの組み合わせの出現頻度およびAlbとOrnの組み合わせの出現頻度は２００回以上と高いことが示された。【０１６３】
また、上記で得られたロジスティック回帰式（１５，５０４通り）のうちＲＯＣ＿ＡＵＣの上位１００通りの式について、式に含まれる変数とＲＯＣ＿ＡＵＣ値を、以下に示した。これらのロジスティック回帰式は、ＲＯＣ＿ＡＵＣ値が高いことから、前記の評価において有用なものであると考えられる。
folate, Alb, Thr, Tyr, Orn, Phe, 0.779; folate, Alb, Asn, Thr, Tyr, Orn, 0.774; folate, Alb, Thr, Cit, Tyr, Orn, 0.774; folate, Alb, Gly, Thr, Tyr, Orn, 0.774; folate, Alb, Thr, Ala, Tyr, Orn, 0.772; folate, Alb, Asn, Tyr, Met, Orn, 0.772; folate, Alb, Ser, Thr, Tyr, Orn, 0.772; folate, Alb, Thr, Tyr, Orn, Lys, 0.771; folate, Alb, Thr, Pro, Tyr, Orn, 0.771; folate, Alb, Gln, Thr, Tyr, Orn, 0.771; folate, Alb, Ala, Tyr, Met, Orn, 0.771; folate, Alb, Cit, Tyr, Met, Orn, 0.771; folate, Alb, Thr, Tyr, Met, Orn, 0.771; folate, Alb, Ser, Ala, Tyr, Orn, 0.770; folate, Alb, Thr, Tyr, Orn, Ile, 0.770; folate, Alb, Thr, Arg, Tyr, Orn, 0.770; folate, Asn, Thr, Cit, Tyr, Orn, 0.770; folate, Alb, Thr, Tyr, Orn, Trp, 0.769; folate, Alb, Gly, Tyr, Met, Orn, 0.769; folate, Alb, Tyr, Met, Orn, Phe, 0.769; folate, Alb, Gly, Thr, Orn, Phe, 0.769; folate, Alb, Tyr, Met, Orn, Ile, 0.769; folate, Alb, Ser, Tyr, Met, Orn, 0.769; folate, Alb, Tyr, Val, Met, Orn, 0.768; folate, Alb, Thr, Tyr, Orn, Leu, 0.767; folate, Alb, Thr, Tyr, Val, Orn, 0.767; folate, Alb, Tyr, Met, Orn, Lys, 0.767; folate, Alb, Gly, Thr, Tyr, Phe, 0.767; folate, Alb, Thr, Tyr, Met, Phe, 0.766; folate, Thr, Cit, Tyr, Orn, Phe, 0.766; folate, Alb, Tyr, Met, Orn, Leu, 0.766; folate, Alb, His, Tyr, Met, Orn, 0.766; folate, Alb, Pro, Tyr, Met, Orn, 0.766; folate, Alb, Gln, Tyr, Met, Orn, 0.766; folate, Alb, His, Thr, Tyr, Orn, 0.766; folate, Alb, Gly, Tyr, Val, Orn, 0.765; folate, Alb, Gly, Val, Orn, Phe, 0.765; folate, Alb, Asn, Gly, Thr, Tyr, 0.765; folate, Alb, Arg, Tyr, Met, Orn, 0.765; folate, Alb, Gln, Thr, Tyr, Phe, 0.764; folate, Alb, Asn, Thr, Tyr, Met, 0.764; folate, Alb, Gly, Tyr, Orn, Leu, 0.764; folate, Alb, Gln, Ala, Tyr, Orn, 0.764; folate, Alb, Ala, Pro, Tyr, Orn, 0.764; folate, Alb, Asn, Gln, Thr, Tyr, 0.764; folate, Alb, Gly, Ala, Tyr, Orn, 0.764; folate, Alb, Gly, Orn, Leu, Phe, 0.764; folate, Alb, Ser, Thr, Orn, Phe, 0.764; folate, Thr, Arg, Tyr, Orn, Phe, 0.764; folate, Alb, Ser, Gln, Tyr, Orn, 0.764; folate, Alb, Thr, Ala, Tyr, Trp, 0.764; folate, Alb, Ser, Tyr, Val, Orn, 0.763; folate, Alb, Gly, Tyr, Orn, Lys, 0.763; folate, Alb, Gly, Cit, Tyr, Orn, 0.763; folate, Alb, Ala, Cit, Tyr, Orn, 0.763; folate, Alb, Asn, Thr, Tyr, Trp, 0.763; folate, Alb, Thr, Tyr, Leu, Phe, 0.763; folate, Alb, Ala, Tyr, Val, Orn, 0.763; folate, Alb, Ala, Tyr, Orn, Ile, 0.763; folate, Ser, Asn, Thr, Tyr, Orn, 0.763; folate, Asn, Thr, Tyr, Orn, Phe, 0.763; folate, Alb, Ala, Tyr, Orn, Lys, 0.762; folate, Alb, Ser, Gly, Tyr, Orn, 0.762; folate, Alb, Gly, Ala, Orn, Phe, 0.762; folate, Alb, Thr, Tyr, Met, Trp, 0.762; folate, Alb, Ala, Arg, Tyr, Orn, 0.762; folate, Alb, Ser, Asn, Tyr, Orn, 0.762; folate, Alb, Gly, Met, Orn, Phe, 0.762; folate, Alb, Ala, Tyr, Orn, Leu, 0.762; folate, Alb, Asn, Thr, Tyr, Phe, 0.762; folate, Alb, Gly, Tyr, Orn, Phe, 0.762; folate, Alb, Ser, Thr, Tyr, Phe, 0.762; folate, Alb, Ser, Tyr, Orn, Leu, 0.762; folate, Alb, Gly, His, Orn, Phe, 0.762; folate, Alb, Gly, Thr, Arg, Tyr, 0.762; folate, Alb, Gln, Pro, Tyr, Orn, 0.762; folate, Alb, Thr, Cit, Tyr, Phe, 0.762; folate, Alb, Thr, Tyr, Val, Trp, 0.762; folate, Alb, Ser, Tyr, Orn, Lys, 0.761; folate, Alb, Ser, Tyr, Orn, Phe, 0.761; folate, Alb, Asn, Tyr, Met, Phe, 0.761; folate, Alb, Gly, Thr, Leu, Phe, 0.761; folate, Alb, Thr, Ala, Tyr, Phe, 0.761; folate, Alb, Thr, Tyr, Leu, Trp, 0.761; folate, Alb, Ala, Tyr, Orn, Phe, 0.761; folate, Alb, Gly, Thr, Val, Phe, 0.761; folate, Alb, His, Ala, Tyr, Orn, 0.761; folate, Alb, Thr, Tyr, Ile, Trp, 0.761; folate, Alb, Ser, Cit, Tyr, Orn, 0.761; folate, Alb, Asn, Thr, Orn, Phe, 0.761; folate, Alb, His, Tyr, Orn, Phe, 0.761; folate, Alb, Gly, Tyr, Orn, Ile, 0.761; folate, Alb, Thr, Ala, Orn, Phe, 0.761; folate, Alb, Thr, Cit, Orn, Phe, 0.761; folate, Alb, Asn, Gly, Orn, Phe, 0.761; folate, Alb, Gln, Tyr, Val, Orn, 0.761; folate, Alb, Thr, Tyr, Lys, Phe, 0.761; folate, Alb, Gly, Gln, Thr, Tyr, 0.761; folate, Alb, Gly, Gln, Tyr, Orn, 0.761; folate, Alb, Gln, Thr, Cit, Tyr, 0.761
【実施例１４】
【０１６４】
ＭＣＩの確定診断が行われた６０歳以上のＭＣＩ患者（ＭＣＩ群：１２０名）、及び、認知機能が健常と考えられる６０歳以上の健常高齢者（健常群：８７名）の全血サンプルから半導体レーザーを使用したフローサイトメトリー法により血中白血球数を測定した。【０１６５】
全血中の白血球数（／μＬ）のデータを用いて、ＭＣＩ群と健常群の判別能をＲＯＣ＿ＡＵＣで評価したところ、ＲＯＣ＿ＡＵＣ値は０．５８０であった。白血球数は、健常の状態を考慮した、ＭＣＩの状態の評価において有用なものであると考えられる。
【実施例１５】
【０１６６】
ＭＣＩの確定診断が行われた６０歳以上のＭＣＩ患者（ＭＣＩ群：１２０名）、及び、認知機能が健常と考えられる６０歳以上の健常高齢者（健常群：８７名）の血漿サンプル、全血サンプル、及び血清サンプルを用いた。血漿サンプルから前述のアミノ酸分析法（Ａ）により血中アミノ酸濃度を、全血サンプルから半導体レーザーを使用したフローサイトメトリー法により血中白血球数を、血清サンプルからＢＣＰ改良法により血中アルブミン濃度を測定した。【０１６７】
全血中の白血球数が代入される変数と血清中のアルブミン濃度値または血漿中のアミノ酸濃度値が代入される変数を含む、ＭＣＩ群と健常群との２群を判別するための多変量判別式（多変量関数）を求めた。【０１６８】
多変量判別式としてロジスティック回帰式を用いた。ロジスティック回帰式に含める２個の変数の組み合わせ（血中白血球数の変数（ＷＢＣ）を必須とする）を、血中白血球数（／μＬ）、アルブミンの血清中濃度値（ｇ／ｄＬ）および上記１９種類のアミノ酸の血漿中濃度値（ｎｍｏｌ／ｍｌ）から探索し、ＭＣＩ群と健常群の判別能が良好なロジスティック回帰式の探索を実施した。【０１６９】
ＭＣＩ群と健常群のＲＯＣ＿ＡＵＣ値が実施例１４に記載した０．５８０以上で、変数の個数が２個のロジスティック回帰式の一覧を、図２８に示した。これらのロジスティック回帰式は、ＲＯＣ＿ＡＵＣ値が高いことから、前記の評価において有用なものであると考えられる。
【実施例１６】
【０１７０】
実施例１５で用いたサンプルデータを用いた。全血中の白血球数が代入される変数と、血清中のアルブミン濃度値または血漿中のアミノ酸濃度値が代入される変数を含む、ＭＣＩ群と健常群との２群を判別するための多変量判別式（多変量関数）を求めた。【０１７１】
多変量判別式としてロジスティック回帰式を用いた。ロジスティック回帰式に含める３個の変数の組み合わせ（血中白血球数の変数を必須とする）を、実施例１５と同様に、全血中の白血球数、アルブミンの血清中濃度値および上記１９種類のアミノ酸の血漿中濃度値から探索し、ＭＣＩ群と健常群の判別能が良好なロジスティック回帰式の探索を実施した。【０１７２】
ＭＣＩ群と健常群のＲＯＣ＿ＡＵＣ値が図２８に記載した０．６３５以上で、変数の個数が３個のロジスティック回帰式の一覧を、図２９に示した。これらのロジスティック回帰式は、ＲＯＣ＿ＡＵＣ値が高いことから、前記の評価において有用なものであると考えられる。
【実施例１７】
【０１７３】
ＭＣＩの確定診断が行われた６０歳以上のＭＣＩ患者（ＭＣＩ群：１２０名）、及び、認知機能が健常と考えられる６０歳以上の健常高齢者（健常群：８７名）の全血サンプルからシースフロー直流電流検出方式により血中赤血球数を測定した。【０１７４】
全血中の赤血球数（×１０４／μＬ）のデータを用いて、ＭＣＩ群と健常群の判別能をＲＯＣ＿ＡＵＣで評価したところ、ＲＯＣ＿ＡＵＣ値は０．５６２であった。血中赤血球数は、健常の状態を考慮した、ＭＣＩの状態の評価において有用なものであると考えられる。
【実施例１８】
【０１７５】
ＭＣＩの確定診断が行われた６０歳以上のＭＣＩ患者（ＭＣＩ群：１２０名）、及び、認知機能が健常と考えられる６０歳以上の健常高齢者（健常群：８７名）の血漿サンプル、全血サンプル、及び血清サンプルを用いた。血漿サンプルから前述のアミノ酸分析法（Ａ）により血中アミノ酸濃度を、全血サンプルからシースフロー直流電流検出方式により血中赤血球数を、血清サンプルからＢＣＰ改良法により血中アルブミン濃度を測定した。【０１７６】
全血中の赤血球数が代入される変数と、血清中のアルブミン濃度値または血漿中のアミノ酸濃度値が代入される変数を含む、ＭＣＩ群と健常群との２群を判別するための多変量判別式（多変量関数）を求めた。【０１７７】
多変量判別式としてロジスティック回帰式を用いた。ロジスティック回帰式に含める２個の変数の組み合わせ（血中赤血球数の変数（ＲＢＣ）を必須とする）を、血中赤血球数（×１０４／μＬ）、アルブミンの血清中濃度値（ｇ／ｄＬ）および上記１９種類のアミノ酸の血漿中濃度値（ｎｍｏｌ／ｍｌ）から探索し、ＭＣＩ群と健常群の判別能が良好なロジスティック回帰式の探索を実施した。【０１７８】
ＭＣＩ群と健常群のＲＯＣ＿ＡＵＣ値が実施例１７に記載した０．５６２以上で、変数の個数が２個のロジスティック回帰式の一覧を、図３０に示した。これらのロジスティック回帰式は、ＲＯＣ＿ＡＵＣ値が高いことから、前記の評価において有用なものであると考えられる。
【実施例１９】
【０１７９】
実施例１８で用いたサンプルデータを用いた。全血中の赤血球数が代入される変数と、血清中のアルブミン濃度値または血漿中のアミノ酸濃度値が代入される変数を含む、ＭＣＩ群と健常群との２群を判別するための多変量判別式（多変量関数）を求めた。【０１８０】
多変量判別式としてロジスティック回帰式を用いた。ロジスティック回帰式に含める３個の変数の組み合わせ（血中赤血球数の変数を必須とする）を、実施例１８と同様に、全血中の赤血球数、アルブミンの血清中濃度値および上記１９種類のアミノ酸の血漿中濃度値から探索し、ＭＣＩ群と健常群の判別能が良好なロジスティック回帰式の探索を実施した。【０１８１】
ＭＣＩ群と健常群のＲＯＣ＿ＡＵＣ値が図３０に記載した０．６３９以上で、変数の個数が３個のロジスティック回帰式の一覧を、図３１に示した。これらのロジスティック回帰式は、ＲＯＣ＿ＡＵＣ値が高いことから、前記の評価において有用なものであると考えられる。
【実施例２０】
【０１８２】
ＭＣＩの確定診断が行われた６０歳以上のＭＣＩ患者（ＭＣＩ群：１２０名）、及び、認知機能が健常と考えられる６０歳以上の健常高齢者（健常群：８７名）の全血サンプルからＳＬＳ−ヘモグロビン法により血色素量を測定した。【０１８３】
全血中の血色素量（ｇ／ｄＬ）のデータを用いて、ＭＣＩ群と健常群の判別能をＲＯＣ＿ＡＵＣで評価したところ、ＲＯＣ＿ＡＵＣ値は０．５１３であった。血色素量は、健常の状態を考慮した、ＭＣＩの状態の評価において有用なものであると考えられる。
【実施例２１】
【０１８４】
ＭＣＩの確定診断が行われた６０歳以上のＭＣＩ患者（ＭＣＩ群：１２０名）、及び、認知機能が健常と考えられる６０歳以上の健常高齢者（健常群：８７名）の血漿サンプル、全血サンプル、及び血清サンプルを用いた。血漿サンプルから前述のアミノ酸分析法（Ａ）により血中アミノ酸濃度を、全血サンプルからＳＬＳ−ヘモグロビン法により血色素量を、血清サンプルからＢＣＰ改良法により血中アルブミン濃度を測定した。【０１８５】
全血中の血色素量が代入される変数と、血清中のアルブミン濃度値または血漿中のアミノ酸濃度が代入される変数を含む、ＭＣＩ群と健常群との２群を判別するための多変量判別式（多変量関数）を求めた。【０１８６】
多変量判別式としてロジスティック回帰式を用いた。ロジスティック回帰式に含める２個の変数の組み合わせ（血色素量の変数（Ｈｂ）を必須とする）を、血色素量（ｇ／ｄＬ）、アルブミンの血清中濃度値（ｇ／ｄＬ）および上記１９種類のアミノ酸の血漿中濃度値（ｎｍｏｌ／ｍｌ）から探索し、ＭＣＩ群と健常群の判別能が良好なロジスティック回帰式の探索を実施した。【０１８７】
ＭＣＩ群と健常群のＲＯＣ＿ＡＵＣ値が実施例２０に記載した０．５１３以上で、変数の個数が２個のロジスティック回帰式の一覧を、図３２に示した。これらのロジスティック回帰式は、ＲＯＣ＿ＡＵＣ値が高いことから、前記の評価において有用なものであると考えられる。
【実施例２２】
【０１８８】
実施例２１で用いたサンプルデータを用いた。全血中の血色素量が代入される変数と、血清中のアルブミン濃度値または血漿中のアミノ酸濃度値が代入される変数を含む、ＭＣＩ群と健常群との２群を判別するための多変量判別式（多変量関数）を求めた。【０１８９】
多変量判別式としてロジスティック回帰式を用いた。ロジスティック回帰式に含める３個の変数の組み合わせ（血色素量の変数を必須とする）を、実施例２１と同様に、全血中の血色素量、アルブミンの血清中濃度値および上記１９種類のアミノ酸の血漿中濃度値から探索し、ＭＣＩ群と健常群の判別能が良好なロジスティック回帰式の探索を実施した。【０１９０】
ＭＣＩ群と健常群のＲＯＣ＿ＡＵＣ値が図３２に記載した０．６３５以上で、変数の個数が３個のロジスティック回帰式の一覧を、図３３に示した。これらのロジスティック回帰式は、ＲＯＣ＿ＡＵＣ値が高いことから、前記の評価において有用なものであると考えられる。
【実施例２３】
【０１９１】
ＭＣＩの確定診断が行われた６０歳以上のＭＣＩ患者（ＭＣＩ群：１２０名）、及び、認知機能が健常と考えられる６０歳以上の健常高齢者（健常群：８７名）の全血サンプルから赤血球パルス波高値検出法によりヘマトクリット値を測定した。【０１９２】
全血中のヘマトクリット値（％）のデータを用いて、ＭＣＩ群と健常群の判別能をＲＯＣ＿ＡＵＣで評価したところ、ＲＯＣ＿ＡＵＣ値は０．５５５であった。ヘマトクリット値は、健常の状態を考慮した、ＭＣＩの状態の評価において有用なものであると考えられる。
【実施例２４】
【０１９３】
ＭＣＩの確定診断が行われた６０歳以上のＭＣＩ患者（ＭＣＩ群：１２０名）、及び、認知機能が健常と考えられる６０歳以上の健常高齢者（健常群：８７名）の血漿サンプル、全血サンプル、及び血清サンプルを用いた。血漿サンプルから前述のアミノ酸分析法（Ａ）により血中アミノ酸濃度を、全血サンプルから赤血球パルス波高値検出法によりヘマトクリット値を、血清サンプルからＢＣＰ改良法により血中アルブミン濃度を測定した。【０１９４】
全血中のヘマトクリット値が代入される変数と、血清中のアルブミン濃度値または血漿中のアミノ酸濃度値が代入される変数を含む、ＭＣＩ群と健常群との２群を判別するための多変量判別式（多変量関数）を求めた。【０１９５】
多変量判別式としてロジスティック回帰式を用いた。ロジスティック回帰式に含める２個の変数の組み合わせ（ヘマトクリット値の変数（Ｈｔ）を必須とする）を、ヘマトクリット値（％）、アルブミンの血清中濃度値（ｇ／ｄＬ）および上記１９種類のアミノ酸の血漿中濃度値（ｎｍｏｌ／ｍｌ）から探索し、ＭＣＩ群と健常群の判別能が良好なロジスティック回帰式の探索を実施した。【０１９６】
ＭＣＩ群と健常群のＲＯＣ＿ＡＵＣ値が実施例２３に記載した０．５５５以上で、変数の個数が２個のロジスティック回帰式の一覧を、図３４に示した。これらのロジスティック回帰式は、ＲＯＣ＿ＡＵＣ値が高いことから、前記の評価において有用なものであると考えられる。
【実施例２５】
【０１９７】
実施例２４で用いたサンプルデータを用いた。全血中のヘマトクリット値が代入される変数と、血清中のアルブミン濃度値または血漿中のアミノ酸濃度値が代入される変数を含む、ＭＣＩ群と健常群との２群を判別するための多変量判別式（多変量関数）を求めた。【０１９８】
多変量判別式としてロジスティック回帰式を用いた。ロジスティック回帰式に含める３個の変数の組み合わせ（ヘマトクリット値の変数を必須とする）を、実施例２４と同様に、全血中のヘマトクリット値、アルブミンの血清中濃度値および上記１９種類のアミノ酸の血漿中濃度値から探索し、ＭＣＩ群と健常群の判別能が良好なロジスティック回帰式の探索を実施した。【０１９９】
ＭＣＩ群と健常群のＲＯＣ＿ＡＵＣ値が図３４に記載した０．６３３以上で、変数の個数が３個のロジスティック回帰式の一覧を、図３５に示した。これらのロジスティック回帰式は、ＲＯＣ＿ＡＵＣ値が高いことから、前記の評価において有用なものであると考えられる。
【実施例２６】
【０２００】
ＭＣＩの確定診断が行われた６０歳以上のＭＣＩ患者（ＭＣＩ群：１２０名）、及び、認知機能が健常と考えられる６０歳以上の健常高齢者（健常群：８７名）の全血サンプルからシースフロー直流電流検出方式により血中血小板数を測定した。【０２０１】
全血中の血小板数（×１０４／μＬ）のデータを用いて、ＭＣＩ群と健常群の判別能をＲＯＣ＿ＡＵＣで評価したところ、ＲＯＣ＿ＡＵＣ値は０．５４１であった。血小板数は、健常の状態を考慮した、ＭＣＩの状態の評価において有用なものであると考えられる。
【実施例２７】
【０２０２】
ＭＣＩの確定診断が行われた６０歳以上のＭＣＩ患者（ＭＣＩ群：１２０名）、及び、認知機能が健常と考えられる６０歳以上の健常高齢者（健常群：８７名）の血漿サンプル、全血サンプル、及び血清サンプルを用いた。血漿サンプルから前述のアミノ酸分析法（Ａ）により血中アミノ酸濃度を、全血サンプルからシースフロー直流電流検出方式により血中血小板数を、血清サンプルからＢＣＰ改良法により血中アルブミン濃度を測定した。【０２０３】
全血中の血小板数が代入される変数と、血清中のアルブミン濃度値または血漿中のアミノ酸濃度値が代入される変数を含む、ＭＣＩ群と健常群との２群を判別するための多変量判別式（多変量関数）を求めた。【０２０４】
多変量判別式としてロジスティック回帰式を用いた。ロジスティック回帰式に含める２個の変数の組み合わせ（血中血小板数の変数（ＰＬＴ）を必須とする）を、全血中の血小板数（×１０４／μＬ）、アルブミンの血清中濃度値（ｇ／ｄＬ）および上記１９種類のアミノ酸の血漿中濃度値（ｎｍｏｌ／ｍｌ）から探索し、ＭＣＩ群と健常群の判別能が良好なロジスティック回帰式の探索を実施した。【０２０５】
ＭＣＩ群と健常群のＲＯＣ＿ＡＵＣ値が実施例２６に記載した０．５４１以上で、変数の個数が２個のロジスティック回帰式の一覧を、図３６に示した。これらのロジスティック回帰式は、ＲＯＣ＿ＡＵＣ値が高いことから、前記の評価において有用なものであると考えられる。
【実施例２８】
【０２０６】
実施例２７で用いたサンプルデータを用いた。全血中の血小板数が代入される変数と、血清中のアルブミン濃度値または血漿中のアミノ酸濃度値が代入される変数を含む、ＭＣＩ群と健常群との２群を判別するための多変量判別式（多変量関数）を求めた。【０２０７】
多変量判別式としてロジスティック回帰式を用いた。ロジスティック回帰式に含める３個の変数の組み合わせ（血中血小板数の変数を必須とする）を、実施例２７と同様に、全血中の血小板数、アルブミンの血清中濃度値および上記１９種類のアミノ酸の血漿中濃度値から探索し、ＭＣＩ群と健常群の判別能が良好なロジスティック回帰式の探索を実施した。【０２０８】
ＭＣＩ群と健常群のＲＯＣ＿ＡＵＣ値が図３６に記載した０．６３０以上で、変数の個数が３個のロジスティック回帰式の一覧を、図３７に示した。これらのロジスティック回帰式は、ＲＯＣ＿ＡＵＣ値が高いことから、前記の評価において有用なものであると考えられる。
【産業上の利用可能性】
【０２０９】
以上のように、本発明は、産業上の多くの分野、特に医薬品や食品、医療などの分野で広く実施することができ、特に、ＭＣＩの状態の進行予測や疾病リスク予測やプロテオームやメタボローム解析などを行うバイオインフォマティクス分野において極めて有用である。
【符号の説明】
【０２１０】
１００  評価装置（算出装置を含む）
１０２  制御部
１０２ａ  取得部
１０２ｂ  指定部
１０２ｃ  式作成部
１０２ｄ  評価部
１０２ｄ１  算出部
１０２ｄ２  変換部
１０２ｄ３  生成部
１０２ｄ４  分類部
１０２ｅ  結果出力部
１０２ｆ  送信部
１０４  通信インターフェース部
１０６  記憶部
１０６ａ  濃度データファイル
１０６ｂ  指標状態情報ファイル
１０６ｃ  指定指標状態情報ファイル
１０６ｄ  式関連情報データベース
１０６ｄ１  式ファイル
１０６ｅ  評価結果ファイル
１０８  入出力インターフェース部
１１２  入力装置
１１４  出力装置
２００  クライアント装置（端末装置（情報通信端末装置））
３００  ネットワーク
４００  データベース装置【０２１１】
［１．２変数の式］
Taurine, aAiBA, 0.933; Taurine, EtGly, 0.919; Taurine, Pyrazole-1-Ala, 0.912; Taurine, Spd, 0.896; Taurine, 1-MeHis, 0.893; Taurine, SDMA, 0.881; Taurine, 3-MeHis, 0.879; Taurine, Kyn/BCAA, 0.879; Taurine, Kyn/Trp, 0.878; Taurine, Kyn, 0.876; Taurine, Put, 0.871; Taurine, Cit, 0.871; Taurine, ADMA, 0.87; Taurine, MCSO2, 0.87; Taurine, GABA, 0.869; Taurine, N8-AcSpd, 0.869; Taurine, Phe, 0.869; Taurine, Cystathionine, 0.869; Pyrazole-1-Ala, Spd, 0.869; Gln, Taurine, 0.868; Taurine, bAiBA, 0.868; Taurine, Ile, 0.868; Taurine, Opthalmic acid, 0.868; Gly, Taurine, 0.867; Taurine, Tyr, 0.867; Taurine, Hypotaurine, 0.867; Taurine, Hypro, 0.867; Asn, Taurine, 0.867; Taurine, Val, 0.867; Taurine, N6-AcLys, 0.867; Taurine, Arg, 0.867; Taurine, Trp, 0.867; Taurine, His, 0.866; Taurine, bABA, 0.866; Ser, Taurine, 0.866; Taurine, hArg, 0.866; Taurine, MeCys, 0.866; Taurine, MCSO1/MCSO2, 0.865; Taurine, Thioproline, 0.865; Taurine, Met, 0.864; Taurine, Orn, 0.864; Taurine, MCSO2/MeCys, 0.864; Taurine, Pro, 0.864; Taurine, Ala, 0.863; Taurine, Leu, 0.863; Taurine, aABA, 0.863; Taurine, MCSO1, 0.861; Taurine, Lys, 0.861; Taurine, Sar, 0.86; Taurine, aAAA, 0.86; Taurine, Thr, 0.86; EtGly, PEA, 0.859; Glu, Taurine, 0.858; Taurine, Pipecolic acid, 0.851; Taurine, PEA, 0.849; Taurine, Cysteic acid, 0.847; 1-MeHis, Spd, 0.834; EtGly, Spd, 0.83; aAiBA, MCSO2, 0.829; MCSO1/MCSO2, Spd, 0.824; N8-AcSpd, Spd, 0.822; MCSO2, Spd, 0.822; aAiBA, PEA, 0.82; Cit, Spd, 0.819; Pyrazole-1-Ala, MCSO2, 0.818; aAAA, Spd, 0.818; aABA, Spd, 0.816; Spd, Thioproline, 0.815; Kyn/BCAA, Spd, 0.815; Pro, Spd, 0.815; EtGly, Pyrazole-1-Ala, 0.815; Pipecolic acid, Spd, 0.814; Kyn, Spd, 0.814; Ile, Spd, 0.814; Hypro, Spd, 0.814; Gln, Spd, 0.813; GABA, Spd, 0.813; Cystathionine, Spd, 0.812; Tyr, Spd, 0.811; N6-AcLys, Spd, 0.811; Trp, Spd, 0.811; Val, Spd, 0.811; MCSO2, Put, 0.811; Ser, Spd, 0.81; Leu, Spd, 0.81; Pyrazole-1-Ala, Put, 0.81; SDMA, Spd, 0.81; bAiBA, Spd, 0.81; Phe, Spd, 0.809; 3-MeHis, Spd, 0.809; Kyn/Trp, Spd, 0.809; ADMA, Spd, 0.808; Asn, Spd, 0.808; MeCys, Spd, 0.807; MCSO2/MeCys, Spd, 0.807; His, Spd, 0.806; Ala, Spd, 0.806; EtGly, Put, 0.806; Met, Spd, 0.806; Hypotaurine, Spd, 0.805; hArg, Spd, 0.805; Gly, Spd, 0.805; Orn, Spd, 0.804; Arg, Spd, 0.804; Pyrazole-1-Ala, MeCys, 0.804; EtGly, Opthalmic acid, 0.802; bABA, Spd, 0.802; Thr, Spd, 0.8; Lys, Spd, 0.799; Pyrazole-1-Ala, PEA, 0.799; aAiBA, MCSO2/MeCys, 0.798; MCSO1, Spd, 0.797; hArg, MCSO2, 0.794; MCSO2, Spm, 0.792; Lys, Pyrazole-1-Ala, 0.792; Put, Spd, 0.792; Sar, Spd, 0.791; Opthalmic acid, Spd, 0.791; His, Pyrazole-1-Ala, 0.79; Glu, Spd, 0.79; aAiBA, MeCys, 0.788; Lys, MCSO2, 0.788; 3-MeHis, PEA, 0.786; bAiBA, PEA, 0.785; Gln, PEA, 0.785; EtGly, MeCys, 0.785; bABA, PEA, 0.785; MCSO2/MeCys, Put, 0.784; 1-MeHis, PEA, 0.784; MeCys, Put, 0.782; Hypro, PEA, 0.781; Met, MCSO2, 0.78; Thr, Pyrazole-1-Ala, 0.78; Taurine, Allyl Cys, 0.778; aAAA, PEA, 0.778; Pyrazole-1-Ala, MCSO2/MeCys, 0.778; MCSO2, PEA, 0.777; 1-MeHis, MCSO2, 0.777; hArg, MeCys, 0.777; Allyl Cys, Pyrazole-1-Ala, 0.777; Cit, MCSO2, 0.776; Ser, PEA, 0.775; Phe, PEA, 0.775; MCSO2, MCSO1, 0.774; aAiBA, Spd, 0.774; N8-AcSpd, Put, 0.773; MCSO2, N6-AcLys, 0.773; Orn, MCSO2, 0.772; Pro, MCSO2, 0.772; Met, Pyrazole-1-Ala, 0.772; PEA, Thioproline, 0.772; Allyl Cys, MCSO2, 0.772; Gly, MCSO2, 0.771; Ala, MCSO2, 0.771; aAAA, MCSO2, 0.771; Pyrazole-1-Ala, N6-AcLys, 0.77; bABA, MCSO2, 0.77; Thr, MCSO2, 0.77; Arg, MCSO2, 0.77; Lys, MCSO2/MeCys, 0.77; MCSO2/MeCys, Spm, 0.77; MCSO2, Sar, 0.77; MCSO2, N8-AcSpd, 0.769; MCSO2, MCSO1/MCSO2, 0.769; His, MCSO2, 0.769; Tyr, MCSO2, 0.769; bAiBA, MCSO2, 0.767; Trp, MCSO2, 0.767; Cysteic acid, MCSO2, 0.767; MCSO2, Pipecolic acid, 0.767; aABA, MCSO2, 0.767; MCSO2, SDMA, 0.767; Hypotaurine, PEA, 0.767; hArg, Pyrazole-1-Ala, 0.766; Kyn/Trp, MCSO2, 0.766; PEA, Spd, 0.766; hArg, MCSO2/MeCys, 0.766; Hypro, MCSO2, 0.766; Kyn/BCAA, MCSO2, 0.766; Asn, Pyrazole-1-Ala, 0.765; Leu, MCSO2, 0.765; ADMA, MCSO2, 0.765; Ser, MCSO2, 0.764; GABA, MCSO2, 0.764; Phe, MCSO2, 0.764; 3-MeHis, MCSO2, 0.764; Hypotaurine, MCSO2, 0.762; MCSO2, MCSO2/MeCys, 0.762; Asn, MCSO2, 0.762; Kyn, MCSO2, 0.761; Ile, PEA, 0.761; MCSO2, MeCys, 0.761; Glu, MCSO2, 0.761; Ile, MCSO2, 0.76; Cystathionine, MCSO2, 0.76; Cysteic acid, Spd, 0.76; Lys, MeCys, 0.76; Pyrazole-1-Ala, MCSO1/MCSO2, 0.76; Gln, MCSO2, 0.76; Pyrazole-1-Ala, Spm, 0.759; Val, MCSO2, 0.759; MCSO2/MeCys, MeCys, 0.759; aAiBA, Pyrazole-1-Ala, 0.759; MCSO2, Thioproline, 0.758; His, Opthalmic acid, 0.758; MCSO1/MCSO2, MCSO2/MeCys, 0.757; Leu, PEA, 0.757; Ala, Pyrazole-1-Ala, 0.756; MCSO1/MCSO2, MeCys, 0.756; Trp, PEA, 0.756; aABA, Pyrazole-1-Ala, 0.756; MCSO2/MeCys, PEA, 0.755; Thr, MCSO2/MeCys, 0.755; Arg, Pyrazole-1-Ala, 0.755; Taurine, Spm, 0.754; ADMA, PEA, 0.754; Hypotaurine, Pyrazole-1-Ala, 0.753; Kyn/BCAA, PEA, 0.753; Pro, Pyrazole-1-Ala, 0.753; Kyn/Trp, Pyrazole-1-Ala, 0.753; Opthalmic acid, Put, 0.753; PEA, Pipecolic acid, 0.752; Cystathionine, PEA, 0.752; Pyrazole-1-Ala, Sar, 0.752; Tyr, PEA, 0.752; MeCys, PEA, 0.751; aAAA, Pyrazole-1-Ala, 0.751; MeCys, Sar, 0.75; Val, PEA, 0.75; hArg, Put, 0.749; MeCys, N6-AcLys, 0.749; Allyl Cys, MCSO2/MeCys, 0.749; Pro, MCSO2/MeCys, 0.749; MCSO2, Opthalmic acid, 0.748; EtGly, Spm, 0.748; Gly, Pyrazole-1-Ala, 0.746; Met, MeCys, 0.746; Lys, Allyl Cys, 0.746; 1-MeHis, MCSO2/MeCys, 0.746; Met, MCSO2/MeCys, 0.746; Cystathionine, Pyrazole-1-Ala, 0.745; MCSO1, MCSO1/MCSO2, 0.745; MeCys, SDMA, 0.745; His, MeCys, 0.745; Orn, Pyrazole-1-Ala, 0.744; Allyl Cys, MeCys, 0.744; ADMA, Pyrazole-1-Ala, 0.744; aAiBA, Put, 0.744; MCSO1, MeCys, 0.744; Met, PEA, 0.743; Put, SDMA, 0.743; His, PEA, 0.743; 3-MeHis, Pyrazole-1-Ala, 0.742; His, MCSO2/MeCys, 0.742; Kyn/Trp, MCSO2/MeCys, 0.742; Arg, MeCys, 0.742; Pyrazole-1-Ala, SDMA, 0.742; EtGly, MCSO1/MCSO2, 0.741; Tyr, MeCys, 0.741; Cysteic acid, Pyrazole-1-Ala, 0.74; Pyrazole-1-Ala, Pipecolic acid, 0.74; GABA, Pyrazole-1-Ala, 0.74; PEA, Put, 0.74; Orn, MCSO2/MeCys, 0.739; GABA, PEA, 0.739; Kyn/BCAA, MCSO2/MeCys, 0.739; MCSO1/MCSO2, Put, 0.739; Thr, MeCys, 0.739; 1-MeHis, Pyrazole-1-Ala, 0.738; Ala, MCSO2/MeCys, 0.738; MeCys, N8-AcSpd, 0.737; aABA, EtGly, 0.737; Trp, Pyrazole-1-Ala, 0.737; bAiBA, Pyrazole-1-Ala, 0.737; Glu, Pyrazole-1-Ala, 0.737; Arg, MCSO2/MeCys, 0.737; Leu, MeCys, 0.737; Ser, Pyrazole-1-Ala, 0.736; Ala, MeCys, 0.736; Leu, MCSO2/MeCys, 0.736; Hypro, Pyrazole-1-Ala, 0.736; Pro, MeCys, 0.736; Pyrazole-1-Ala, Thioproline, 0.736; Cit, MeCys, 0.736; Orn, MeCys, 0.736; Trp, MeCys, 0.736; Kyn/BCAA, Pyrazole-1-Ala, 0.736; Kyn, Pyrazole-1-Ala, 0.735; Cit, Pyrazole-1-Ala, 0.735; bABA, MeCys, 0.735; 1-MeHis, Put, 0.735; Gly, MeCys, 0.735; bABA, Pyrazole-1-Ala, 0.735; aAAA, MeCys, 0.735; Allyl Cys, Put, 0.735; Ile, Pyrazole-1-Ala, 0.734; ADMA, MeCys, 0.734; MCSO2/MeCys, N6-AcLys, 0.734; MCSO2/MeCys, Pipecolic acid, 0.734; MCSO1, MCSO2/MeCys, 0.734; Asn, PEA, 0.734; Kyn/BCAA, MeCys, 0.733; EtGly, MCSO2, 0.733; Asn, MCSO2/MeCys, 0.733; Cit, MCSO2/MeCys, 0.733; Trp, MCSO2/MeCys, 0.733; Kyn/Trp, Put, 0.733; aAAA, MCSO2/MeCys, 0.732; bAiBA, MeCys, 0.732; Pyrazole-1-Ala, MCSO1, 0.732; His, Put, 0.732; aABA, MeCys, 0.732; bABA, MCSO2/MeCys, 0.732; Gln, Pyrazole-1-Ala, 0.732; Lys, Put, 0.732; Kyn/Trp, MeCys, 0.732; MCSO2/MeCys, SDMA, 0.732; 3-MeHis, MeCys, 0.731; 1-MeHis, MeCys, 0.731; Lys, PEA, 0.731; Gly, MCSO2/MeCys, 0.731; Cysteic acid, MeCys, 0.731; Allyl Cys, Spd, 0.73; Ser, MeCys, 0.73; Cystathionine, MeCys, 0.73; GABA, MCSO2/MeCys, 0.73; MCSO2/MeCys, N8-AcSpd, 0.73; Pyrazole-1-Ala, Opthalmic acid, 0.73; ADMA, MCSO2/MeCys, 0.73; Ile, MeCys, 0.729; Pyrazole-1-Ala, N8-AcSpd, 0.729; Gln, MeCys, 0.729; Asn, MeCys, 0.728; Hypro, MeCys, 0.728; bAiBA, MCSO2/MeCys, 0.728; hArg, Opthalmic acid, 0.728; Ala, Put, 0.728; Leu, Pyrazole-1-Ala, 0.728; Phe, MeCys, 0.728; MCSO1, PEA, 0.727; Kyn/BCAA, Put, 0.727; Val, Pyrazole-1-Ala, 0.727; Ile, MCSO2/MeCys, 0.727; Tyr, Pyrazole-1-Ala, 0.727; Val, MeCys, 0.727; Glu, MeCys, 0.726; Thr, Put, 0.726; Kyn, MeCys, 0.726; PEA, SDMA, 0.726; MCSO2/MeCys, Sar, 0.726; Kyn, Put, 0.726; MeCys, Pipecolic acid, 0.726; Tyr, MCSO2/MeCys, 0.725; Hypro, MCSO2/MeCys, 0.725; Phe, Pyrazole-1-Ala, 0.725; Hypotaurine, MeCys, 0.725; Gly, PEA, 0.725; aABA, Put, 0.725; MeCys, Thioproline, 0.724; Val, MCSO2/MeCys, 0.724; Cystathionine, Put, 0.724; GABA, MeCys, 0.724; Orn, PEA, 0.724; Cystathionine, MCSO2/MeCys, 0.723; Hypotaurine, MCSO2/MeCys, 0.723; Put, Thioproline, 0.723; Kyn, MCSO2/MeCys, 0.723; Glu, MCSO2/MeCys, 0.723; Hypotaurine, Put, 0.722; MeCys, Spm, 0.722; Cit, EtGly, 0.722; Kyn/Trp, PEA, 0.722; Hypro, Put, 0.722; Gln, MCSO2/MeCys, 0.721; aABA, MCSO2/MeCys, 0.72; Cit, Put, 0.72; 3-MeHis, MCSO2/MeCys, 0.72; Cysteic acid, MCSO2/MeCys, 0.72; Phe, MCSO2/MeCys, 0.719; aABA, PEA, 0.719; MCSO2/MeCys, Thioproline, 0.719; Met, Put, 0.719; EtGly, Hypro, 0.719; EtGly, Kyn/BCAA, 0.719; Ser, MCSO2/MeCys, 0.718; Gly, Put, 0.718; Cysteic acid, PEA, 0.718; Trp, Put, 0.717; Orn, Put, 0.717; 3-MeHis, Put, 0.717; N6-AcLys, PEA, 0.716; Pro, PEA, 0.716; Ala, PEA, 0.715; Thr, PEA, 0.715; Pro, Put, 0.715; GABA, Put, 0.713; Asn, Put, 0.713; Tyr, Put, 0.713; Phe, Put, 0.713; MCSO1, Put, 0.713; Cysteic acid, Put, 0.713; Arg, Put, 0.712; Ser, Put, 0.712; N8-AcSpd, PEA, 0.712; N6-AcLys, Put, 0.712; Put, Sar, 0.711; Val, Put, 0.711; Leu, Put, 0.711; bAiBA, Put, 0.71; Ile, Put, 0.71; hArg, PEA, 0.709; ADMA, Put, 0.709; Arg, PEA, 0.709; Kyn, PEA, 0.709; His, Cit, 0.709; Cit, PEA, 0.709; Cysteic acid, MCSO1/MCSO2, 0.708; Gln, Put, 0.707; MeCys, Opthalmic acid, 0.706; Thr, Opthalmic acid, 0.705; His, SDMA, 0.704; Glu, Put, 0.704; Cit, Lys, 0.703; MCSO2/MeCys, Opthalmic acid, 0.703; N6-AcLys, SDMA, 0.703; His, Kyn, 0.702; Lys, MCSO1/MCSO2, 0.702; bABA, Put, 0.702; Lys, N8-AcSpd, 0.702; Thr, Spm, 0.701; His, 1-MeHis, 0.701; aAAA, Put, 0.701; Lys, 1-MeHis, 0.7; His, hArg, 0.7; Lys, Hypotaurine, 0.7; Lys, SDMA, 0.7; hArg, Hypotaurine, 0.7【０２１２】
［２．３変数の式］
Taurine, 1-MeHis, Spd, 0.923; Taurine, 1-MeHis, Kyn/Trp, 0.914; Taurine, 1-MeHis, SDMA, 0.914; Taurine, 1-MeHis, Kyn/BCAA, 0.912; Taurine, 1-MeHis, Kyn, 0.91; Taurine, SDMA, Spd, 0.909; Taurine, 1-MeHis, 3-MeHis, 0.908; Taurine, Cit, 1-MeHis, 0.908; Taurine, Kyn, Spd, 0.905; Taurine, Kyn/BCAA, Spd, 0.905; Taurine, 3-MeHis, Spd, 0.905; Taurine, Kyn/Trp, Spd, 0.903; Taurine, Spd, Thioproline, 0.902; Taurine, Cit, Spd, 0.902; Taurine, 1-MeHis, MCSO2, 0.902; Taurine, 1-MeHis, GABA, 0.901; Taurine, 1-MeHis, hArg, 0.9; Taurine, 1-MeHis, N6-AcLys, 0.9; Taurine, 1-MeHis, N8-AcSpd, 0.9; Taurine, His, 1-MeHis, 0.9; Taurine, 1-MeHis, Put, 0.899; Taurine, 1-MeHis, MCSO2/MeCys, 0.899; Taurine, GABA, Spd, 0.899; Taurine, Cystathionine, Spd, 0.898; Taurine, Hypro, Spd, 0.898; Asn, Taurine, Spd, 0.897; Taurine, ADMA, Spd, 0.897; Taurine, Phe, Spd, 0.897; Taurine, 1-MeHis, ADMA, 0.896; Taurine, 1-MeHis, Cystathionine, 0.896; Taurine, 1-MeHis, MCSO1/MCSO2, 0.896; Taurine, 1-MeHis, bAiBA, 0.896; Taurine, Tyr, Spd, 0.896; Taurine, Val, Spd, 0.896; Taurine, Orn, Spd, 0.896; Taurine, Ile, Spd, 0.896; Taurine, Met, 1-MeHis, 0.896; Taurine, Trp, 1-MeHis, 0.896; Taurine, 1-MeHis, Hypro, 0.896; Gln, Taurine, Spd, 0.896; Taurine, Arg, 1-MeHis, 0.896; Taurine, 1-MeHis, Thioproline, 0.896; Ser, Taurine, Spd, 0.896; Taurine, Tyr, 1-MeHis, 0.895; Taurine, 1-MeHis, bABA, 0.895; Taurine, bAiBA, Spd, 0.895; Taurine, Arg, Spd, 0.895; Taurine, Val, 1-MeHis, 0.895; Taurine, Trp, Spd, 0.895; Taurine, N8-AcSpd, Spd, 0.895; Asn, Taurine, 1-MeHis, 0.895; Gly, Taurine, 1-MeHis, 0.895; Taurine, Orn, 1-MeHis, 0.895; Taurine, aABA, Spd, 0.895; Taurine, N6-AcLys, Spd, 0.895; Taurine, aABA, 1-MeHis, 0.894; Taurine, Leu, 1-MeHis, 0.894; Gly, Taurine, Spd, 0.894; Taurine, Ile, 1-MeHis, 0.894; Taurine, Phe, 1-MeHis, 0.894; Taurine, hArg, Spd, 0.894; Ser, Taurine, 1-MeHis, 0.893; Taurine, Ala, 1-MeHis, 0.893; Taurine, 1-MeHis, Hypotaurine, 0.893; Taurine, bABA, Spd, 0.893; Taurine, Met, Spd, 0.893; Gln, Taurine, 1-MeHis, 0.893; Taurine, Leu, Spd, 0.893; Taurine, aAAA, Spd, 0.893; Taurine, 1-MeHis, MeCys, 0.893; Taurine, Put, SDMA, 0.893; Taurine, Thr, 1-MeHis, 0.893; Taurine, Lys, 1-MeHis, 0.892; Taurine, 1-MeHis, MCSO1, 0.892; Taurine, Kyn/Trp, Put, 0.892; Taurine, Pro, Spd, 0.892; Taurine, MCSO1, Spd, 0.892; Taurine, Pro, 1-MeHis, 0.892; Taurine, Kyn/BCAA, Put, 0.891; Taurine, MCSO1/MCSO2, Spd, 0.891; Taurine, Ala, Spd, 0.89; Taurine, 1-MeHis, aAAA, 0.889; Taurine, Put, Spd, 0.889; Glu, Taurine, 1-MeHis, 0.888; Taurine, 1-MeHis, Sar, 0.888; Taurine, His, Kyn, 0.887; Taurine, Hypotaurine, Spd, 0.887; Taurine, 1-MeHis, PEA, 0.887; Taurine, 3-MeHis, Put, 0.886; Taurine, 1-MeHis, Pipecolic acid, 0.886; Glu, Taurine, Spd, 0.886; Taurine, His, Spd, 0.886; Taurine, 1-MeHis, Cysteic acid, 0.886; Taurine, Lys, Spd, 0.886; Taurine, Cit, SDMA, 0.885; Taurine, Pipecolic acid, Spd, 0.884; Taurine, Leu, Kyn, 0.884; Taurine, Thr, Spd, 0.884; Taurine, Hypro, SDMA, 0.883; Taurine, MCSO2, Put, 0.883; Taurine, Kyn/BCAA, SDMA, 0.883; Gln, Taurine, SDMA, 0.883; Taurine, Ala, SDMA, 0.883; Taurine, Cystathionine, Kyn/BCAA, 0.883; Taurine, GABA, SDMA, 0.883; Taurine, His, SDMA, 0.882; Taurine, Kyn, Put, 0.882; Gly, Taurine, SDMA, 0.882; Taurine, Met, SDMA, 0.882; Taurine, Arg, SDMA, 0.882; Taurine, MCSO2/MeCys, Spd, 0.882; Taurine, aABA, SDMA, 0.882; Taurine, His, Kyn/Trp, 0.881; Taurine, Ile, SDMA, 0.881; Taurine, hArg, SDMA, 0.881; Taurine, aAAA, SDMA, 0.881; Ser, Taurine, SDMA, 0.881; Taurine, Val, SDMA, 0.881; Taurine, aABA, Kyn/BCAA, 0.881; Taurine, Hypotaurine, SDMA, 0.881; Taurine, SDMA, Thioproline, 0.88; Taurine, Cit, Kyn/BCAA, 0.88; Taurine, Ile, Kyn, 0.88; Taurine, Phe, SDMA, 0.88; Taurine, Trp, SDMA, 0.88; Taurine, Kyn/Trp, MCSO1/MCSO2, 0.88; Taurine, Met, 3-MeHis, 0.88; Taurine, 3-MeHis, Kyn/BCAA, 0.88; Taurine, hArg, Kyn, 0.88; Taurine, Kyn/BCAA, Thioproline, 0.88; Taurine, Val, Kyn/BCAA, 0.88; Taurine, ADMA, SDMA, 0.88; Taurine, N8-AcSpd, Put, 0.88; Taurine, bABA, SDMA, 0.88; Taurine, Arg, Kyn/BCAA, 0.88; Taurine, 3-MeHis, Hypro, 0.88; Taurine, Cystathionine, SDMA, 0.88; Taurine, Hypotaurine, Kyn/BCAA, 0.88; Gln, Taurine, Kyn/BCAA, 0.879; Taurine, Val, Kyn, 0.879; Taurine, Phe, Kyn/BCAA, 0.879; Taurine, Kyn, SDMA, 0.879; Ser, Taurine, Kyn/BCAA, 0.879; Taurine, Ala, 3-MeHis, 0.879; Taurine, Tyr, 3-MeHis, 0.879; Taurine, Tyr, SDMA, 0.879; Taurine, Trp, Kyn/BCAA, 0.879; Taurine, GABA, Kyn/BCAA, 0.879; Taurine, hArg, Kyn/Trp, 0.879; Taurine, hArg, Kyn/BCAA, 0.879; Taurine, Kyn, Kyn/BCAA, 0.879; Taurine, Kyn/BCAA, MCSO1/MCSO2, 0.879; Taurine, Arg, 3-MeHis, 0.879; Taurine, Tyr, Kyn/BCAA, 0.879; Taurine, Ile, Kyn/BCAA, 0.879; Taurine, MCSO2, Spd, 0.879; Asn, Taurine, SDMA, 0.879; Taurine, Cit, Kyn, 0.879; Taurine, Trp, 3-MeHis, 0.879; Taurine, Kyn/Trp, SDMA, 0.879; Taurine, Sar, Spd, 0.878; Taurine, Cit, Put, 0.878; Taurine, aABA, 3-MeHis, 0.878; Taurine, Val, 3-MeHis, 0.878; Taurine, Leu, Kyn/BCAA, 0.878; Taurine, hArg, Put, 0.878; Taurine, Met, Kyn/BCAA, 0.878; Taurine, Ile, 3-MeHis, 0.878; Taurine, 3-MeHis, ADMA, 0.878; Taurine, 3-MeHis, Hypotaurine, 0.878; Taurine, Kyn/BCAA, MCSO2, 0.878; Taurine, Kyn, Sar, 0.878; Taurine, 3-MeHis, aAAA, 0.878; Taurine, aAAA, Kyn/BCAA, 0.878; Taurine, bAiBA, SDMA, 0.878; Gln, Taurine, Kyn/Trp, 0.878; Taurine, Pro, Kyn/BCAA, 0.878; Taurine, aABA, Kyn, 0.878; Taurine, 3-MeHis, SDMA, 0.878; Taurine, Hypro, Kyn/BCAA, 0.878; Taurine, Kyn/Trp, Kyn/BCAA, 0.878; Taurine, MCSO2/MeCys, Put, 0.878; Taurine, bABA, Kyn/BCAA, 0.878; Taurine, Pro, 3-MeHis, 0.878; Taurine, Orn, Kyn/BCAA, 0.878; Taurine, Orn, SDMA, 0.878; Taurine, Ile, Kyn/Trp, 0.878; Taurine, ADMA, Kyn/BCAA, 0.878; Taurine, Kyn, MCSO2, 0.878; Taurine, Kyn/BCAA, N8-AcSpd, 0.878; Taurine, MeCys, Spd, 0.878; Ser, Taurine, 3-MeHis, 0.877; Asn, Taurine, Kyn/BCAA, 0.877; Gln, Taurine, 3-MeHis, 0.877; Taurine, His, Kyn/BCAA, 0.877; Taurine, Lys, 3-MeHis, 0.877; Taurine, Leu, SDMA, 0.877; Taurine, Kyn/Trp, Thioproline, 0.877; Gly, Taurine, 3-MeHis, 0.877; Gly, Taurine, Kyn/BCAA, 0.877; Taurine, Cit, Kyn/Trp, 0.877; Taurine, Met, Kyn, 0.877; Taurine, Trp, Kyn/Trp, 0.877; Taurine, Cystathionine, Kyn/Trp, 0.877; Taurine, Hypotaurine, Kyn/Trp, 0.877; Taurine, Kyn/BCAA, MeCys, 0.877; Taurine, Kyn, Thioproline, 0.877; Taurine, 3-MeHis, bABA, 0.877; Ser, Taurine, MCSO2, 0.877; Taurine, Ala, Kyn/BCAA, 0.877; Taurine, Orn, 3-MeHis, 0.877; Taurine, Lys, SDMA, 0.877; Taurine, 3-MeHis, hArg, 0.877; Taurine, GABA, Kyn, 0.877; Taurine, MCSO1/MCSO2, SDMA, 0.877; Taurine, MeCys, Put, 0.877; Taurine, bAiBA, Kyn/BCAA, 0.877; Taurine, Cit, 3-MeHis, 0.877; Taurine, Arg, Kyn/Trp, 0.877; Taurine, Tyr, Kyn/Trp, 0.877; Taurine, bABA, Kyn/Trp, 0.877; Taurine, Kyn, Kyn/Trp, 0.877; Taurine, Kyn/Trp, MCSO2, 0.877; Taurine, N8-AcSpd, SDMA, 0.877; Taurine, 3-MeHis, bAiBA, 0.876; Ser, Taurine, Kyn/Trp, 0.876; Taurine, Ala, Kyn/Trp, 0.876; Taurine, Val, Kyn/Trp, 0.876; Taurine, Lys, Kyn, 0.876; Asn, Taurine, Kyn/Trp, 0.876; Taurine, Leu, 3-MeHis, 0.876; Taurine, 3-MeHis, Thioproline, 0.876; Ser, Taurine, Kyn, 0.876; Taurine, Pro, SDMA, 0.876; Taurine, Put, Thioproline, 0.876; Asn, Taurine, 3-MeHis, 0.876; Taurine, Ala, Kyn, 0.876; Taurine, Tyr, Kyn, 0.876; Taurine, Met, Kyn/Trp, 0.876; Taurine, Hypotaurine, Kyn, 0.876; Taurine, Hypro, Kyn/Trp, 0.876; Taurine, Kyn, MCSO1/MCSO2, 0.876; Taurine, 3-MeHis, Sar, 0.876; Gln, Taurine, Kyn, 0.875; Taurine, Phe, 3-MeHis, 0.875; Taurine, Phe, Kyn, 0.875; Gly, Taurine, Kyn/Trp, 0.875; Taurine, MCSO1, SDMA, 0.875; Taurine, aABA, Kyn/Trp, 0.875; Taurine, Cystathionine, Kyn, 0.875; Taurine, bABA, Kyn, 0.875; Taurine, Thr, MCSO2, 0.875; Taurine, 3-MeHis, GABA, 0.875; Taurine, 3-MeHis, MCSO1/MCSO2, 0.875; Taurine, hArg, MCSO2, 0.875; Taurine, Kyn/Trp, MeCys, 0.875; Taurine, bAiBA, Put, 0.875; Taurine, His, 3-MeHis, 0.875; Taurine, Thr, Kyn/BCAA, 0.875; Taurine, Cit, MCSO2, 0.875; Taurine, Cit, MCSO1/MCSO2, 0.875; Taurine, Lys, Cystathionine, 0.875; Taurine, Leu, Kyn/Trp, 0.875; Taurine, MCSO1/MCSO2, Put, 0.875; Taurine, N6-AcLys, Put, 0.875; Taurine, bAiBA, Kyn, 0.875; Taurine, His, Cystathionine, 0.874; Taurine, Thr, SDMA, 0.874; Taurine, Met, Cystathionine, 0.874; Taurine, Trp, Put, 0.874; Taurine, ADMA, Kyn/Trp, 0.874; Taurine, Kyn/BCAA, MCSO1, 0.874; Taurine, MCSO2, SDMA, 0.874; Gly, Taurine, Kyn, 0.874; Taurine, Trp, Kyn, 0.874; Taurine, Hypro, Kyn, 0.874; Taurine, Kyn/Trp, N8-AcSpd, 0.874; Taurine, bAiBA, Kyn/Trp, 0.874; Taurine, Thr, Kyn, 0.874; Taurine, Cit, aABA, 0.874; Taurine, Kyn/BCAA, Sar, 0.874; Taurine, Arg, Kyn, 0.874; Taurine, Pro, MCSO2, 0.874; Taurine, aABA, Put, 0.874; Taurine, Lys, Kyn/BCAA, 0.874; Taurine, Phe, Kyn/Trp, 0.874; Taurine, GABA, Put, 0.874; Taurine, MeCys, SDMA, 0.874; Taurine, Orn, Kyn/Trp, 0.873; Taurine, 3-MeHis, Cystathionine, 0.873; Taurine, GABA, MCSO2, 0.873; Taurine, Kyn/BCAA, N6-AcLys, 0.873; Taurine, Cit, Hypro, 0.873; Taurine, Tyr, Put, 0.873; Glu, Taurine, Kyn/BCAA, 0.873; Asn, Taurine, Kyn, 0.873; Gly, Taurine, Cit, 0.873; Gln, Taurine, Cit, 0.873; Taurine, Cit, Arg, 0.873; Taurine, GABA, MCSO1/MCSO2, 0.873; Taurine, aAAA, Kyn, 0.873; Glu, Taurine, MCSO2, 0.873; Ser, Taurine, Cit, 0.873; Taurine, His, N8-AcSpd, 0.873; Taurine, Arg, Put, 0.873; Taurine, Leu, Cystathionine, 0.873; Taurine, Cystathionine, Put, 0.873; Taurine, aAAA, Kyn/Trp, 0.872; Taurine, 3-MeHis, Kyn/Trp, 0.872; Taurine, 3-MeHis, MCSO1, 0.872; Taurine, GABA, hArg, 0.872; Taurine, hArg, MeCys, 0.872; Taurine, Kyn, MeCys, 0.872; Taurine, Cit, hArg, 0.872; Taurine, Pro, Kyn/Trp, 0.872; Taurine, Ile, Put, 0.872; Taurine, Leu, Put, 0.872; Taurine, ADMA, Kyn, 0.872; Taurine, Cystathionine, MCSO2, 0.872; Ser, Taurine, Put, 0.872; Gln, Taurine, Put, 0.872; Taurine, Cit, Trp, 0.872; Taurine, Cit, Hypotaurine, 0.872; Taurine, Arg, N8-AcSpd, 0.872; Taurine, Val, Cystathionine, 0.872; Taurine, GABA, Kyn/Trp, 0.872; Taurine, Hypro, Put, 0.872; Taurine, MCSO2/MeCys, MeCys, 0.872; Taurine, Cit, Thioproline, 0.872; Taurine, MCSO2, Thioproline, 0.872; Asn, Taurine, Put, 0.872; Taurine, Arg, Cystathionine, 0.872; Taurine, Pro, Kyn, 0.872; Taurine, Orn, Put, 0.872; Taurine, Phe, Put, 0.872; Taurine, 3-MeHis, Kyn, 0.872; Taurine, MCSO2, MCSO1/MCSO2, 0.872; Taurine, bABA, MCSO2, 0.871; Taurine, Sar, SDMA, 0.871; Taurine, Cit, Tyr, 0.8
71; Taurine, Cit, Phe, 0.871; Taurine, aABA, N8-AcSpd, 0.871; Taurine, Val, Put, 0.871; Taurine, 3-MeHis, N8-AcSpd, 0.871; Gly, Taurine, MCSO2, 0.871; Taurine, His, Put, 0.871; Taurine, Met, N8-AcSpd, 0.871; Taurine, Met, Put, 0.871; Taurine, Orn, Kyn, 0.871; Taurine, Leu, Phe, 0.871; Taurine, 3-MeHis, N6-AcLys, 0.871; Taurine, Cysteic acid, MCSO1/MCSO2, 0.871; Asn, Taurine, His, 0.871; Taurine, Cit, Leu, 0.871; Taurine, Phe, MCSO2, 0.871; Taurine, Cystathionine, GABA, 0.871; Taurine, hArg, N6-AcLys, 0.871; Taurine, Hypotaurine, Put, 0.871; Taurine, Hypro, MCSO2, 0.871; Taurine, MCSO2, MCSO1, 0.871; Gln, Taurine, N8-AcSpd, 0.871; Taurine, Cit, Met, 0.871; Taurine, Val, N8-AcSpd, 0.871; Taurine, Lys, Put, 0.871; Taurine, 3-MeHis, MCSO2, 0.871; Taurine, Kyn, MCSO1, 0.871; Taurine, Kyn, N8-AcSpd, 0.871; Taurine, Kyn/BCAA, MCSO2/MeCys, 0.871; Asn, Taurine, N8-AcSpd, 0.87; Taurine, Ala, Cit, 0.87; Taurine, Cit, Val, 0.87; Taurine, Cit, Ile, 0.87; Taurine, Met, GABA, 0.87; Taurine, Lys, MCSO2, 0.87; Taurine, Lys, N6-AcLys, 0.87; Taurine, Leu, MCSO2, 0.87; Taurine, Trp, MCSO2, 0.87; Taurine, Kyn/Trp, MCSO2/MeCys, 0.87; Taurine, bABA, Put, 0.87; Taurine, aAAA, N8-AcSpd, 0.87; Taurine, Ala, Cystathionine, 0.87; Taurine, Ala, Put, 0.87; Taurine, Cit, Pro, 0.87; Taurine, Tyr, MCSO2, 0.87; Taurine, Ile, hArg, 0.87; Taurine, Ile, MCSO2, 0.87; Taurine, Leu, GABA, 0.87; Taurine, ADMA, Hypotaurine, 0.87; Taurine, ADMA, MCSO2, 0.87; Taurine, ADMA, MCSO1/MCSO2, 0.87; Taurine, Kyn/Trp, MCSO1, 0.87; Taurine, MCSO2, MCSO2/MeCys, 0.87; Taurine, MCSO2, MeCys, 0.87; Taurine, MCSO2, N8-AcSpd, 0.87; Taurine, Cit, bAiBA, 0.87; Taurine, bAiBA, GABA, 0.87; Asn, Taurine, MCSO2, 0.87; Gln, Taurine, GABA, 0.87; Gln, Taurine, MCSO2, 0.87; Taurine, Cit, ADMA, 0.87; Taurine, aABA, Cystathionine, 0.87; Taurine, Orn, MCSO2, 0.87; Taurine, Lys, Kyn/Trp, 0.87; Taurine, Phe, N8-AcSpd, 0.87; Taurine, ADMA, hArg, 0.87; Taurine, ADMA, Put, 0.87; Taurine, Cystathionine, Hypro, 0.87; Ser, Taurine, Tyr, 0.87; Ser, Taurine, GABA, 0.87; Taurine, Thr, Kyn/Trp, 0.87; Taurine, Cit, N8-AcSpd, 0.87; Taurine, Trp, N8-AcSpd, 0.87; Taurine, ADMA, N8-AcSpd, 0.87; Taurine, MCSO1, Put, 0.87; Taurine, Cysteic acid, Spd, 0.87; Gly, Taurine, Cystathionine, 0.869; Gln, Taurine, ADMA, 0.869; Gln, Taurine, Cystathionine, 0.869; Taurine, His, MCSO2, 0.869; Taurine, Cit, Lys, 0.869; Taurine, Val, GABA, 0.869; Taurine, Ile, Leu, 0.869; Taurine, Ile, ADMA, 0.869; Taurine, Ile, Cystathionine, 0.869; Taurine, Trp, Cystathionine, 0.869; Taurine, ADMA, Cystathionine, 0.869; Taurine, Cystathionine, N8-AcSpd, 0.869; Taurine, hArg, Thioproline, 0.869; Asn, Taurine, Cystathionine, 0.869; Taurine, Cit, Cystathionine, 0.869; Taurine, Tyr, Ile, 0.869; Taurine, Val, MCSO2, 0.869; Taurine, ADMA, Hypro, 0.869; Taurine, GABA, N8-AcSpd, 0.869; Taurine, hArg, Hypotaurine, 0.869; Taurine, Hypro, N8-AcSpd, 0.869; Taurine, MCSO1/MCSO2, MeCys, 0.869; Taurine, Cysteic acid, MCSO2, 0.869; Taurine, bAiBA, MCSO2, 0.869; Taurine, PEA, Spd, 0.869; Gly, Taurine, ADMA, 0.869; Gly, Taurine, N8-AcSpd, 0.869; Gly, Taurine, Put, 0.869; Taurine, His, Ile, 0.869; Taurine, Arg, MCSO2, 0.869; Taurine, Pro, N6-AcLys, 0.869; Taurine, Pro, Put, 0.869; Taurine, Lys, N8-AcSpd, 0.869; Taurine, Ile, N8-AcSpd, 0.869; Taurine, 3-MeHis, MeCys, 0.869; Taurine, GABA, Hypro, 0.869; Taurine, Hypotaurine, N8-AcSpd, 0.869; Taurine, Kyn/Trp, Sar, 0.869; Taurine, ADMA, bAiBA, 0.869; Taurine, Cystathionine, Thioproline, 0.869; Taurine, Cit, bABA, 0.869; Taurine, ADMA, bABA, 0.869; Ser, Taurine, Ile, 0.869; Ser, Taurine, ADMA, 0.869; Ser, Taurine, Cystathionine, 0.869; Ser, Taurine, N8-AcSpd, 0.869; Taurine, Pro, Cystathionine, 0.869; Taurine, aABA, MCSO2, 0.869; Taurine, Tyr, Hypro, 0.869; Taurine, Tyr, N8-AcSpd, 0.869; Taurine, Ile, Hypro, 0.869; Taurine, Phe, Hypro, 0.869; Taurine, Cystathionine, Hypotaurine, 0.869; Taurine, GABA, MeCys, 0.869; Asn, Taurine, Tyr, 0.868; Gly, Taurine, Tyr, 0.868; Taurine, Thr, MeCys, 0.868; Taurine, Ala, MCSO2, 0.868; Taurine, Cit, Orn, 0.868; Taurine, Arg, Ile, 0.868; Taurine, Tyr, Cystathionine, 0.868; Taurine, Tyr, MCSO1/MCSO2, 0.868; Taurine, Phe, Hypotaurine, 0.868; Taurine, Trp, ADMA, 0.868; Taurine, Trp, GABA, 0.868; Taurine, Cystathionine, hArg, 0.868; Ser, Taurine, bAiBA, 0.868; Taurine, GABA, Thioproline, 0.868; Taurine, Kyn/BCAA, Pipecolic acid, 0.868; Ser, Gln, Taurine, 0.868; Gly, Taurine, GABA, 0.868; Gln, Taurine, Ile, 0.868; Gln, Taurine, Phe, 0.868; Taurine, Thr, 3-MeHis, 0.868; Taurine, Tyr, hArg, 0.868; Taurine, Tyr, N6-AcLys, 0.868; Taurine, Ile, GABA, 0.868; Taurine, Leu, MeCys, 0.868; Taurine, Phe, ADMA, 0.868; Taurine, Phe, Cystathionine, 0.868; Taurine, ADMA, MeCys, 0.868; Taurine, Cystathionine, MCSO1/MCSO2, 0.868; Taurine, Cystathionine, MeCys, 0.868; Taurine, GABA, N6-AcLys, 0.868; Gln, Taurine, bAiBA, 0.868; Taurine, Ile, bAiBA, 0.868; Taurine, Phe, bABA, 0.868; Taurine, bABA, Cystathionine, 0.868; Taurine, bABA, GABA, 0.868; Asn, Taurine, ADMA, 0.868; Gln, Taurine, Hypro, 0.868; Gln, Taurine, N6-AcLys, 0.868; Taurine, His, Cit, 0.868; Taurine, His, Hypotaurine, 0.868; Taurine, Cit, GABA, 0.868; Taurine, Cit, MeCys, 0.868; Taurine, Arg, hArg, 0.868; Taurine, Tyr, ADMA, 0.868; Taurine, Val, Hypotaurine, 0.868; Taurine, Met, MCSO2, 0.868; Taurine, GABA, Hypotaurine, 0.868; Taurine, GABA, MCSO2/MeCys, 0.868; Taurine, Hypotaurine, Hypro, 0.868; Taurine, Kyn, MCSO2/MeCys, 0.868; Taurine, Phe, Thioproline, 0.868; Taurine, bAiBA, Hypotaurine, 0.868; Taurine, bAiBA, Hypro, 0.868; Taurine, MCSO1/MCSO2, Thioproline, 0.868; Glu, Taurine, Kyn, 0.868; Asn, Taurine, Cit, 0.868; Gln, Taurine, Tyr, 0.868; Gln, Taurine, Hypotaurine, 0.868; Taurine, Thr, Cystathionine, 0.868; Taurine, Arg, Tyr, 0.868; Taurine, Arg, N6-AcLys, 0.868; Taurine, aABA, GABA, 0.868; Taurine, Val, Trp, 0.868; Taurine, Val, hArg, 0.868; Taurine, Orn, Cystathionine, 0.868; Taurine, Ile, Hypotaurine, 0.868; Taurine, Phe, MCSO1/MCSO2, 0.868; Taurine, MCSO1, N8-AcSpd, 0.868; Taurine, bAiBA, N8-AcSpd, 0.868; Glu, Taurine, Kyn/Trp, 0.867; Glu, Taurine, MCSO2/MeCys, 0.867; Ser, Asn, Taurine, 0.867; Ser, Gly, Taurine, 0.867; Ser, Taurine, His, 0.867; Ser, Taurine, Phe, 0.867; Ser, Taurine, Hypro, 0.867; Asn, Gly, Taurine, 0.867; Asn, Gln, Taurine, 0.867; Gly, Gln, Taurine, 0.867; Taurine, His, Met, 0.867; Taurine, Ala, MeCys, 0.867; Taurine, Arg, GABA, 0.867; Taurine, Tyr, Orn, 0.867; Taurine, Tyr, Hypotaurine, 0.867; Taurine, Val, ADMA, 0.867; Taurine, Trp, MCSO1/MCSO2, 0.867; Taurine, ADMA, GABA, 0.867; Taurine, Cystathionine, MCSO1, 0.867; Taurine, Tyr, Thioproline, 0.867; Taurine, bABA, N8-AcSpd, 0.867; Glu, Taurine, Put, 0.867; Asn, Taurine, N6-AcLys, 0.867; Taurine, Ala, Tyr, 0.867; Taurine, Arg, Phe, 0.867; Taurine, Arg, Trp, 0.867; Taurine, Arg, ADMA, 0.867; Taurine, Pro, MeCys, 0.867; Taurine, Val, N6-AcLys, 0.867; Taurine, Orn, Hypro, 0.867; Taurine, Lys, Ile, 0.867; Taurine, Ile, Phe, 0.867; Taurine, Ile, N6-AcLys, 0.867; Taurine, Phe, GABA, 0.867; Taurine, Phe, hArg, 0.867; Taurine, Trp, Hypro, 0.867; Taurine, Hypotaurine, MCSO1/MCSO2, 0.867; Taurine, Hypotaurine, N6-AcLys, 0.867; Taurine, His, bAiBA, 0.867; Taurine, His, Thioproline, 0.867; Taurine, Tyr, bAiBA, 0.867; Taurine, Val, bAiBA, 0.867; Taurine, MeCys, Thioproline, 0.867; Ser, Taurine, bABA, 0.867; Ser, Taurine, Trp, 0.867; Asn, Taurine, GABA, 0.867; Gln, Taurine, Val, 0.867; Gln, Taurine, Trp, 0.867; Taurine, His, GABA, 0.867; Taurine, His, Hypro, 0.867; Taurine, Tyr, Phe, 0.867; Taurine, Tyr, GABA, 0.867; Taurine, Met, Ile, 0.867; Taurine, Orn, GABA, 0.867; Taurine, Orn, N6-AcLys, 0.867; Taurine, Lys, GABA, 0.867; Taurine, hArg, MCSO1/MCSO2, 0.867; Taurine, MeCys, N8-AcSpd, 0.867; Asn, Taurine, bAiBA, 0.867; Taurine, Trp, bAiBA, 0.867; Taurine, bAiBA, Cystathionine, 0.867; Glu, Taurine, 3-MeHis, 0.867; Glu, Taurine, SDMA, 0.867; Ser, Taurine, Arg, 0.867; Asn, Taurine, hArg, 0.867; Gly, Taurine, Hypotaurine, 0.867; Gln, Taurine, Arg, 0.867; Taurine, His, Arg, 0.867; Taurine, His, Leu, 0.867; Taurine, Cit, MCSO1, 0.867; Taurine, Arg, Hypotaurine, 0.867; Taurine, aABA, hArg, 0.867; Taurine, Met, MeCys, 0.867; Taurine, Met, N6-AcLys, 0.867; Taurine, Orn, Ile, 0.867; Taurine, Lys, ADMA, 0.867; Taurine, Leu, N8-AcSpd, 0.867; Taurine, ADMA, N6-AcLys, 0.867; Taurine, MCSO1/MCSO2, N8-AcSpd, 0.867; Taurine, MCSO2/MeCys, SDMA, 0.867; Taurine, bABA, bAiBA, 0.867; Taurine, Pipecolic acid, SDMA, 0.867; Taurine, Cystathionine, Sar, 0.867; Asn, Taurine, Thioproline, 0.867; Gln, Taurine, Thioproline, 0.867; Taurine, Orn, bAiBA, 0.867; Taurine, ADMA, Thioproline, 0.867; Taurine, Cit, aAAA, 0.867; Taurine, Tyr, bABA, 0.867; Taurine, Ile, bABA, 0.867; Asn, Taurine, Val, 0.866; Asn, Taurine, Hypotaurine, 0.866; Gly, Taurine, Ile, 0.866; Gly, Taurine, Trp, 0.866; Gln, Taurine, hArg, 0.866; Taurine, His, Tyr, 0.866; Taurine, His, N6-AcLys, 0.866; Taurine, Thr, Put, 0.866; Taurine, Ala, GABA, 0.866; Taurine, Arg, Hypro, 0.866; Taurine, Tyr, Trp, 0.866; Taurine, Val, Leu, 0.866; Taurine, Lys, Phe, 0.866; Taurine, Ile, Trp, 0.866; Taurine, Trp, Hypotaurine, 0.866; Taurine, Trp, MeCys, 0.866; Taurine, MCSO2, N6-AcLys, 0.866; Gly, Taurine, bAiBA, 0.866; Taurine, Arg, bAiBA, 0.866; Taurine, Met, Thioproline, 0.866; Ser, Taurine, Val, 0.866; Ser, Taurine, N6-AcLys, 0.866; Asn, Taurine, Met, 0.866; Asn, Taurine, Trp, 0.866; Gly, Taurine, N6-AcLys, 0.866; Taurine, His, Phe, 0.866; Taurine, His, ADMA, 0.866; Taurine, Ala, hArg, 0.866; Taurine, Orn, N8-AcSpd, 0.866; Taurine, Lys, MCSO2/MeCys, 0.866; Taurine, Lys, MeCys, 0.866; Taurine, Leu, MCSO1/MCSO2, 0.866; Taurine, hArg, Hypro, 0.866; Taurine, 3-MeHis, Pipecolic acid, 0.866; Taurine, Kyn/BCAA, PEA, 0.866; Taurine, Ala, Thioproline, 0.866; Taurine, Phe, bAiBA, 0.866; Asn, Taurine, bABA, 0.866; Gly, Taurine, bABA, 0.866; Taurine, Val, bABA, 0.866; Taurine, bABA, Hypotaurine, 0.866; Ser, Taurine, hArg, 0.866; Ser, Taurine, Hypotaurine, 0.866; Ser, Taurine, MeCys, 0.866; Gly, Taurine, Hypro, 0.866; Taurine, His, Trp, 0.866; Taurine, Tyr, Lys, 0.866; Taurine, Tyr, Leu, 0.866; Taurine, Met, hArg, 0.866; Taurine, Orn, ADMA, 0.866; Taurine, Phe, MCSO2/MeCys, 0.866; Taurine, Trp, N6-AcLys, 0.866; Taurine, 3-MeHis, MCSO2/MeCys, 0.866; Taurine, MCSO1, MCSO1/MCSO2, 0.866; Gl
y, Taurine, Thioproline, 0.866; Taurine, bABA, N6-AcLys, 0.866; Asn, Taurine, MeCys, 0.866; Gly, Taurine, Val, 0.866; Taurine, Arg, Val, 0.866; Taurine, Val, Phe, 0.866; Taurine, Val, MeCys, 0.866; Taurine, Met, ADMA, 0.866; Taurine, Lys, Hypro, 0.866; Taurine, Leu, Trp, 0.866; Taurine, Cystathionine, MCSO2/MeCys, 0.866; Taurine, Hypro, MeCys, 0.866; Taurine, bAiBA, N6-AcLys, 0.866; Taurine, Arg, bABA, 0.866; Taurine, bABA, hArg, 0.866; Taurine, bABA, MeCys, 0.866; Asn, Taurine, Lys, 0.865; Asn, Taurine, Phe, 0.865; Asn, Taurine, Hypro, 0.865; Gly, Taurine, Orn, 0.865; Gly, Taurine, Phe, 0.865; Taurine, His, Val, 0.865; Taurine, Thr, N8-AcSpd, 0.865; Taurine, Ala, Trp, 0.865; Taurine, aABA, Tyr, 0.865; Taurine, aABA, Phe, 0.865; Taurine, Tyr, Val, 0.865; Taurine, Tyr, MeCys, 0.865; Taurine, Val, Hypro, 0.865; Taurine, Ile, MCSO1/MCSO2, 0.865; Taurine, Leu, hArg, 0.865; Taurine, Phe, MeCys, 0.865; Taurine, Trp, hArg, 0.865; Taurine, hArg, N8-AcSpd, 0.865; Taurine, Hypro, MCSO1/MCSO2, 0.865; Taurine, N6-AcLys, N8-AcSpd, 0.865; Taurine, Val, Thioproline, 0.865; Gln, Taurine, bABA, 0.865; Taurine, bABA, Hypro, 0.865; Ser, Taurine, Met, 0.865; Asn, Taurine, Ile, 0.865; Gly, Taurine, Arg, 0.865; Gly, Taurine, hArg, 0.865; Gly, Taurine, MCSO1/MCSO2, 0.865; Gly, Taurine, MeCys, 0.865; Taurine, Ala, Arg, 0.865; Taurine, Ala, ADMA, 0.865; Taurine, Arg, MeCys, 0.865; Taurine, Val, Ile, 0.865; Taurine, Met, MCSO2/MeCys, 0.865; Taurine, Orn, MeCys, 0.865; Taurine, Lys, MCSO1/MCSO2, 0.865; Taurine, Kyn/Trp, N6-AcLys, 0.865; Taurine, Arg, Thioproline, 0.865; Ser, Taurine, MCSO1/MCSO2, 0.865; Asn, Taurine, Arg, 0.865; Gln, Taurine, Orn, 0.865; Taurine, His, Ala, 0.865; Taurine, Ala, Met, 0.865; Taurine, Cit, MCSO2/MeCys, 0.865; Taurine, aABA, MCSO1/MCSO2, 0.865; Taurine, aABA, MeCys, 0.865; Taurine, Val, MCSO2/MeCys, 0.865; Taurine, Met, Hypro, 0.865; Taurine, Orn, Phe, 0.865; Taurine, Ile, MeCys, 0.865; Taurine, Leu, Hypro, 0.865; Taurine, hArg, MCSO2/MeCys, 0.865; Taurine, Trp, Thioproline, 0.865; Taurine, aAAA, MCSO2, 0.865; Taurine, His, bABA, 0.865; Taurine, Trp, bABA, 0.865; Taurine, His, hArg, 0.865; Taurine, Thr, Cit, 0.865; Taurine, Ala, Ile, 0.865; Taurine, Ala, MCSO2/MeCys, 0.865; Taurine, Arg, Met, 0.865; Taurine, Arg, MCSO1/MCSO2, 0.865; Taurine, Pro, ADMA, 0.865; Taurine, aABA, Hypro, 0.865; Taurine, Val, Met, 0.865; Taurine, Val, Orn, 0.865; Taurine, Met, Trp, 0.865; Taurine, Met, Hypotaurine, 0.865; Taurine, Leu, N6-AcLys, 0.865; Taurine, Phe, MCSO1, 0.865; Taurine, bAiBA, Thioproline, 0.865; Ser, Taurine, Thioproline, 0.865; Taurine, Ala, bAiBA, 0.865; Taurine, Pro, Thioproline, 0.865; Taurine, N6-AcLys, Thioproline, 0.865; Taurine, N8-AcSpd, Thioproline, 0.865; Taurine, bABA, MCSO2/MeCys, 0.865; Ser, Taurine, aABA, 0.864; Gln, Taurine, Met, 0.864; Taurine, His, Thr, 0.864; Taurine, His, MeCys, 0.864; Taurine, Pro, Met, 0.864; Taurine, Tyr, MCSO2/MeCys, 0.864; Taurine, Val, MCSO1/MCSO2, 0.864; Taurine, Met, Lys, 0.864; Taurine, Orn, Trp, 0.864; Taurine, Phe, Trp, 0.864; Taurine, Cystathionine, N6-AcLys, 0.864; Taurine, N6-AcLys, Sar, 0.864; Taurine, aABA, Thioproline, 0.864; Taurine, Met, bAiBA, 0.864; Taurine, Orn, Thioproline, 0.864; Taurine, Ile, Thioproline, 0.864; Taurine, Hypro, Thioproline, 0.864; Asn, Taurine, Pro, 0.864; Gly, Taurine, His, 0.864; Gly, Taurine, MCSO2/MeCys, 0.864; Taurine, His, Orn, 0.864; Taurine, Ala, Orn, 0.864; Taurine, Ala, Hypotaurine, 0.864; Taurine, Arg, aABA, 0.864; Taurine, Leu, Hypotaurine, 0.864; Taurine, Phe, N6-AcLys, 0.864; Taurine, Hypro, N6-AcLys, 0.864; Taurine, MCSO2/MeCys, Thioproline, 0.864; Taurine, Sar, Thioproline, 0.864; Taurine, Cit, Sar, 0.864; Glu, Taurine, MeCys, 0.864; Ser, Taurine, Ala, 0.864; Ser, Taurine, Orn, 0.864; Gln, Taurine, Pro, 0.864; Taurine, His, Pro, 0.864; Taurine, Ala, MCSO1/MCSO2, 0.864; Taurine, Pro, Leu, 0.864; Taurine, Met, Orn, 0.864; Taurine, Orn, Hypotaurine, 0.864; Taurine, Orn, MCSO1/MCSO2, 0.864; Taurine, N6-AcLys, SDMA, 0.864; Taurine, Cysteic acid, Kyn/BCAA, 0.864; Taurine, Leu, Thioproline, 0.864; Taurine, bAiBA, MeCys, 0.864; Taurine, Hypotaurine, Thioproline, 0.864; Taurine, Met, bABA, 0.864; Taurine, bABA, MCSO1/MCSO2, 0.864; Glu, Taurine, N8-AcSpd, 0.864; Asn, Taurine, aABA, 0.864; Gly, Taurine, Ala, 0.864; Gln, Taurine, MCSO1/MCSO2, 0.864; Taurine, Thr, MCSO2/MeCys, 0.864; Taurine, Ala, N6-AcLys, 0.864; Taurine, Ala, N8-AcSpd, 0.864; Taurine, Pro, Phe, 0.864; Taurine, Pro, Trp, 0.864; Taurine, Pro, hArg, 0.864; Taurine, Tyr, MCSO1, 0.864; Taurine, Orn, hArg, 0.864; Taurine, Hypotaurine, MCSO2, 0.864; Taurine, Kyn, N6-AcLys, 0.864; Taurine, MCSO1, MeCys, 0.864; Taurine, MCSO2, Sar, 0.864; Taurine, bABA, Thioproline, 0.864; Taurine, MCSO2, Pipecolic acid, 0.864; Ser, Taurine, Pro, 0.864; Ser, Taurine, Leu, 0.864; Gly, Taurine, Met, 0.864; Gln, Taurine, MeCys, 0.864; Taurine, Thr, N6-AcLys, 0.864; Taurine, Ala, Val, 0.864; Taurine, Ala, Hypro, 0.864; Taurine, Arg, Orn, 0.864; Taurine, Pro, Hypotaurine, 0.864; Taurine, aABA, Met, 0.864; Taurine, Tyr, Met, 0.864; Taurine, Met, Phe, 0.864; Taurine, Trp, MCSO2/MeCys, 0.864; Taurine, Hypro, MCSO2/MeCys, 0.864; Taurine, MCSO1/MCSO2, MCSO2/MeCys, 0.864; Taurine, MCSO1/MCSO2, N6-AcLys, 0.864; Taurine, aAAA, Cystathionine, 0.863; Taurine, aAAA, MCSO2/MeCys, 0.863; Asn, Taurine, Ala, 0.863; Asn, Taurine, Orn, 0.863; Gln, Taurine, His, 0.863; Gln, Taurine, Ala, 0.863; Gln, Taurine, Leu, 0.863; Taurine, Thr, GABA, 0.863; Taurine, Ala, aABA, 0.863; Taurine, Arg, Leu, 0.863; Taurine, aABA, Trp, 0.863; Taurine, MeCys, N6-AcLys, 0.863; Gln, Taurine, aAAA, 0.863; Gln, Taurine, aABA, 0.863; Taurine, Ala, Phe, 0.863; Taurine, Pro, Tyr, 0.863; Taurine, aABA, ADMA, 0.863; Taurine, Leu, MCSO1, 0.863; Taurine, GABA, MCSO1, 0.863; Taurine, Lys, Thioproline, 0.863; Taurine, bAiBA, hArg, 0.863; Taurine, bAiBA, MCSO1/MCSO2, 0.863; Glu, Taurine, Cit, 0.863; Asn, Taurine, Leu, 0.863; Asn, Taurine, MCSO2/MeCys, 0.863; Gln, Taurine, MCSO2/MeCys, 0.863; Taurine, Arg, MCSO2/MeCys, 0.863; Taurine, Met, Leu, 0.863; Taurine, Lys, hArg, 0.863; Taurine, Ile, MCSO2/MeCys, 0.863; Taurine, hArg, MCSO1, 0.863; Taurine, bAiBA, MCSO1, 0.863; Taurine, His, aAAA, 0.863; Taurine, Tyr, aAAA, 0.863; Taurine, Cysteic acid, hArg, 0.863; Gly, Taurine, Pro, 0.863; Gly, Taurine, Leu, 0.863; Taurine, Arg, Pro, 0.863; Taurine, aABA, Hypotaurine, 0.863; Taurine, Orn, MCSO2/MeCys, 0.863; Taurine, Leu, ADMA, 0.863; Taurine, Ala, bABA, 0.863; Taurine, Pro, bABA, 0.863; Taurine, Orn, bABA, 0.863; Taurine, Kyn/Trp, Pipecolic acid, 0.862; Taurine, GABA, Sar, 0.862; Taurine, MeCys, Sar, 0.862; Taurine, aABA, bAiBA, 0.862; Taurine, Arg, Lys, 0.862; Taurine, Pro, Val, 0.862; Taurine, aABA, Val, 0.862; Taurine, aABA, Ile, 0.862; Taurine, Leu, bABA, 0.862; Taurine, PEA, SDMA, 0.862; Taurine, Pro, bAiBA, 0.862; Taurine, MCSO1, Thioproline, 0.862; Ser, Taurine, MCSO2/MeCys, 0.862; Taurine, His, aABA, 0.862; Taurine, Ala, Leu, 0.862; Taurine, Pro, Orn, 0.862; Taurine, Pro, Hypro, 0.862; Taurine, aABA, N6-AcLys, 0.862; Taurine, MCSO2/MeCys, N8-AcSpd, 0.862; Taurine, Cysteic acid, Put, 0.862; Taurine, 3-MeHis, PEA, 0.862; Taurine, Thr, Thioproline, 0.862; Glu, Taurine, Cystathionine, 0.862; Glu, Taurine, GABA, 0.862; Taurine, His, MCSO1/MCSO2, 0.862; Taurine, Thr, hArg, 0.862; Taurine, aABA, MCSO2/MeCys, 0.862; Taurine, Ile, MCSO1, 0.862; Taurine, Leu, MCSO2/MeCys, 0.862; Taurine, Hypro, MCSO1, 0.862; Taurine, MCSO1, MCSO2/MeCys, 0.862; Taurine, aABA, bABA, 0.862; Taurine, Pipecolic acid, Put, 0.862; Taurine, Leu, bAiBA, 0.862; Asn, Taurine, Thr, 0.862; Gly, Taurine, aABA, 0.862; Taurine, Thr, Arg, 0.862; Taurine, Pro, Ile, 0.862; Taurine, aABA, Lys, 0.862; Taurine, bAiBA, MCSO2/MeCys, 0.861; Gln, Taurine, MCSO1, 0.861; Taurine, His, Lys, 0.861; Taurine, Thr, Ala, 0.861; Taurine, Pro, GABA, 0.861; Taurine, aAAA, ADMA, 0.861; Taurine, Met, Sar, 0.861; Taurine, Hypotaurine, Sar, 0.861; Asn, Taurine, MCSO1/MCSO2, 0.861; Taurine, Met, MCSO1/MCSO2, 0.861; Taurine, Lys, Leu, 0.861; Taurine, MCSO2/MeCys, N6-AcLys, 0.861; Ser, Taurine, aAAA, 0.861; Taurine, ADMA, Sar, 0.861; Taurine, bAiBA, Sar, 0.861; Taurine, aABA, Orn, 0.861; Taurine, Lys, Trp, 0.861; Taurine, Lys, bAiBA, 0.861; Taurine, Kyn, Pipecolic acid, 0.861; Taurine, Ile, aAAA, 0.861; Taurine, Phe, aAAA, 0.861; Taurine, aAAA, Hypro, 0.861; Gly, Taurine, MCSO1, 0.861; Taurine, Thr, Val, 0.861; Taurine, Thr, ADMA, 0.861; Taurine, Thr, Hypro, 0.861; Taurine, Pro, N8-AcSpd, 0.861; Taurine, aABA, MCSO1, 0.861; Taurine, Val, Lys, 0.861; Taurine, Orn, Leu, 0.861; Taurine, aAAA, bAiBA, 0.861; Taurine, Arg, Sar, 0.86; Glu, Taurine, Thioproline, 0.86; Ser, Taurine, MCSO1, 0.86; Taurine, Val, MCSO1, 0.86; Taurine, Orn, Lys, 0.86; Taurine, Orn, MCSO1, 0.86; Taurine, ADMA, MCSO2/MeCys, 0.86; Taurine, Cysteic acid, Kyn, 0.86; Taurine, Trp, Sar, 0.86; Taurine, Lys, bABA, 0.86; Taurine, aAAA, Put, 0.86; Ser, Taurine, Sar, 0.86; Glu, Taurine, aABA, 0.86; Glu, Taurine, Tyr, 0.86; Taurine, Thr, aABA, 0.86; Taurine, Thr, Orn, 0.86; Taurine, Thr, Trp, 0.86; Taurine, Arg, MCSO1, 0.86; Taurine, Val, aAAA, 0.86; Taurine, aAAA, GABA, 0.86; Gly, Taurine, Lys, 0.86; Taurine, His, MCSO2/MeCys, 0.86; Taurine, Thr, Tyr, 0.86; Taurine, Ala, Pro, 0.86; Taurine, aABA, Leu, 0.86; Taurine, Met, MCSO1, 0.86; Taurine, Lys, Hypotaurine, 0.86; Taurine, aAAA, MCSO1/MCSO2, 0.859; Taurine, aAAA, Thioproline, 0.859; Glu, Taurine, ADMA, 0.859; Ser, Taurine, Lys, 0.859; Taurine, Cit, N6-AcLys, 0.859; Taurine, Cit, Pipecolic acid, 0.859; Taurine, bABA, MCSO1, 0.859; Asn, Taurine, aAAA, 0.859; Taurine, Trp, aAAA, 0.859; Taurine, aAAA, N6-AcLys, 0.859; Taurine, Kyn/Trp, PEA, 0.859; Taurine, Thr, bAiBA, 0.859; Taurine, Pro, MCSO2/MeCys, 0.859; Taurine, Hypotaurine, MCSO1, 0.859; Taurine, Hypotaurine, MCSO2/MeCys, 0.859; Taurine, Hypotaurine, MeCys, 0.859; 1-MeHis, N8-AcSpd, Spd, 0.859; Glu, Taurine, bABA, 0.859; Taurine, Cysteic acid, MCSO2/MeCys, 0.859; Taurine, Cysteic acid, SDMA, 0.859; Taurine, Tyr, Sar, 0.859; Taurine, Phe, Sar, 0.859; Taurine, Thr, Pro, 0.859; Taurine, Thr, Phe, 0.859; Taurine, Thr, Hypotaurine, 0.859; Taurine, Thr, MCSO1/MCSO2, 0.859; Taurine, Ala, Lys, 0.859; Taurine, Pro, aABA, 0.859; Taurine, ADMA, MCSO1, 0.859; Taurine, Thr, bABA, 0.859; Taurine, Kyn
, PEA, 0.859; Glu, Gly, Taurine, 0.859; Glu, Taurine, Phe, 0.859; Taurine, Pro, MCSO1/MCSO2, 0.859; Taurine, Lys, MCSO1, 0.859; Gln, Taurine, Sar, 0.859; Taurine, MCSO1/MCSO2, Sar, 0.859; Taurine, N8-AcSpd, Pipecolic acid, 0.858; Taurine, Cysteic acid, Kyn/Trp, 0.858; Taurine, Cysteic acid, MeCys, 0.858; Glu, Taurine, Arg, 0.858; Glu, Taurine, Hypro, 0.858; Asn, Taurine, MCSO1, 0.858; Taurine, His, MCSO1, 0.858; Gly, Taurine, aAAA, 0.858; Taurine, Arg, aAAA, 0.858; Taurine, Put, Sar, 0.858; Glu, Taurine, Met, 0.858; Gly, Taurine, Thr, 0.858; Taurine, Thr, Leu, 0.858; Taurine, bABA, Sar, 0.858; Taurine, Met, aAAA, 0.858; Glu, Taurine, bAiBA, 0.858; Glu, Ser, Taurine, 0.858; Glu, Taurine, Orn, 0.858; Glu, Taurine, hArg, 0.858; Taurine, Thr, Met, 0.858; Taurine, Thr, Ile, 0.858; Taurine, Pro, Lys, 0.858; Taurine, Trp, MCSO1, 0.858; Taurine, aAAA, MeCys, 0.858; Taurine, Cystathionine, Pipecolic acid, 0.858; Glu, Taurine, MCSO1/MCSO2, 0.858; 1-MeHis, MCSO1/MCSO2, Spd, 0.858; Taurine, Ala, aAAA, 0.857; Taurine, aAAA, Hypotaurine, 0.857; Gln, Taurine, Thr, 0.857; Taurine, aABA, Cysteic acid, 0.857; Asn, Taurine, Sar, 0.857; Gly, Taurine, Sar, 0.857; Taurine, Val, Sar, 0.857; Taurine, aAAA, bABA, 0.857; Glu, Taurine, His, 0.857; Taurine, MCSO1, N6-AcLys, 0.857; Taurine, Ile, Sar, 0.857; Glu, Asn, Taurine, 0.857; Taurine, Orn, Sar, 0.857; Taurine, aAAA, hArg, 0.857; Taurine, N8-AcSpd, PEA, 0.857; Taurine, Thr, MCSO1, 0.856; Taurine, N8-AcSpd, Sar, 0.856; Glu, Gln, Taurine, 0.856; Taurine, MCSO2, PEA, 0.856; Glu, Taurine, MCSO1, 0.856; Gln, Taurine, Lys, 0.856; Taurine, Thr, Lys, 0.856; Taurine, Orn, aAAA, 0.856; Taurine, hArg, Sar, 0.856; Taurine, Hypro, Sar, 0.856; Glu, Taurine, Trp, 0.855; Glu, Taurine, N6-AcLys, 0.855; Taurine, Ala, MCSO1, 0.855; Taurine, aABA, aAAA, 0.855; Glu, Taurine, Ile, 0.855; Ser, Taurine, Thr, 0.855; Taurine, Pipecolic acid, Thioproline, 0.855; Taurine, Trp, Pipecolic acid, 0.855; Taurine, Lys, Cysteic acid, 0.855; Taurine, Cysteic acid, N8-AcSpd, 0.855; Glu, Taurine, Lys, 0.855; Taurine, Pro, aAAA, 0.855; Taurine, aAAA, MCSO1, 0.855; Taurine, hArg, Pipecolic acid, 0.855; Taurine, Cit, PEA, 0.854; Taurine, Leu, aAAA, 0.854; Glu, Taurine, Val, 0.854; Glu, Taurine, Leu, 0.854; Taurine, Thr, Cysteic acid, 0.854; Taurine, GABA, Pipecolic acid, 0.854; Taurine, Hypotaurine, Pipecolic acid, 0.854; Taurine, Phe, Pipecolic acid, 0.853; Taurine, Ala, Sar, 0.853; Gln, Taurine, Pipecolic acid, 0.853; Taurine, His, PEA, 0.853; Glu, Taurine, Ala, 0.853; Glu, Taurine, Hypotaurine, 0.853; Taurine, Hypro, Pipecolic acid, 0.853; Taurine, bAiBA, Pipecolic acid, 0.853; Taurine, Leu, Sar, 0.853; Ser, Taurine, Pipecolic acid, 0.853; Taurine, Met, Pipecolic acid, 0.853; Taurine, Lys, Pipecolic acid, 0.853; Taurine, MeCys, Pipecolic acid, 0.853; Taurine, GABA, PEA, 0.853; Taurine, Cysteic acid, GABA, 0.853; Taurine, His, Sar, 0.852; Gly, Taurine, Pipecolic acid, 0.852; Taurine, Tyr, Pipecolic acid, 0.852; Taurine, Val, Pipecolic acid, 0.852; Taurine, PEA, Put, 0.852; Taurine, MCSO1/MCSO2, Pipecolic acid, 0.852; Taurine, aABA, Sar, 0.852; Glu, Taurine, Thr, 0.852; Glu, Taurine, Pro, 0.852; Taurine, Ile, Pipecolic acid, 0.852; Taurine, Leu, Cysteic acid, 0.852; 1-MeHis, MCSO2, Spd, 0.852; Taurine, Thr, aAAA, 0.852; Asn, Taurine, Pipecolic acid, 0.851; Taurine, Leu, Pipecolic acid, 0.851; Taurine, ADMA, Pipecolic acid, 0.851; Taurine, hArg, PEA, 0.851; Taurine, ADMA, PEA, 0.851; Taurine, aABA, Pipecolic acid, 0.851; Taurine, His, Cysteic acid, 0.851; Taurine, MeCys, PEA, 0.851; Taurine, Pro, MCSO1, 0.851; Taurine, Cystathionine, PEA, 0.851; MCSO2, N8-AcSpd, Put, 0.851; Taurine, Pro, Sar, 0.851; Taurine, Tyr, PEA, 0.85; Taurine, MCSO2/MeCys, PEA, 0.85; Taurine, N6-AcLys, PEA, 0.85; Taurine, Ala, Pipecolic acid, 0.85; Taurine, MCSO2/MeCys, Pipecolic acid, 0.85; Taurine, bABA, Pipecolic acid, 0.85; Taurine, Lys, aAAA, 0.85; Taurine, Arg, PEA, 0.85; Asn, Taurine, Cysteic acid, 0.85; Taurine, Orn, Cysteic acid, 0.85; Taurine, Trp, PEA, 0.85; Taurine, Val, Cysteic acid, 0.85; Taurine, Cysteic acid, Thioproline, 0.85; Ser, Taurine, PEA, 0.85; Asn, Taurine, PEA, 0.85; Taurine, Phe, PEA, 0.849; Taurine, Hypotaurine, PEA, 0.849; Taurine, His, Pipecolic acid, 0.849; Taurine, Lys, Sar, 0.849; Taurine, Met, Cysteic acid, 0.849; Taurine, 3-MeHis, Cysteic acid, 0.849; Gln, Taurine, PEA, 0.849; Taurine, Ile, PEA, 0.849; Taurine, bAiBA, PEA, 0.849; Taurine, Arg, Pipecolic acid, 0.849; Taurine, Cystathionine, Cysteic acid, 0.849; Taurine, Thr, Sar, 0.849; 1-MeHis, Kyn/BCAA, Spd, 0.849; Gly, Taurine, PEA, 0.849; Taurine, PEA, Thioproline, 0.849; Taurine, Cit, Cysteic acid, 0.848; Taurine, Lys, PEA, 0.848; Taurine, Orn, Pipecolic acid, 0.848; Taurine, bABA, PEA, 0.848; Taurine, Tyr, Cysteic acid, 0.848; Taurine, Phe, Cysteic acid, 0.848; Taurine, N6-AcLys, Pipecolic acid, 0.848; Taurine, MCSO2/MeCys, Sar, 0.848; Taurine, Hypro, PEA, 0.848; Taurine, Pro, Pipecolic acid, 0.847; Taurine, Ile, Cysteic acid, 0.847; Taurine, Val, PEA, 0.847; Taurine, Orn, PEA, 0.847; Taurine, MCSO1, Pipecolic acid, 0.847; Taurine, Cysteic acid, MCSO1, 0.847; Taurine, Met, PEA, 0.847; Ser, Taurine, Cysteic acid, 0.847; Gly, Taurine, Cysteic acid, 0.847; Gln, Taurine, Cysteic acid, 0.847; Taurine, aAAA, Sar, 0.847; 1-MeHis, MCSO2/MeCys, Spd, 0.847; Taurine, Ala, Cysteic acid, 0.846; Taurine, Cysteic acid, Hypro, 0.846; Taurine, Leu, PEA, 0.846; Glu, Taurine, aAAA, 0.846; Taurine, Arg, Cysteic acid, 0.846; Taurine, Trp, Cysteic acid, 0.846; Taurine, MCSO1, PEA, 0.846; Taurine, Cysteic acid, Hypotaurine, 0.846; Taurine, bABA, Cysteic acid, 0.846; Taurine, Ala, PEA, 0.845; Taurine, MCSO1, Sar, 0.845; Cit, 1-MeHis, Spd, 0.845; Taurine, Pro, PEA, 0.845; 1-MeHis, Spd, Thioproline, 0.845; Taurine, Cysteic acid, N6-AcLys, 0.845; Glu, Taurine, Sar, 0.844; Taurine, Thr, Pipecolic acid, 0.844; Taurine, bAiBA, Cysteic acid, 0.844; Taurine, ADMA, Cysteic acid, 0.844; Taurine, aAAA, Pipecolic acid, 0.844; Taurine, Pro, Cysteic acid, 0.843; Taurine, Thr, PEA, 0.843; Glu, Taurine, Cysteic acid, 0.842; Taurine, Pipecolic acid, Sar, 0.842; 1-MeHis, Kyn/Trp, Spd, 0.842; Taurine, aABA, PEA, 0.842; 1-MeHis, Kyn, Spd, 0.841; Taurine, MCSO1/MCSO2, PEA, 0.84; 1-MeHis, Pipecolic acid, Spd, 0.84; Taurine, aAAA, Cysteic acid, 0.839; aABA, 1-MeHis, Spd, 0.839; Gln, 1-MeHis, Spd, 0.839; Glu, Taurine, Pipecolic acid, 0.839; Glu, Taurine, PEA, 0.838; 1-MeHis, hArg, Spd, 0.838; Val, 1-MeHis, Spd, 0.838; Taurine, aAAA, PEA, 0.837; Pro, 1-MeHis, Spd, 0.837; 1-MeHis, SDMA, Spd, 0.837; 1-MeHis, GABA, Spd, 0.837; Taurine, Cysteic acid, PEA, 0.837; Thr, 1-MeHis, Spd, 0.837; Ile, 1-MeHis, Spd, 0.836; MCSO1/MCSO2, Spd, Thioproline, 0.836; His, 1-MeHis, Spd, 0.836; MCSO2, Put, Spd, 0.836; Leu, 1-MeHis, Spd, 0.835; 1-MeHis, Hypro, Spd, 0.835; MCSO2, N8-AcSpd, Spd, 0.835; Asn, 1-MeHis, Spd, 0.835; 1-MeHis, MeCys, Spd, 0.835; Kyn/BCAA, MCSO1/MCSO2, Spd, 0.834; 1-MeHis, N6-AcLys, Spd, 0.834; 1-MeHis, bAiBA, Spd, 0.834; Met, 1-MeHis, Spd, 0.833; Trp, 1-MeHis, Spd, 0.833; 1-MeHis, Cystathionine, Spd, 0.833; MCSO2, Spd, Thioproline, 0.833; Taurine, Cysteic acid, Pipecolic acid, 0.833; Arg, 1-MeHis, Spd, 0.833; Phe, 1-MeHis, Spd, 0.833; Kyn/BCAA, MCSO2, Spd, 0.833; Ser, 1-MeHis, Spd, 0.833; Cit, Pro, Spd, 0.832; Gly, 1-MeHis, Spd, 0.832; Ala, 1-MeHis, Spd, 0.832; Taurine, PEA, Pipecolic acid, 0.832; Taurine, Cysteic acid, Sar, 0.832; Lys, MCSO2, Spd, 0.832; aAAA, N8-AcSpd, Spd, 0.832; Lys, 1-MeHis, Spd, 0.832; 1-MeHis, bABA, Spd, 0.831; 1-MeHis, 3-MeHis, Spd, 0.831; MCSO1/MCSO2, N8-AcSpd, Spd, 0.831; 1-MeHis, ADMA, Spd, 0.831; MCSO2, Put, SDMA, 0.83; Taurine, MCSO2, Spm, 0.83; N8-AcSpd, Spd, Thioproline, 0.83; 1-MeHis, aAAA, Spd, 0.83; hArg, MCSO2, Put, 0.83; MCSO2/MeCys, N8-AcSpd, Put, 0.829; Cit, MCSO2, Spd, 0.829; hArg, MCSO2, Spd, 0.829; MCSO2, SDMA, Spd, 0.829; 1-MeHis, MCSO1, Spd, 0.829; Kyn, MCSO1/MCSO2, Spd, 0.829; Tyr, 1-MeHis, Spd, 0.829; MCSO2, Pipecolic acid, Spd, 0.829; MCSO1, MCSO1/MCSO2, Spd, 0.829; N8-AcSpd, Pipecolic acid, Spd, 0.828; aABA, MCSO2, Spd, 0.828; Orn, 1-MeHis, Spd, 0.828; Kyn/Trp, MCSO2, Spd, 0.828; Cit, Pipecolic acid, Spd, 0.828; Ser, MCSO2, Spd, 0.828; MCSO2, MCSO1, Spd, 0.828; Phe, MCSO1/MCSO2, Spd, 0.827; GABA, N8-AcSpd, Spd, 0.827; Kyn/Trp, MCSO1/MCSO2, Spd, 0.827; SDMA, Spd, Thioproline, 0.827; Kyn, MCSO2, Spd, 0.827; Taurine, PEA, Sar, 0.827; Thr, MCSO2, Spd, 0.827; 1-MeHis, MCSO2, Put, 0.827; Kyn/BCAA, Spd, Thioproline, 0.826; Pipecolic acid, SDMA, Spd, 0.826; Gln, MCSO2, Spd, 0.826; MCSO2/MeCys, N8-AcSpd, Spd, 0.826; Kyn, Spd, Thioproline, 0.826; bABA, MCSO2, Spd, 0.826; Pro, MCSO1/MCSO2, Spd, 0.826; MCSO2, MCSO1/MCSO2, Spd, 0.826; Leu, MCSO2, Spd, 0.826; GABA, MCSO2, Spd, 0.826; MeCys, N8-AcSpd, Put, 0.826; MeCys, N8-AcSpd, Spd, 0.826; 1-MeHis, Put, Spd, 0.825; N8-AcSpd, Put, Spd, 0.825; Thr, MCSO2/MeCys, Spm, 0.825; Cit, Ile, Spd, 0.825; Cit, MCSO1/MCSO2, Spd, 0.825; His, MCSO2, Spd, 0.825; Trp, MCSO2, Spd, 0.825; hArg, MeCys, Put, 0.825; Val, MCSO2, Spd, 0.824; Kyn, N8-AcSpd, Spd, 0.824; Kyn/BCAA, MCSO2, Put, 0.824; MeCys, SDMA, Spd, 0.824; Cit, Spd, Thioproline, 0.824; Trp, MCSO1/MCSO2, Spd, 0.824; hArg, MeCys, Spd, 0.824; MCSO1/MCSO2, Pipecolic acid, Spd, 0.824; 3-MeHis, MCSO1/MCSO2, Spd, 0.824; Cystathionine, MCSO1/MCSO2, Spd, 0.824; Kyn/BCAA, Pipecolic acid, Spd, 0.824; Gln, N8-AcSpd, Spd, 0.824; Cit, N8-AcSpd, Spd, 0.824; Pro, Hypro, Spd, 0.824; Ile, MCSO2, Spd, 0.824; Kyn/Trp, Spd, Thioproline, 0.823; Thr, MCSO2/MeCys, Spd, 0.823; Arg, MCSO1/MCSO2, Spd, 0.823; Phe, MCSO2, Spd, 0.823; Trp, N8-AcSpd, Spd, 0.823; MCSO2, MCSO1/MCSO2, Put, 0.823; Ile, MCSO1/MCSO2, Spd, 0.823; Kyn/Trp, MCSO2, Put, 0.823; MCSO2, MCSO2/MeCys, Spd, 0.823; MCSO2, N6-AcLys, SDMA, 0.823; aAAA, Kyn/BCAA, Spd, 0.823; Cit, Val, Spd, 0.823; Pro, MCSO2, Spd, 0.823; aABA, MCSO1/MCSO2, Spd, 0.823; Tyr, MCSO2, Spd, 0.823; MCSO1/MCSO2, N6-AcLys, Spd, 0.823; bAiBA, N8-AcSpd, Spd, 0.823; Kyn/Trp, Pipecolic acid, Spd, 0.823; Lys, MCSO2/MeCys, Spd, 0.823; ADMA, MCSO1/MCSO2, Spd, 0.823; Glu, 1-MeHis, Spd, 0.823; Cit, Kyn/BCAA, Spd, 0.822; Tyr, MCSO1/MCSO2, Spd, 0.822; 3-MeHis, MCSO2, Spd, 0.822; Trp, Spd, Thioproline, 0.822; aABA, MCSO2, Put, 0.822; Orn, MCSO2, Spd, 0.822; Kyn/BCAA, MeCys, Spd, 0.822; MCSO1/MCSO2, MCSO2/MeCys, Spd, 0.822;H
ypro, MCSO2, Spd, 0.822; Hypro, N8-AcSpd, Spd, 0.822; Pro, Spd, Thioproline, 0.822; Leu, Kyn, Spd, 0.822; hArg, MCSO2/MeCys, Spd, 0.822; MCSO2/MeCys, MeCys, Spd, 0.822; MCSO2/MeCys, Pipecolic acid, Spd, 0.822; GABA, MCSO1/MCSO2, Spd, 0.822; Ser, N8-AcSpd, Spd, 0.821; Ala, MCSO1/MCSO2, Spd, 0.821; aABA, Spd, Thioproline, 0.821; Phe, N8-AcSpd, Spd, 0.821; MCSO2, N6-AcLys, Spd, 0.821; ADMA, N8-AcSpd, Spd, 0.821; Ser, MCSO1/MCSO2, Spd, 0.821; Arg, MCSO2, Spd, 0.821; Met, MCSO2, Spd, 0.821; Kyn/Trp, N8-AcSpd, Spd, 0.821; aAAA, Kyn, Spd, 0.821; Lys, MCSO2, Put, 0.821; Leu, SDMA, Spd, 0.821; MCSO1/MCSO2, SDMA, Spd, 0.821; Ala, Spd, Thioproline, 0.821; bAiBA, MCSO1/MCSO2, Spd, 0.821; aAAA, Spd, Thioproline, 0.821; Cysteic acid, MCSO1/MCSO2, Spd, 0.821; His, Cit, Spd, 0.821; Cit, Leu, Spd, 0.821; Cystathionine, MCSO2, Spd, 0.821; Kyn/BCAA, SDMA, Spd, 0.821; Gly, MCSO2, Spd, 0.82; Leu, Spd, Thioproline, 0.82; Tyr, Pipecolic acid, Spd, 0.82; Kyn, Pipecolic acid, Spd, 0.82; Gln, Pro, Spd, 0.82; Tyr, N8-AcSpd, Spd, 0.82; 1-MeHis, Hypotaurine, Spd, 0.82; MCSO2, Put, Sar, 0.82; Gln, MCSO1/MCSO2, Spd, 0.82; Arg, N8-AcSpd, Spd, 0.82; Leu, MCSO1/MCSO2, Spd, 0.82; ADMA, MCSO2, Spd, 0.82; 1-MeHis, MCSO2, Spm, 0.82; Cit, MCSO2, Put, 0.82; Pro, Cystathionine, Spd, 0.82; Pipecolic acid, Spd, Thioproline, 0.82; Asn, MCSO2, Spd, 0.819; Pro, N8-AcSpd, Spd, 0.819; aABA, N8-AcSpd, Spd, 0.819; Ala, MCSO2, Spd, 0.819; Cit, ADMA, Spd, 0.819; Val, N8-AcSpd, Spd, 0.819; Cystathionine, N8-AcSpd, Spd, 0.819; MCSO2, MeCys, Spd, 0.819; N8-AcSpd, SDMA, Spd, 0.819; Tyr, Spd, Thioproline, 0.819; Ile, Spd, Thioproline, 0.819; MeCys, Spd, Thioproline, 0.819; aAAA, bAiBA, Spd, 0.819; Ala, MCSO2, Put, 0.819; Cit, Tyr, Spd, 0.819; Cit, Cystathionine, Spd, 0.819; Cit, Hypro, Spd, 0.819; Ile, N8-AcSpd, Spd, 0.819; MCSO2/MeCys, Put, Spd, 0.819; MCSO2/MeCys, Spd, Thioproline, 0.819; Glu, MCSO2, Spd, 0.819; His, MCSO1/MCSO2, Spd, 0.819; Cit, Trp, Spd, 0.819; Cit, GABA, Spd, 0.819; Cit, MeCys, Spd, 0.819; Ile, Kyn, Spd, 0.819; Pro, aAAA, Spd, 0.819; Ser, Cit, Spd, 0.818; Cit, Phe, Spd, 0.818; Pro, aABA, Spd, 0.818; aABA, Kyn/BCAA, Spd, 0.818; Orn, MCSO1/MCSO2, Spd, 0.818; bAiBA, MCSO2, Spd, 0.818; Cystathionine, Spd, Thioproline, 0.818; Val, Pipecolic acid, Spd, 0.818; aABA, aAAA, Spd, 0.818; aAAA, MCSO2, Spd, 0.818; MeCys, Put, SDMA, 0.818; MeCys, Put, Spd, 0.818; aAAA, Pipecolic acid, Spd, 0.818; Cit, 3-MeHis, Spd, 0.818; Cit, Kyn, Spd, 0.818; Val, Kyn/BCAA, Spd, 0.818; Val, MCSO1/MCSO2, Spd, 0.818; Val, SDMA, Spd, 0.818; Ile, SDMA, Spd, 0.818; hArg, MCSO1/MCSO2, Spd, 0.818; MCSO1/MCSO2, Put, Spd, 0.818; Cit, aAAA, Spd, 0.818; Ile, Hypro, Spd, 0.818; Leu, Phe, Spd, 0.818; Leu, Hypro, Spd, 0.818; bABA, N8-AcSpd, Spd, 0.818; Trp, Pipecolic acid, Spd, 0.818; GABA, Pipecolic acid, Spd, 0.818; Ala, Cit, Spd, 0.818; Pro, SDMA, Spd, 0.818; Kyn, MeCys, Spd, 0.818; Asn, Spd, Thioproline, 0.817; Met, Spd, Thioproline, 0.817; N6-AcLys, N8-AcSpd, Spd, 0.817; Val, aAAA, Spd, 0.817; Cit, SDMA, Spd, 0.817; GABA, SDMA, Spd, 0.817; MCSO1/MCSO2, MeCys, Spd, 0.817; Val, Spd, Thioproline, 0.817; Phe, Spd, Thioproline, 0.817; Cit, bABA, Spd, 0.817; aAAA, GABA, Spd, 0.817; Gly, N8-AcSpd, Spd, 0.817; Tyr, MCSO2, Put, 0.817; Orn, N8-AcSpd, Spd, 0.817; Kyn/BCAA, MCSO2/MeCys, Spd, 0.817; Trp, aAAA, Spd, 0.817; Cit, bAiBA, Spd, 0.817; Orn, Spd, Thioproline, 0.817; Hypro, Spd, Thioproline, 0.817; bABA, MCSO1/MCSO2, Spd, 0.817; Ile, Pipecolic acid, Spd, 0.817; Phe, Pipecolic acid, Spd, 0.817; His, MCSO2, Put, 0.817; 3-MeHis, SDMA, Spd, 0.817; Hypro, MCSO1/MCSO2, Spd, 0.817; Gln, aAAA, Spd, 0.817; Ile, aAAA, Spd, 0.817; aAAA, Hypro, Spd, 0.817; Hypro, Pipecolic acid, Spd, 0.817; Gly, MCSO2, Put, 0.817; Gln, Kyn/BCAA, Spd, 0.817; Thr, Cit, Spd, 0.817; aABA, Trp, Spd, 0.817; Kyn/Trp, MeCys, Spd, 0.817; MCSO2, MCSO1, Put, 0.817; Ser, Spd, Thioproline, 0.816; GABA, Spd, Thioproline, 0.816; aABA, Pipecolic acid, Spd, 0.816; Leu, Pipecolic acid, Spd, 0.816; Asn, N8-AcSpd, Spd, 0.816; Gln, Leu, Spd, 0.816; Arg, MCSO2, Put, 0.816; aABA, Leu, Spd, 0.816; 3-MeHis, Spd, Thioproline, 0.816; N6-AcLys, Spd, Thioproline, 0.816; Ser, aAAA, Spd, 0.816; aABA, Ile, Spd, 0.816; aABA, Cystathionine, Spd, 0.816; aABA, Hypro, Spd, 0.816; Phe, Kyn/BCAA, Spd, 0.816; Kyn, Kyn/BCAA, Spd, 0.816; ADMA, Spd, Thioproline, 0.816; bAiBA, Kyn, Spd, 0.816; 3-MeHis, aAAA, Spd, 0.816; Asn, MCSO1/MCSO2, Spd, 0.816; Gln, Ile, Spd, 0.816; Cit, Met, Spd, 0.816; aABA, Val, Spd, 0.816; aABA, Phe, Spd, 0.816; aABA, 3-MeHis, Spd, 0.816; Leu, MCSO2/MeCys, Spd, 0.816; Cystathionine, Kyn/BCAA, Spd, 0.816; GABA, Kyn/BCAA, Spd, 0.816; MCSO2/MeCys, MeCys, Put, 0.816; Cit, aABA, Spd, 0.816; Pro, Kyn/BCAA, Spd, 0.816; Lys, MCSO1/MCSO2, Spd, 0.816; Trp, Kyn/BCAA, Spd, 0.816; GABA, Kyn, Spd, 0.816; Hypro, Kyn/BCAA, Spd, 0.816; Kyn/Trp, Kyn/BCAA, Spd, 0.816; Kyn/BCAA, N8-AcSpd, Spd, 0.816; bABA, MCSO2, Put, 0.815; GABA, MCSO2/MeCys, Spd, 0.815; Gln, Cit, Spd, 0.815; Ala, N8-AcSpd, Spd, 0.815; Pro, Leu, Spd, 0.815; Pro, MCSO2/MeCys, Spd, 0.815; Val, Kyn, Spd, 0.815; Ile, Cystathionine, Spd, 0.815; Leu, N8-AcSpd, Spd, 0.815; Gln, Pipecolic acid, Spd, 0.815; Pro, Pipecolic acid, Spd, 0.815; Cystathionine, Pipecolic acid, Spd, 0.815; Gln, Spd, Thioproline, 0.815; Cysteic acid, MCSO2, Spd, 0.815; Ser, aABA, Spd, 0.815; Gln, aABA, Spd, 0.815; Cit, Orn, Spd, 0.815; Met, MCSO1/MCSO2, Spd, 0.815; Met, N8-AcSpd, Spd, 0.815; bAiBA, Pipecolic acid, Spd, 0.815; Ser, Kyn/BCAA, Spd, 0.815; Cit, hArg, Spd, 0.815; Pro, Tyr, Spd, 0.815; Pro, Ile, Spd, 0.815; Tyr, Kyn, Spd, 0.815; Tyr, Kyn/BCAA, Spd, 0.815; Orn, MCSO2/MeCys, Spd, 0.815; Orn, SDMA, Spd, 0.815; Ile, GABA, Spd, 0.815; Leu, Trp, Spd, 0.815; Ser, Pipecolic acid, Spd, 0.815; 3-MeHis, Pipecolic acid, Spd, 0.815; bAiBA, MCSO2, Put, 0.815; Cit, Kyn/Trp, Spd, 0.815; Pro, Val, Spd, 0.815; Pro, Trp, Spd, 0.815; Pro, 3-MeHis, Spd, 0.815; Val, Hypro, Spd, 0.815; Ile, 3-MeHis, Spd, 0.815; Ile, Kyn/BCAA, Spd, 0.815; Leu, Kyn/BCAA, Spd, 0.815; 3-MeHis, Kyn/BCAA, Spd, 0.815; MCSO2/MeCys, SDMA, Spd, 0.815; Ala, Pipecolic acid, Spd, 0.814; aAAA, SDMA, Spd, 0.814; Gln, Ala, Spd, 0.814; Arg, Kyn, Spd, 0.814; Orn, Kyn, Spd, 0.814; Lys, Kyn, Spd, 0.814; Trp, MCSO2, Put, 0.814; 1-MeHis, MCSO2/MeCys, Spm, 0.814; aAAA, Cystathionine, Spd, 0.814; aAAA, N6-AcLys, Spd, 0.814; Ser, MeCys, Spd, 0.814; Gln, Hypro, Spd, 0.814; Arg, MCSO2/MeCys, Spd, 0.814; aABA, MeCys, Spd, 0.814; Tyr, Ile, Spd, 0.814; Phe, Kyn, Spd, 0.814; 3-MeHis, Hypro, Spd, 0.814; Cystathionine, Kyn, Spd, 0.814; Cystathionine, MCSO2, Put, 0.814; hArg, Spd, Thioproline, 0.814; Pro, ADMA, Spd, 0.814; Pro, GABA, Spd, 0.814; aABA, Kyn, Spd, 0.814; ADMA, Kyn/BCAA, Spd, 0.814; hArg, N8-AcSpd, Spd, 0.814; Hypotaurine, MCSO2, Spd, 0.814; aAAA, ADMA, Spd, 0.814; Asn, Pipecolic acid, Spd, 0.814; Leu, aAAA, Spd, 0.814; aAAA, MCSO1/MCSO2, Spd, 0.814; Ser, Pro, Spd, 0.814; Gly, Cit, Spd, 0.814; Gln, Cystathionine, Spd, 0.814; Gln, Kyn, Spd, 0.814; Ala, Cystathionine, Spd, 0.814; aABA, ADMA, Spd, 0.814; Ile, Phe, Spd, 0.814; Cystathionine, Hypro, Spd, 0.814; Hypro, Kyn, Spd, 0.814; Hypro, N6-AcLys, Spd, 0.814; Kyn, Kyn/Trp, Spd, 0.814; Kyn, MCSO2/MeCys, Spd, 0.814; Kyn, SDMA, Spd, 0.814; Arg, Spd, Thioproline, 0.813; aABA, bAiBA, Spd, 0.813; MCSO2, PEA, Put, 0.813; Ser, GABA, Spd, 0.813; Gly, SDMA, Spd, 0.813; Gln, Trp, Spd, 0.813; Ala, SDMA, Spd, 0.813; Cit, MCSO2/MeCys, Spd, 0.813; Pro, Kyn, Spd, 0.813; aABA, SDMA, Spd, 0.813; Tyr, Val, Spd, 0.813; Tyr, Hypro, Spd, 0.813; Val, Trp, Spd, 0.813; Trp, Hypro, Spd, 0.813; 3-MeHis, N8-AcSpd, Spd, 0.813; Kyn, MCSO2, Put, 0.813; Kyn/Trp, MCSO2/MeCys, Spd, 0.813; Tyr, aAAA, Spd, 0.813; aAAA, Kyn/Trp, Spd, 0.813; bAiBA, Kyn/BCAA, Spd, 0.813; aABA, bABA, Spd, 0.813; bAiBA, Spd, Thioproline, 0.813; Ser, Gln, Spd, 0.813; Gln, His, Spd, 0.813; Gln, Val, Spd, 0.813; Gln, 3-MeHis, Spd, 0.813; His, MeCys, Spd, 0.813; His, N8-AcSpd, Spd, 0.813; 3-MeHis, Cystathionine, Spd, 0.813; MCSO2, N6-AcLys, Put, 0.813; bAiBA, SDMA, Spd, 0.813; Gln, Tyr, Spd, 0.813; His, MCSO2/MeCys, Spd, 0.813; Tyr, Cystathionine, Spd, 0.813; Met, MCSO2/MeCys, Spd, 0.813; Orn, Kyn/BCAA, Spd, 0.813; Leu, MCSO2, Put, 0.813; Trp, Cystathionine, Spd, 0.813; Hypro, MCSO2, Put, 0.813; Phe, aAAA, Spd, 0.813; Taurine, MCSO2/MeCys, Spm, 0.813; Gln, bAiBA, Spd, 0.813; bABA, Spd, Thioproline, 0.813; Ser, Kyn, Spd, 0.813; Gln, ADMA, Spd, 0.813; Arg, Kyn/BCAA, Spd, 0.813; Pro, N6-AcLys, Spd, 0.813; Tyr, Phe, Spd, 0.813; Ile, N6-AcLys, Spd, 0.813; Phe, GABA, Spd, 0.813; GABA, Kyn/Trp, Spd, 0.813; Hypotaurine, MCSO1/MCSO2, Spd, 0.813; Met, Pipecolic acid, Spd, 0.812; Ser, Trp, Spd, 0.812; Asn, Kyn, Spd, 0.812; Thr, Kyn, Spd, 0.812; Ile, Trp, Spd, 0.812; Leu, Cystathionine, Spd, 0.812; Leu, MeCys, Spd, 0.812; Phe, ADMA, Spd, 0.812; ADMA, Cystathionine, Spd, 0.812; GABA, MCSO2, Put, 0.812; Thr, Spd, Thioproline, 0.812; Gln, GABA, Spd, 0.812; Gln, SDMA, Spd, 0.812; Thr, SDMA, Spd, 0.812; Val, 3-MeHis, Spd, 0.812; Val, Cystathionine, Spd, 0.812; Val, GABA, Spd, 0.812; Pro, bABA, Spd, 0.812; Asn, Kyn/BCAA, Spd, 0.812; Gly, GABA, Spd, 0.812; Gln, MCSO2, Put, 0.812; aABA, Tyr, Spd, 0.812; Tyr, Trp, Spd, 0.812; Met, Kyn, Spd, 0.812; Orn, MCSO2, Put, 0.812; Lys, MeCys, Spd, 0.812; Ile, MCSO2, Put, 0.812; Hypotaurine, MCSO2, Put, 0.812; bABA, Pipecolic acid, Spd, 0.812; Asn, aAAA, Spd, 0.812; Gln, MeCys, Spd, 0.812; His, aABA, Spd, 0.812; Pro, Kyn/Trp, Spd, 0.812; Pro, MCSO2, Put, 0.812; Val, Ile, Spd, 0.812; Trp, Kyn, Spd, 0.812; MCSO2, MCSO2/MeCys, Put, 0.812; 1-MeHis, MCSO2/MeCys, Put, 0.812; ADMA, GABA, Spd, 0.812; Val, bAiBA, Spd, 0.812; bAiBA, Cystathionine, Spd, 0.812; bAiBA, Hypro, Spd, 0.812; MCSO2, Put, Thioproline, 0.812; aAAA, bABA, Spd, 0.811; Asn, Pro, Spd, 0.811; Gly, Kyn/BCAA, Spd, 0.811; Gln, N6-AcLys, Spd, 0.811; Tyr, 3-MeHis, Spd, 0.811; Ile, MCSO2/MeCys, Spd, 0.811; Phe, Cystathionine, Spd, 0.811; Phe, MCSO2, Put, 0.811; 3-MeHis, GABA, Spd, 0.811; ADMA, Hypro, Spd, 0.811; Cystathionine, SDMA, Spd, 0.811; hArg, Kyn/BCAA, Spd, 0.811; Pro, bAiBA, Spd, 0.811; Ile, bAiBA, Spd, 0.811; bABA, Kyn/BCAA, Spd, 0.811; bABA, MCSO2/MeCys, Spd, 0.811; Gly, MCSO1/MCSO2, Spd, 0.811; Ala, aABA, Spd, 0.811; Tyr, N6-AcLys, Spd, 0.811; Val, Phe, Spd, 0.811; Lys, N8-AcSpd, Spd, 0.811; Ile, Kyn/Trp, Spd, 0.811; Leu, ADMA, Spd,
0.811; ADMA, Kyn/Trp, Spd, 0.811; ADMA, MCSO2, Put, 0.811; MCSO1, N8-AcSpd, Spd, 0.811; His, aAAA, Spd, 0.811; N6-AcLys, Pipecolic acid, Spd, 0.811; bAiBA, GABA, Spd, 0.811; bABA, GABA, Spd, 0.811; bABA, Kyn, Spd, 0.811; Ser, Ile, Spd, 0.811; Ser, Leu, Spd, 0.811; Gln, Phe, Spd, 0.811; His, Pro, Spd, 0.811; Thr, MCSO1/MCSO2, Spd, 0.811; aABA, Met, Spd, 0.811; aABA, MCSO2/MeCys, Spd, 0.811; Tyr, Leu, Spd, 0.811; ADMA, N6-AcLys, Spd, 0.811; Hypotaurine, Kyn/BCAA, Spd, 0.811; MCSO2/MeCys, N6-AcLys, Spd, 0.811; Put, SDMA, Spd, 0.811; Lys, Spd, Thioproline, 0.811; Gln, bABA, Spd, 0.811; Ser, SDMA, Spd, 0.811; Thr, Cystathionine, Spd, 0.811; Ala, Pro, Spd, 0.811; Arg, Pro, Spd, 0.811; Pro, hArg, Spd, 0.811; Pro, Hypotaurine, Spd, 0.811; Tyr, MCSO2/MeCys, Spd, 0.811; Val, ADMA, Spd, 0.811; Met, Kyn/BCAA, Spd, 0.811; Leu, 3-MeHis, Spd, 0.811; Phe, 3-MeHis, Spd, 0.811; 3-MeHis, MCSO2, Put, 0.811; Cystathionine, N6-AcLys, Spd, 0.811; MeCys, Pipecolic acid, Spd, 0.811; His, Spd, Thioproline, 0.811; bABA, Hypro, Spd, 0.81; Ser, Asn, Spd, 0.81; Cit, Lys, Spd, 0.81; Pro, Phe, Spd, 0.81; Val, Leu, Spd, 0.81; Met, Leu, Spd, 0.81; Leu, GABA, Spd, 0.81; Phe, Trp, Spd, 0.81; Trp, 3-MeHis, Spd, 0.81; Trp, Kyn/Trp, Spd, 0.81; Trp, SDMA, Spd, 0.81; Hypro, MCSO2/MeCys, Spd, 0.81; MCSO1, MCSO2/MeCys, Spd, 0.81; MeCys, N6-AcLys, Spd, 0.81; N6-AcLys, SDMA, Spd, 0.81; Gly, Spd, Thioproline, 0.81; Tyr, bAiBA, Spd, 0.81; Trp, bAiBA, Spd, 0.81; Ile, bABA, Spd, 0.81; Glu, N8-AcSpd, Spd, 0.81; His, Phe, Spd, 0.81; Val, MeCys, Spd, 0.81; Phe, Hypro, Spd, 0.81; Phe, SDMA, Spd, 0.81; 3-MeHis, Kyn, Spd, 0.81; MCSO2, MeCys, Put, 0.81; Sar, SDMA, Spd, 0.81; Ser, Cystathionine, Spd, 0.81; Ser, Hypro, Spd, 0.81; Ala, MCSO2/MeCys, Spd, 0.81; Arg, aABA, Spd, 0.81; Val, N6-AcLys, Spd, 0.81; Met, SDMA, Spd, 0.81; Trp, GABA, Spd, 0.81; ADMA, SDMA, Spd, 0.81; Cystathionine, GABA, Spd, 0.81; bABA, MCSO2, Spm, 0.81; Phe, bAiBA, Spd, 0.81; 3-MeHis, bAiBA, Spd, 0.81; Glu, MCSO2, Put, 0.81; Ser, Tyr, Spd, 0.81; Ser, MCSO2, Put, 0.81; Ser, MCSO2/MeCys, Spd, 0.81; Gly, aABA, Spd, 0.81; Gly, Kyn, Spd, 0.81; His, Cystathionine, Spd, 0.81; Thr, MCSO2, Put, 0.81; Thr, N8-AcSpd, Spd, 0.81; Ala, Kyn, Spd, 0.81; Val, Kyn/Trp, Spd, 0.81; Val, MCSO2, Put, 0.81; Hypro, Kyn/Trp, Spd, 0.81; MCSO1, MeCys, Spd, 0.81; Cysteic acid, MCSO2, Put, 0.81; Orn, Pipecolic acid, Spd, 0.809; Glu, MCSO1/MCSO2, Spd, 0.809; Asn, Val, Spd, 0.809; Gly, Pro, Spd, 0.809; Cit, N6-AcLys, Spd, 0.809; Phe, MCSO2/MeCys, Spd, 0.809; Hypro, SDMA, Spd, 0.809; Ser, bAiBA, Spd, 0.809; Put, Spd, Thioproline, 0.809; ADMA, Pipecolic acid, Spd, 0.809; Ser, Val, Spd, 0.809; Ser, ADMA, Spd, 0.809; Tyr, SDMA, Spd, 0.809; Orn, Kyn/Trp, Spd, 0.809; 1-MeHis, Cysteic acid, Spd, 0.809; Ala, aAAA, Spd, 0.809; Val, bABA, Spd, 0.809; Thr, Pipecolic acid, Spd, 0.809; Ser, 3-MeHis, Spd, 0.809; Asn, Hypro, Spd, 0.809; Ala, Kyn/BCAA, Spd, 0.809; aABA, GABA, Spd, 0.809; Met, Hypro, Spd, 0.809; Orn, Phe, Spd, 0.809; Ile, ADMA, Spd, 0.809; ADMA, Kyn, Spd, 0.809; Kyn/Trp, SDMA, Spd, 0.809; Asn, His, Spd, 0.809; Asn, aABA, Spd, 0.809; Asn, MCSO2, Put, 0.809; Thr, MeCys, Spd, 0.809; Ala, Hypro, Spd, 0.809; Cit, hArg, MCSO2, 0.809; aABA, N6-AcLys, Spd, 0.809; Tyr, ADMA, Spd, 0.809; Tyr, GABA, Spd, 0.809; Met, MCSO2, Put, 0.809; Phe, MeCys, Spd, 0.809; Trp, ADMA, Spd, 0.809; Trp, MCSO2/MeCys, Spd, 0.809; Cystathionine, MCSO2/MeCys, Spd, 0.809; Hypotaurine, N8-AcSpd, Spd, 0.809; Met, aAAA, Spd, 0.809; Trp, bABA, Spd, 0.808; bABA, N6-AcLys, Spd, 0.808; His, GABA, Spd, 0.808; Met, Kyn/Trp, Spd, 0.808; Ile, MeCys, Spd, 0.808; Hypro, MeCys, Spd, 0.808; His, Pipecolic acid, Spd, 0.808; 1-MeHis, Kyn/BCAA, PEA, 0.808; Ser, Kyn/Trp, Spd, 0.808; Asn, Leu, Spd, 0.808; Gln, Kyn/Trp, Spd, 0.808; Gln, MCSO2/MeCys, Spd, 0.808; His, Kyn/BCAA, Spd, 0.808; Val, MCSO2/MeCys, Spd, 0.808; 3-MeHis, ADMA, Spd, 0.808; Cystathionine, MeCys, Spd, 0.808; hArg, Pipecolic acid, Spd, 0.808; MCSO2, Pipecolic acid, Put, 0.808; Thr, MCSO2, Spm, 0.808; bAiBA, N6-AcLys, Spd, 0.808; His, hArg, Spd, 0.808; Ala, Trp, Spd, 0.808; aABA, Kyn/Trp, Spd, 0.808; Tyr, Kyn/Trp, Spd, 0.808; bABA, SDMA, Spd, 0.808; Gly, Pipecolic acid, Spd, 0.808; Ser, Phe, Spd, 0.808; Asn, Thr, Spd, 0.808; Asn, Trp, Spd, 0.808; Gly, Val, Spd, 0.808; Pro, Met, Spd, 0.808; Pro, Orn, Spd, 0.808; Leu, bAiBA, Spd, 0.808; Asn, Met, Spd, 0.807; Asn, Ile, Spd, 0.807; His, Kyn, Spd, 0.807; Thr, Kyn/Trp, Spd, 0.807; Ala, Ile, Spd, 0.807; Ala, ADMA, Spd, 0.807; Pro, hArg, MCSO2, 0.807; Lys, SDMA, Spd, 0.807; ADMA, MCSO2/MeCys, Spd, 0.807; hArg, Hypro, Spd, 0.807; Kyn/BCAA, N6-AcLys, Spd, 0.807; MCSO1/MCSO2, MCSO2/MeCys, Put, 0.807; Gly, aAAA, Spd, 0.807; MCSO2, PEA, Spm, 0.807; MCSO1, Spd, Thioproline, 0.807; His, Hypro, Spd, 0.807; Lys, MCSO2/MeCys, Put, 0.807; Leu, N6-AcLys, Spd, 0.807; Trp, MeCys, Spd, 0.807; Trp, N6-AcLys, Spd, 0.807; MCSO1, MCSO1/MCSO2, Put, 0.807; Asn, MeCys, Spd, 0.807; Gly, hArg, MCSO2, 0.807; Gly, Kyn/Trp, Spd, 0.807; Gln, Lys, Spd, 0.807; Gln, hArg, Spd, 0.807; Thr, Kyn/BCAA, Spd, 0.807; Ala, Leu, Spd, 0.807; Arg, Val, Spd, 0.807; Arg, Leu, Spd, 0.807; Tyr, MeCys, Spd, 0.807; ADMA, MeCys, Spd, 0.807; Cystathionine, Kyn/Trp, Spd, 0.807; GABA, MeCys, Spd, 0.807; MCSO1, SDMA, Spd, 0.807; bABA, Cystathionine, Spd, 0.807; Asn, Phe, Spd, 0.807; Asn, 3-MeHis, Spd, 0.807; Asn, ADMA, Spd, 0.807; Gly, Ile, Spd, 0.807; Ala, 3-MeHis, Spd, 0.807; Ala, Kyn/Trp, Spd, 0.807; Ile, Leu, Spd, 0.807; Phe, Kyn/Trp, Spd, 0.807; 1-MeHis, MCSO2, PEA, 0.807; Lys, Pipecolic acid, Spd, 0.807; Arg, aAAA, Spd, 0.807; Asn, Cit, Spd, 0.807; Asn, MCSO2/MeCys, Spd, 0.807; Gly, Phe, Spd, 0.807; His, 3-MeHis, Spd, 0.807; Cit, Hypotaurine, Spd, 0.807; Hypotaurine, Pipecolic acid, Spd, 0.806; bAiBA, Kyn/Trp, Spd, 0.806; Ser, N6-AcLys, Spd, 0.806; Asn, GABA, Spd, 0.806; Gly, Leu, Spd, 0.806; Gly, Hypro, Spd, 0.806; Ala, Tyr, Spd, 0.806; Ala, Val, Spd, 0.806; Ala, hArg, Spd, 0.806; Met, MeCys, Spd, 0.806; 3-MeHis, MCSO2/MeCys, Spd, 0.806; hArg, Kyn, Spd, 0.806; Kyn/Trp, MCSO2, N6-AcLys, 0.806; bABA, MeCys, Spd, 0.806; Glu, Kyn/BCAA, Spd, 0.806; Gly, MeCys, Spd, 0.806; Gln, Hypotaurine, Spd, 0.806; His, Arg, Spd, 0.806; His, Trp, Spd, 0.806; His, ADMA, Spd, 0.806; Thr, MCSO2/MeCys, Put, 0.806; Met, GABA, Spd, 0.806; Kyn/BCAA, Put, Spd, 0.806; Glu, Spd, Thioproline, 0.806; Ser, Ala, Spd, 0.806; Asn, Tyr, Spd, 0.806; Ala, Phe, Spd, 0.806; Arg, GABA, Spd, 0.806; aABA, Orn, Spd, 0.806; aABA, hArg, Spd, 0.806; Lys, Phe, Spd, 0.806; 3-MeHis, MeCys, Spd, 0.806; Tyr, bABA, Spd, 0.806; GABA, N6-AcLys, Spd, 0.806; bABA, bAiBA, Spd, 0.806; MCSO2, Sar, Spd, 0.806; Ser, Gly, Spd, 0.806; Gly, MCSO2/MeCys, Spd, 0.806; Gln, Met, Spd, 0.806; His, Val, Spd, 0.806; GABA, hArg, Spd, 0.806; Leu, bABA, Spd, 0.805; ADMA, bAiBA, Spd, 0.805; Glu, MCSO2/MeCys, Spd, 0.805; Ser, His, Spd, 0.805; Gly, Cystathionine, Spd, 0.805; Arg, 3-MeHis, Spd, 0.805; Leu, hArg, Spd, 0.805; Leu, Kyn/Trp, Spd, 0.805; ADMA, hArg, Spd, 0.805; Asn, bAiBA, Spd, 0.805; Ser, Met, Spd, 0.805; Asn, Gln, Spd, 0.805; His, Ile, Spd, 0.805; Ala, MeCys, Spd, 0.805; Arg, Hypro, Spd, 0.805; Val, Met, Spd, 0.805; hArg, MCSO2, MCSO1/MCSO2, 0.805; Phe, bABA, Spd, 0.805; 3-MeHis, bABA, Spd, 0.805; aAAA, MeCys, Spd, 0.805; MCSO2, Sar, Spm, 0.805; Met, 3-MeHis, Spd, 0.805; Orn, Cystathionine, Spd, 0.805; hArg, Kyn/Trp, Spd, 0.805; Ser, bABA, Spd, 0.805; Asn, Cystathionine, Spd, 0.805; Asn, N6-AcLys, Spd, 0.805; Gly, Trp, Spd, 0.805; Gly, 3-MeHis, Spd, 0.805; His, Leu, Spd, 0.805; Arg, Cystathionine, Spd, 0.805; aABA, Hypotaurine, Spd, 0.805; aABA, MCSO1, Spd, 0.805; Val, hArg, Spd, 0.805; Orn, ADMA, Spd, 0.805; Trp, hArg, Spd, 0.805; hArg, N6-AcLys, Spd, 0.805; MeCys, N6-AcLys, SDMA, 0.805; Ala, bAiBA, Spd, 0.804; Hypotaurine, Spd, Thioproline, 0.804; Gly, ADMA, Spd, 0.804; Cit, Arg, Spd, 0.804; Orn, 3-MeHis, Spd, 0.804; Orn, MeCys, Spd, 0.804; Lys, Kyn/BCAA, Spd, 0.804; GABA, Hypro, Spd, 0.804; Kyn/BCAA, MCSO1, Spd, 0.804; Asn, bABA, Spd, 0.804; bABA, Kyn/Trp, Spd, 0.804; bAiBA, MCSO2/MeCys, Spd, 0.804; Asn, Kyn/Trp, Spd, 0.804; Asn, SDMA, Spd, 0.804; Gly, Gln, Spd, 0.804; His, Met, Spd, 0.804; Ala, Met, Spd, 0.804; Arg, Tyr, Spd, 0.804; Arg, Met, Spd, 0.804; Arg, hArg, Spd, 0.804; Pro, MeCys, Spd, 0.804; Met, Cystathionine, Spd, 0.804; Met, N6-AcLys, Spd, 0.804; Phe, N6-AcLys, Spd, 0.804; Kyn/Trp, Put, Spd, 0.804; Arg, bAiBA, Spd, 0.804; Ser, Arg, Spd, 0.804; His, N6-AcLys, Spd, 0.804; Thr, Hypro, Spd, 0.804; Arg, N6-AcLys, Spd, 0.804; Orn, GABA, Spd, 0.804; Lys, hArg, MCSO2, 0.804; Ile, Hypotaurine, Spd, 0.804; 3-MeHis, Hypotaurine, Spd, 0.804; Lys, 1-MeHis, MCSO2, 0.804; 1-MeHis, PEA, Spd, 0.804; Gly, Tyr, Spd, 0.804; His, Tyr, Spd, 0.804; Arg, Ile, Spd, 0.804; Arg, MeCys, Spd, 0.804; Arg, SDMA, Spd, 0.804; Tyr, Hypotaurine, Spd, 0.804; Lys, 3-MeHis, Spd, 0.804; Phe, hArg, Spd, 0.804; Cystathionine, hArg, Spd, 0.804; Taurine, MeCys, Spm, 0.803; aAAA, MCSO1, Spd, 0.803; Asn, Arg, Spd, 0.803; Thr, Arg, Spd, 0.803; Arg, ADMA, Spd, 0.803; Tyr, Orn, Spd, 0.803; Val, Hypotaurine, Spd, 0.803; Met, ADMA, Spd, 0.803; Kyn, N6-AcLys, Spd, 0.803; Ala, bABA, Spd, 0.803; Ser, Orn, Spd, 0.803; Gln, Orn, Spd, 0.803; Cit, Lys, MCSO2, 0.803; Orn, Ile, Spd, 0.803; Orn, Trp, Spd, 0.803; 3-MeHis, N6-AcLys, Spd, 0.803; hArg, SDMA, Spd, 0.803; Kyn/Trp, MeCys, Put, 0.803; MCSO2/MeCys, Put, SDMA, 0.803; His, bABA, Spd, 0.803; ADMA, bABA, Spd, 0.803; Arg, Pipecolic acid, Spd, 0.803; aAAA, MCSO2/MeCys, Spd, 0.803; Gly, N6-AcLys, Spd, 0.803; Thr, GABA, Spd, 0.803; Tyr, hArg, Spd, 0.803; Val, Orn, Spd, 0.803; Ile, hArg, Spd, 0.803; 3-MeHis, hArg, Spd, 0.803; hArg, MCSO2/MeCys, Put, 0.803; bAiBA, Hypotaurine, Spd, 0.803; MCSO1, Pipecolic acid, Spd, 0.803; Thr, aAAA, Spd, 0.803; Ser, hArg, Spd, 0.803; Gln, Thr, Spd, 0.803; His, Hypotaurine, Spd, 0.803; Thr, 3-MeHis, Spd, 0.803; Orn, Hypro, Spd, 0.803; MCSO1/MCSO2, MeCys, Put, 0.803; Gly, bAiBA, Spd, 0.803; Glu, Kyn, Spd, 0.802; Ser, Lys, Spd, 0.802; Asn, hArg, Spd, 0.802; Thr, Met, Spd, 0.802; aABA, Lys, Spd, 0.802; Met, Trp, Spd, 0.802; Orn, N6-AcLys, Spd, 0.802; Lys, GABA, Spd, 0.802; Hypotaurine, Kyn, Spd, 0.802; Kyn/Trp, MCSO1, Spd, 0.802; aAAA, hArg, MCSO2, 0.802; Thr, Leu, Spd, 0.802; Arg, Lys, Spd, 0.802; Leu, MCSO1, Spd, 0.802; Cystathionine, Hypotaurine, Spd, 0.802; hArg, Hypotaurine
, Spd, 0.802; hArg, MCSO2, SDMA, 0.802; Hypotaurine, Hypro, Spd, 0.802; Met, bAiBA, Spd, 0.802; 1-MeHis, MCSO2/MeCys, PEA, 0.802; Orn, aAAA, Spd, 0.802; Arg, Kyn/Trp, Spd, 0.802; Met, Orn, Spd, 0.802; Met, hArg, Spd, 0.802; Orn, hArg, MCSO2, 0.802; Lys, Hypro, Spd, 0.802; Leu, Hypotaurine, Spd, 0.802; His, bAiBA, Spd, 0.802; bABA, Hypotaurine, Spd, 0.802; Thr, aABA, Spd, 0.802; Orn, bAiBA, Spd, 0.802; Asn, Lys, Spd, 0.801; Cit, Put, Spd, 0.801; Arg, Phe, Spd, 0.801; 3-MeHis, MCSO2, SDMA, 0.801; Kyn/Trp, N6-AcLys, Spd, 0.801; bAiBA, MeCys, Spd, 0.801; Met, bABA, Spd, 0.801; bABA, hArg, Spd, 0.801; aAAA, MCSO2, Put, 0.801; Asn, Gly, Spd, 0.801; Asn, Orn, Spd, 0.801; Gly, Met, Spd, 0.801; His, Lys, Spd, 0.801; Arg, Orn, Spd, 0.801; Met, Phe, Spd, 0.801; Lys, Ile, Spd, 0.801; Kyn, Put, Spd, 0.801; bAiBA, hArg, Spd, 0.801; Glu, Kyn/Trp, Spd, 0.801; Thr, Pro, Spd, 0.801; Cit, MCSO1, Spd, 0.801; Val, Lys, Spd, 0.801; MCSO2, PEA, Spd, 0.801; Thr, Val, Spd, 0.801; Thr, ADMA, Spd, 0.801; Met, Lys, Spd, 0.801; Lys, Leu, Spd, 0.801; bABA, hArg, MCSO2, 0.8; 1-MeHis, Sar, Spd, 0.8; Gly, Arg, Spd, 0.8; Gly, Orn, Spd, 0.8; Gln, Arg, Spd, 0.8; Ala, Arg, Spd, 0.8; Pro, Put, Spd, 0.8; Trp, Hypotaurine, Spd, 0.8; ADMA, Hypotaurine, Spd, 0.8; hArg, Kyn, MCSO2, 0.8; hArg, MCSO2, N6-AcLys, 0.8; hArg, MCSO2, PEA, 0.8; Ser, Hypotaurine, Spd, 0.8; Asn, Ala, Spd, 0.8; Gly, His, Spd, 0.8; His, SDMA, Spd, 0.8; Orn, Leu, Spd, 0.8; Orn, hArg, Spd, 0.8; Lys, Trp, Spd, 0.8; 3-MeHis, Kyn/Trp, Spd, 0.8; hArg, MCSO1, Spd, 0.8; hArg, Put, Spd, 0.8; MCSO2, MCSO1, Spm, 0.8; Ser, Thr, Spd, 0.8; Thr, hArg, Spd, 0.8; Arg, Trp, Spd, 0.8; Met, Ile, Spd, 0.8; Lys, Cystathionine, Spd, 0.8; Lys, MCSO2, MCSO1/MCSO2, 0.8; Kyn, MCSO1, Spd, 0.8; Gly, Ala, Spd, 0.8; Cit, MCSO2/MeCys, Put, 0.8; Arg, bABA, Spd, 0.8; Glu, hArg, MCSO2, 0.799; Ser, hArg, MCSO2, 0.799; Thr, Ile, Spd, 0.799; aABA, Put, Spd, 0.799; Lys, ADMA, Spd, 0.799; His, Kyn/Trp, Spd, 0.799; His, Put, Spd, 0.799; Thr, Phe, Spd, 0.799; Ala, Hypotaurine, Spd, 0.799; hArg, MCSO2/MeCys, MeCys, 0.799; Glu, MeCys, Spd, 0.799; His, Ala, Spd, 0.799; Thr, Tyr, Spd, 0.799; Ala, hArg, MCSO2, 0.799; Lys, MCSO2, MCSO1, 0.799; hArg, Kyn/BCAA, MCSO2, 0.799; Gly, Thr, Spd, 0.799; Thr, Ala, Spd, 0.799; Lys, hArg, Spd, 0.799; Lys, N6-AcLys, Spd, 0.799; Cystathionine, Put, Spd, 0.799; GABA, MCSO1, Spd, 0.799; hArg, MCSO2, MCSO1, 0.799; Hypotaurine, MCSO2/MeCys, Spd, 0.799; His, Thr, Spd, 0.798; Lys, Kyn/Trp, Spd, 0.798; Gln, Put, Spd, 0.798; Thr, Trp, Spd, 0.798; Tyr, Lys, Spd, 0.798; His, MCSO1, Spd, 0.798; Thr, MCSO1, Spd, 0.798; Ile, MCSO1, Spd, 0.798; Phe, Hypotaurine, Spd, 0.798; Hypotaurine, N6-AcLys, Spd, 0.798; Kyn/Trp, MCSO2/MeCys, Put, 0.798; His, Orn, Spd, 0.798; Thr, Put, Spd, 0.798; Ala, Put, Spd, 0.798; hArg, Hypotaurine, MCSO2, 0.798; Ser, Lys, MCSO2, 0.797; Lys, MCSO2, SDMA, 0.797; Lys, MeCys, Put, 0.797; Hypotaurine, MeCys, Spd, 0.797; Pro, MCSO1, Spd, 0.797; Tyr, Met, Spd, 0.797; Orn, Lys, Spd, 0.797; Phe, Put, Spd, 0.797; Ala, N6-AcLys, Spd, 0.797; Phe, MCSO1, Spd, 0.797; GABA, Put, Spd, 0.797; hArg, Kyn/Trp, MCSO2, 0.797; Hypotaurine, SDMA, Spd, 0.797; Ala, Orn, Spd, 0.797; Pro, Lys, Spd, 0.797; Met, hArg, MCSO2, 0.797; Cystathionine, MCSO1, Spd, 0.797; Gln, MCSO1, Spd, 0.796; Ala, Lys, Spd, 0.796; Val, MCSO1, Spd, 0.796; 3-MeHis, Put, Spd, 0.796; Ala, MCSO2/MeCys, Put, 0.796; Tyr, MCSO1, Spd, 0.796; GABA, Hypotaurine, Spd, 0.796; Glu, SDMA, Spd, 0.796; Gly, Lys, Spd, 0.796; Gly, MCSO1, Spd, 0.796; Thr, Lys, Spd, 0.796; Ala, MCSO1, Spd, 0.796; His, hArg, MCSO2, 0.796; Ala, GABA, Spd, 0.796; Cit, MCSO2, N6-AcLys, 0.796; Lys, Kyn, MCSO2, 0.796; Ser, MCSO1, Spd, 0.795; Gln, hArg, MCSO2, 0.795; Thr, Orn, Spd, 0.795; Lys, MCSO1, Spd, 0.795; Cystathionine, hArg, MCSO2, 0.795; Asn, hArg, MCSO2, 0.795; Trp, MCSO1, Spd, 0.795; His, MeCys, Put, 0.795; Tyr, hArg, MCSO2, 0.795; Val, Put, Spd, 0.795; Leu, Put, Spd, 0.795; Ser, Met, MCSO2, 0.795; Pro, MCSO2, SDMA, 0.795; GABA, hArg, MCSO2, 0.795; Ser, hArg, MeCys, 0.794; Pro, MCSO2/MeCys, Put, 0.794; 3-MeHis, MCSO1, Spd, 0.794; hArg, MCSO2, MCSO2/MeCys, 0.794; hArg, MCSO1/MCSO2, MeCys, 0.794; Leu, hArg, MCSO2, 0.794; Trp, hArg, MCSO2, 0.794; Hypotaurine, Kyn/Trp, Spd, 0.794; Thr, hArg, MCSO2, 0.794; Cit, Pro, MCSO2, 0.794; aABA, hArg, MCSO2, 0.794; 3-MeHis, hArg, MCSO2, 0.794; ADMA, hArg, MCSO2, 0.794; Kyn/BCAA, MCSO2/MeCys, Put, 0.794; MCSO1, Put, Spd, 0.794; Gly, MCSO2/MeCys, Put, 0.794; Val, hArg, MCSO2, 0.794; Met, MCSO1, Spd, 0.794; Lys, Put, Spd, 0.794; N6-AcLys, Put, Spd, 0.794; ADMA, Put, Spd, 0.793; Glu, GABA, Spd, 0.793; Ser, Put, Spd, 0.793; Asn, MCSO1, Spd, 0.793; Asn, Put, Spd, 0.793; Arg, Hypotaurine, Spd, 0.793; Lys, MCSO1/MCSO2, MCSO2/MeCys, 0.793; Lys, MCSO2/MeCys, MeCys, 0.793; Ile, hArg, MCSO2, 0.793; hArg, MCSO2, MeCys, 0.793; Glu, aABA, Spd, 0.793; Asn, Hypotaurine, Spd, 0.793; Gly, hArg, MeCys, 0.793; Orn, MCSO1, Spd, 0.793; Phe, hArg, MCSO2, 0.793; hArg, MeCys, N6-AcLys, 0.793; Cit, Met, MCSO2, 0.793; Cit, Orn, MCSO2, 0.793; Arg, hArg, MCSO2, 0.793; Glu, Pro, Spd, 0.793; Cit, hArg, MeCys, 0.793; Lys, Kyn/Trp, MCSO2, 0.793; Glu, Cit, Spd, 0.792; Gly, Hypotaurine, Spd, 0.792; Gln, Lys, MCSO2, 0.792; Ser, Thr, MCSO2, 0.792; Thr, N6-AcLys, Spd, 0.792; Cit, Arg, MCSO2, 0.792; Arg, MCSO1, Spd, 0.792; Arg, MeCys, Put, 0.792; Lys, MCSO2, MCSO2/MeCys, 0.792; Ile, Put, Spd, 0.792; Kyn/BCAA, MeCys, Put, 0.792; Glu, Val, Spd, 0.792; Glu, Phe, Spd, 0.792; Arg, MCSO2/MeCys, Put, 0.792; Tyr, Put, Spd, 0.792; Ala, hArg, MeCys, 0.792; Met, Hypotaurine, Spd, 0.792; Trp, Put, Spd, 0.792; GABA, MCSO2/MeCys, Put, 0.791; Gly, hArg, Spd, 0.791; His, Lys, MCSO2, 0.791; Met, hArg, MeCys, 0.791; Orn, Put, Spd, 0.791; Lys, GABA, MCSO2, 0.791; Glu, Ile, Spd, 0.791; Gly, Put, Spd, 0.791; ADMA, MCSO1, Spd, 0.791; Cystathionine, MCSO2/MeCys, Put, 0.791; Glu, Orn, Spd, 0.791; Trp, MCSO2/MeCys, Put, 0.791; Glu, Cystathionine, Spd, 0.791; Met, Put, Spd, 0.791; hArg, MeCys, SDMA, 0.791; Tyr, Lys, MCSO2, 0.79; Val, Lys, MCSO2, 0.79; Met, MeCys, Put, 0.79; Glu, Put, Spd, 0.79; aABA, MeCys, Put, 0.79; Met, MCSO2/MeCys, Put, 0.79; Orn, Lys, MCSO2, 0.79; Kyn, MCSO2/MeCys, Put, 0.79; Glu, Gly, Spd, 0.79; Ala, Lys, MCSO2, 0.79; Orn, MCSO2/MeCys, Put, 0.79; Lys, hArg, MeCys, 0.79; Leu, MCSO2/MeCys, Put, 0.79; Kyn/Trp, MeCys, N6-AcLys, 0.79; aABA, Lys, MCSO2, 0.79; Lys, Hypotaurine, MCSO2, 0.79; Arg, Lys, MCSO2, 0.789; Lys, Cystathionine, MCSO2, 0.789; Glu, 3-MeHis, Spd, 0.789; Lys, ADMA, MCSO2, 0.789; Lys, Kyn/BCAA, MCSO2, 0.789; Asn, Lys, MCSO2, 0.789; His, Cit, MCSO2, 0.789; His, hArg, MeCys, 0.789; Cit, MeCys, Put, 0.789; Lys, Ile, MCSO2, 0.789; Hypotaurine, Put, Spd, 0.789; Thr, Lys, MCSO2, 0.789; Arg, Put, Spd, 0.789; Pro, Kyn/Trp, MCSO2, 0.789; Lys, Hypotaurine, Spd, 0.789; Lys, MCSO2, MeCys, 0.789; Lys, MCSO2, N6-AcLys, 0.789; His, MCSO2/MeCys, Put, 0.788; Tyr, MCSO2/MeCys, Put, 0.788; Glu, Trp, Spd, 0.788; Gly, MeCys, Put, 0.788; Pro, hArg, MeCys, 0.788; hArg, MCSO1/MCSO2, MCSO2/MeCys, 0.788; Thr, Cit, MCSO2, 0.788; Met, MCSO2, MCSO1, 0.788; hArg, Kyn/Trp, MeCys, 0.788; Glu, Lys, MCSO2, 0.788; Pro, Lys, MCSO2, 0.788; Lys, Leu, MCSO2, 0.788; Lys, Phe, MCSO2, 0.788; Glu, hArg, MeCys, 0.787; Tyr, MeCys, Put, 0.787; Met, MCSO2, MCSO1/MCSO2, 0.787; Lys, 3-MeHis, MCSO2, 0.787; hArg, Kyn/BCAA, MeCys, 0.787; Lys, Trp, MCSO2, 0.787; ADMA, MCSO2/MeCys, Put, 0.787; Kyn, MeCys, Put, 0.787; MCSO1, N6-AcLys, Spd, 0.787; Glu, Arg, Spd, 0.787; Gly, Lys, MCSO2, 0.787; Tyr, MCSO2, N6-AcLys, 0.787; Phe, MCSO2/MeCys, Put, 0.787; Glu, Gln, Spd, 0.786; Glu, Lys, Spd, 0.786; Thr, Hypotaurine, Spd, 0.786; Pro, MCSO2, MCSO1, 0.786; Met, Lys, MCSO2, 0.786; Hypotaurine, MCSO2/MeCys, Put, 0.786; Kyn/BCAA, MCSO2, N6-AcLys, 0.786; Gly, hArg, MCSO2/MeCys, 0.786; Ala, MCSO2, MCSO1/MCSO2, 0.786; Pro, MCSO2, MCSO1/MCSO2, 0.786; Glu, Met, Spd, 0.786; Thr, MeCys, Put, 0.786; Met, MCSO2, SDMA, 0.786; Glu, Ser, Spd, 0.785; hArg, Kyn, MeCys, 0.785; Orn, Hypotaurine, Spd, 0.785; MCSO2/MeCys, N6-AcLys, SDMA, 0.785; Ala, MCSO2, MCSO1, 0.785; Met, GABA, MCSO2, 0.785; Cystathionine, MeCys, Put, 0.785; Glu, Ala, Spd, 0.785; Glu, Tyr, Spd, 0.785; Asn, MCSO2/MeCys, Put, 0.785; Thr, MCSO2, N6-AcLys, 0.785; Cit, Lys, MCSO2/MeCys, 0.785; Tyr, hArg, MeCys, 0.785; MCSO1, MeCys, Put, 0.785; Glu, His, Spd, 0.784; Gln, MCSO2/MeCys, Put, 0.784; Trp, MeCys, Put, 0.784; His, Pro, MCSO2, 0.784; Thr, MCSO2, MCSO1/MCSO2, 0.784; MCSO2/MeCys, N6-AcLys, Put, 0.784; Glu, N6-AcLys, Spd, 0.784; Met, MCSO2, N6-AcLys, 0.784; Leu, MeCys, Put, 0.784; MCSO2, MCSO1/MCSO2, N6-AcLys, 0.784; MCSO1, MCSO2/MeCys, Put, 0.784; aABA, MCSO2/MeCys, Put, 0.784; Orn, Kyn/Trp, MCSO2, 0.784; Leu, MCSO2, MCSO1/MCSO2, 0.784; Phe, hArg, MeCys, 0.784; Glu, ADMA, Spd, 0.784; Arg, hArg, MeCys, 0.784; Val, MCSO2/MeCys, Put, 0.784; Orn, hArg, MeCys, 0.784; Ile, MCSO2/MeCys, Put, 0.784; hArg, Hypotaurine, MeCys, 0.784; Glu, MCSO2/MeCys, Put, 0.783; 3-MeHis, MCSO2/MeCys, Put, 0.783; Glu, MeCys, Put, 0.783; Thr, Cit, MCSO2/MeCys, 0.783; 3-MeHis, MeCys, Put, 0.783; hArg, MCSO1, MeCys, 0.783; Glu, Thr, Spd, 0.783; His, MCSO2, MCSO1/MCSO2, 0.783; Thr, MCSO1/MCSO2, MCSO2/MeCys, 0.783; Pro, MeCys, Put, 0.783; Met, Orn, MCSO2, 0.783; Met, Kyn/BCAA, MCSO2, 0.783; Orn, Kyn/BCAA, MCSO2, 0.783; Kyn, MCSO2, N6-AcLys, 0.783; MeCys, N6-AcLys, Put, 0.783; Glu, Leu, Spd, 0.782; Gly, Cit, MCSO2, 0.782; Thr, hArg, MeCys, 0.782; Orn, MeCys, Put, 0.782; Ser, MCSO2/MeCys, Put, 0.782; Gln, MeCys, Put, 0.782; Pro, hArg, MCSO2/MeCys, 0.782; Pro, Kyn/BCAA, MCSO2, 0.782; Met, Kyn/Trp, MCSO2, 0.782; Cystathionine, hArg, MeCys, 0.782; Cit, MCSO2, MCSO1, 0.782; Met, Kyn, MCSO2, 0.782; Orn, MCSO2, SDMA, 0.782; Lys, Kyn, MCSO2/MeCys, 0.782; Glu, MCSO1, Spd, 0.782; Gln, hArg, MeCys, 0.782; Thr, Pro, MCSO2, 0.782; Ala, MeCys, Put, 0.782; Leu, hArg, MeCys, 0.782; Phe, MeCys, Put, 0.782; 3-MeHis, Kyn/BCAA, MCSO2, 0.782; Asn, hArg, MeCys, 0.781; Gln, Met, MCSO2, 0.781; Ala, MCSO1/MCSO2, MCSO2/MeCys, 0.781; MCSO1, MCSO2/MeCys, MeCys, 0.781; Asn, MeCys, Put, 0.781; Thr, MCSO2, MCSO1, 0.781; Tyr, MCSO2, MCSO1, 0.781; Met, Ile, MCSO2, 0.781; 3-MeHis, Kyn/Trp, MCSO2, 0.781; MCSO2, MCSO1, N6-AcLys, 0.781; Glu, hArg, Spd, 0.781; Asn, Cit, MCSO2, 0.781; Gly, Met, MCSO2, 0.781; His, Ala, MCSO2, 0.781; His, MCSO2, SDMA, 0.781; Met, Phe, MCSO2, 0.7
81; Lys, hArg, MCSO2/MeCys, 0.781; Lys, MCSO2/MeCys, SDMA, 0.781; Ile, MeCys, Put, 0.781; Glu, Asn, Spd, 0.78; Ser, Thr, MCSO2/MeCys, 0.78; Ala, MCSO2, N6-AcLys, 0.78; Pro, MCSO2, N6-AcLys, 0.78; aABA, MCSO2, MCSO1/MCSO2, 0.78; Tyr, MCSO2, MCSO1/MCSO2, 0.78; Val, hArg, MeCys, 0.78; Val, MeCys, Put, 0.78; ADMA, MeCys, Put, 0.78; aABA, hArg, MeCys, 0.78; Val, Met, MCSO2, 0.78; Lys, Kyn/Trp, MCSO2/MeCys, 0.78; Ile, Leu, MCSO2, 0.78; hArg, MCSO1, MCSO1/MCSO2, 0.78; Ala, Orn, MCSO2, 0.78; Leu, MCSO2, MCSO1, 0.78; Trp, MCSO2, N6-AcLys, 0.78; Hypotaurine, MeCys, Put, 0.78; MCSO1/MCSO2, MCSO2/MeCys, MeCys, 0.78; Gly, Kyn/Trp, MCSO2, 0.78; His, Kyn/Trp, MCSO2, 0.78; Thr, hArg, MCSO2/MeCys, 0.78; Gly, Pro, MCSO2, 0.779; Gly, MCSO2, MCSO1, 0.779; Gly, MCSO2, N6-AcLys, 0.779; Arg, Met, MCSO2, 0.779; 3-MeHis, hArg, MeCys, 0.779; Ser, Arg, MCSO2, 0.779; Gly, MCSO2, MCSO1/MCSO2, 0.779; Arg, Pro, MCSO2, 0.779; GABA, MeCys, Put, 0.779; Ala, Kyn/BCAA, MCSO2, 0.779; Cit, hArg, MCSO2/MeCys, 0.779; Gly, Trp, MCSO2, 0.779; Pro, MCSO2/MeCys, SDMA, 0.779; Met, Cystathionine, MCSO2, 0.779; Ser, Asn, MCSO2, 0.778; Ser, MeCys, Put, 0.778; Met, MCSO2, MeCys, 0.778; Ile, hArg, MeCys, 0.778; Trp, hArg, MeCys, 0.778; Ser, Pro, MCSO2, 0.778; His, Orn, MCSO2, 0.778; Thr, Orn, MCSO2, 0.778; Pro, Lys, MCSO2/MeCys, 0.778; Met, MCSO1/MCSO2, MCSO2/MeCys, 0.778; Leu, MCSO2, SDMA, 0.778; GABA, hArg, MeCys, 0.778; Asn, MCSO2, MCSO1/MCSO2, 0.778; His, MCSO2, MCSO1, 0.778; Cit, 3-MeHis, MCSO2, 0.778; Cit, GABA, MCSO2, 0.778; Met, Hypotaurine, MCSO2, 0.778; Met, MCSO2, MCSO2/MeCys, 0.778; 3-MeHis, MeCys, SDMA, 0.778; Gly, MCSO2, SDMA, 0.778; Arg, MCSO2, MCSO1, 0.778; aABA, MCSO2, N6-AcLys, 0.778; Tyr, Met, MCSO2, 0.778; Val, Leu, MCSO2, 0.778; Orn, MCSO2, MCSO1, 0.778; Ser, Tyr, MCSO2, 0.777; Pro, MCSO2/MeCys, MeCys, 0.777; ADMA, hArg, MeCys, 0.777; Asn, Met, MCSO2, 0.777; Ala, MCSO2, SDMA, 0.777; Met, ADMA, MCSO2, 0.777; Glu, Met, MCSO2, 0.777; Ala, Met, MCSO2, 0.777; Cit, Trp, MCSO2, 0.777; Cit, Kyn/Trp, MCSO2, 0.777; Arg, Kyn/BCAA, MCSO2, 0.777; Pro, Tyr, MCSO2, 0.777; Pro, Met, MCSO2, 0.777; aABA, Orn, MCSO2, 0.777; aABA, MCSO2, MCSO1, 0.777; Ser, Ala, MCSO2, 0.777; His, Put, SDMA, 0.777; Cit, MeCys, N6-AcLys, 0.777; Pro, aABA, MCSO2, 0.777; Met, Leu, MCSO2, 0.777; Met, MCSO2/MeCys, MeCys, 0.777; Ser, MCSO2, MCSO1, 0.776; Gln, Arg, MCSO2, 0.776; His, Kyn/BCAA, MCSO2, 0.776; Thr, Kyn/Trp, MCSO2, 0.776; Ala, Pro, MCSO2, 0.776; Cit, MCSO2, SDMA, 0.776; Arg, MCSO2, N6-AcLys, 0.776; Trp, MCSO2, MCSO1, 0.776; Trp, MCSO2, MCSO1/MCSO2, 0.776; GABA, MCSO2, MCSO1, 0.776; Kyn/BCAA, MCSO2, MCSO1/MCSO2, 0.776; Glu, hArg, MCSO2/MeCys, 0.776; Ala, Arg, MCSO2, 0.776; Arg, MCSO2, SDMA, 0.776; Lys, GABA, MCSO2/MeCys, 0.776; Lys, MCSO1/MCSO2, MeCys, 0.776; MCSO2, MCSO1, SDMA, 0.776; Gln, Orn, MCSO2, 0.776; Thr, MCSO2/MeCys, MeCys, 0.776; Cit, Leu, MCSO2, 0.776; Pro, Kyn, MCSO2, 0.776; Val, Lys, MCSO2/MeCys, 0.776; Orn, MCSO2, MCSO1/MCSO2, 0.776; Cystathionine, MCSO2, N6-AcLys, 0.776; hArg, MCSO2/MeCys, SDMA, 0.776; Ala, Leu, MCSO2, 0.776; Ala, Kyn/Trp, MCSO2, 0.776; Cit, MCSO2, MeCys, 0.776; Arg, MCSO2, MCSO1/MCSO2, 0.776; Tyr, Orn, MCSO2, 0.776; Orn, hArg, MCSO2/MeCys, 0.776; Glu, Lys, MCSO2/MeCys, 0.775; Asn, MCSO2, MCSO1, 0.775; Gly, Orn, MCSO2, 0.775; Thr, Lys, MCSO2/MeCys, 0.775; Thr, 3-MeHis, MCSO2, 0.775; Thr, Kyn/BCAA, MCSO2, 0.775; Ala, aABA, MCSO2, 0.775; Cit, MCSO2, MCSO1/MCSO2, 0.775; 3-MeHis, MCSO2, MCSO1/MCSO2, 0.775; ADMA, MCSO2, MCSO1, 0.775; Glu, MCSO2, MCSO1, 0.775; Ser, aABA, MCSO2, 0.775; Gln, Thr, MCSO2, 0.775; Cit, ADMA, MCSO2, 0.775; Cit, Kyn/BCAA, MCSO2, 0.775; Pro, GABA, MCSO2, 0.775; Met, 3-MeHis, MCSO2, 0.775; Lys, 3-MeHis, MCSO2/MeCys, 0.775; Ile, MCSO2, MCSO1/MCSO2, 0.775; Phe, MCSO2, MCSO1, 0.775; hArg, Hypotaurine, MCSO2/MeCys, 0.775; hArg, Put, SDMA, 0.775; MCSO2, MCSO1/MCSO2, MCSO2/MeCys, 0.775; N6-AcLys, Put, SDMA, 0.775; Asn, MCSO2, N6-AcLys, 0.775; Asn, MCSO2, SDMA, 0.775; Thr, MCSO2, MCSO2/MeCys, 0.775; Ala, Kyn, MCSO2, 0.775; Pro, MCSO2, MCSO2/MeCys, 0.775; Met, Trp, MCSO2, 0.775; Lys, Put, SDMA, 0.775; ADMA, MCSO2, SDMA, 0.775; Cystathionine, MCSO2, MCSO1, 0.775; Hypotaurine, MCSO1, Spd, 0.775; Kyn, MCSO2, MCSO1, 0.775; Kyn/BCAA, MCSO2, MCSO1, 0.775; MCSO2, MCSO1/MCSO2, SDMA, 0.775; Gly, Leu, MCSO2, 0.775; His, Met, MCSO2, 0.775; Thr, Tyr, MCSO2, 0.775; Thr, MCSO2, SDMA, 0.775; Ala, ADMA, MCSO2, 0.775; Ala, hArg, MCSO2/MeCys, 0.775; Arg, Leu, MCSO2, 0.775; Arg, Trp, MCSO2, 0.775; Val, MCSO2, MCSO1/MCSO2, 0.775; Orn, Leu, MCSO2, 0.775; Gln, MCSO2, N6-AcLys, 0.774; Arg, MCSO2/MeCys, MeCys, 0.774; Orn, Kyn, MCSO2, 0.774; Leu, Kyn, MCSO2, 0.774; GABA, MCSO2, N6-AcLys, 0.774; Ser, Leu, MCSO2, 0.774; Gly, His, MCSO2, 0.774; Gln, His, MCSO2, 0.774; Gln, Cit, MCSO2, 0.774; Gln, Pro, MCSO2, 0.774; His, Tyr, MCSO2, 0.774; Thr, Ala, MCSO2, 0.774; Thr, Met, MCSO2, 0.774; Thr, ADMA, MCSO2, 0.774; Cit, aABA, MCSO2, 0.774; Cit, MCSO2, MCSO2/MeCys, 0.774; Arg, Kyn/Trp, MCSO2, 0.774; Orn, ADMA, MCSO2, 0.774; Ser, Lys, MeCys, 0.774; Gly, MCSO2, MCSO2/MeCys, 0.774; His, Thr, MCSO2, 0.774; His, MCSO2, N6-AcLys, 0.774; Thr, Kyn, MCSO2, 0.774; Cit, Hypotaurine, MCSO2, 0.774; Cit, Kyn, MCSO2, 0.774; Pro, Orn, MCSO2, 0.774; Orn, MCSO2/MeCys, MeCys, 0.774; Lys, MCSO1, MCSO1/MCSO2, 0.774; Cit, Tyr, MCSO2, 0.774; Pro, Trp, MCSO2, 0.774; Orn, Ile, MCSO2, 0.774; Lys, Phe, MCSO2/MeCys, 0.774; 3-MeHis, MCSO2, MCSO1, 0.774; Hypotaurine, MCSO2, N6-AcLys, 0.774; Kyn/Trp, MCSO2, MCSO1, 0.774; Glu, Cit, MCSO2, 0.773; Gly, Lys, MCSO2/MeCys, 0.773; Thr, Leu, MCSO2, 0.773; Ile, MCSO2, MCSO1, 0.773; Leu, Kyn/Trp, MCSO2, 0.773; GABA, MCSO2, MCSO1/MCSO2, 0.773; MCSO2, MCSO1, MCSO2/MeCys, 0.773; Ser, MCSO2, MCSO1/MCSO2, 0.773; Gly, Thr, MCSO2, 0.773; Gln, MCSO2, MCSO1, 0.773; Thr, Hypotaurine, MCSO2, 0.773; Cit, Phe, MCSO2, 0.773; Arg, MCSO2, MCSO2/MeCys, 0.773; aABA, Leu, MCSO2, 0.773; Tyr, MCSO2, SDMA, 0.773; Orn, GABA, MCSO2, 0.773; Orn, MCSO2, MCSO2/MeCys, 0.773; Ser, His, MCSO2, 0.773; Ser, MCSO2, N6-AcLys, 0.773; Asn, Kyn/BCAA, MCSO2, 0.773; Gly, GABA, MCSO2, 0.773; Gly, hArg, Put, 0.773; Ala, Cit, MCSO2, 0.773; Ala, Cystathionine, MCSO2, 0.773; Arg, Tyr, MCSO2, 0.773; Arg, GABA, MCSO2, 0.773; Pro, Kyn/Trp, MCSO2/MeCys, 0.773; Orn, MCSO2, N6-AcLys, 0.773; Lys, Cystathionine, MCSO2/MeCys, 0.773; Leu, MCSO2, N6-AcLys, 0.773; Asn, Pro, MCSO2, 0.773; Arg, Orn, MCSO2, 0.773; Pro, Leu, MCSO2, 0.773; Val, MCSO2, N6-AcLys, 0.773; Orn, Cystathionine, MCSO2, 0.773; 3-MeHis, MCSO2, N6-AcLys, 0.773; ADMA, MCSO2, N6-AcLys, 0.773; MCSO2, MCSO1, MeCys, 0.773; Glu, MCSO2, N6-AcLys, 0.773; Asn, Ala, MCSO2, 0.773; His, Trp, MCSO2, 0.773; Thr, Trp, MCSO2, 0.773; Cit, Val, MCSO2, 0.773; Tyr, 3-MeHis, MCSO2, 0.773; Orn, Trp, MCSO2, 0.773; Orn, 3-MeHis, MCSO2, 0.773; ADMA, MCSO2, MCSO1/MCSO2, 0.773; Gln, Lys, MCSO2/MeCys, 0.772; Thr, GABA, MCSO2, 0.772; Thr, Put, SDMA, 0.772; Ala, MCSO2, MCSO2/MeCys, 0.772; Pro, Ile, MCSO2, 0.772; Pro, ADMA, MCSO2, 0.772; Lys, Ile, MCSO2/MeCys, 0.772; 3-MeHis, Kyn, MCSO2, 0.772; Glu, Orn, MCSO2, 0.772; Ser, Gly, MCSO2, 0.772; Gly, Kyn/BCAA, MCSO2, 0.772; His, MCSO2/MeCys, MeCys, 0.772; Ala, GABA, MCSO2, 0.772; Ala, MCSO2/MeCys, MeCys, 0.772; Lys, Kyn/BCAA, MCSO2/MeCys, 0.772; Ile, MCSO2, N6-AcLys, 0.772; Leu, MCSO1/MCSO2, MCSO2/MeCys, 0.772; hArg, Kyn/Trp, MCSO2/MeCys, 0.772; Gly, Gln, MCSO2, 0.772; His, Arg, MCSO2, 0.772; His, ADMA, MCSO2, 0.772; Thr, Cystathionine, MCSO2, 0.772; Pro, MCSO2, MeCys, 0.772; Tyr, ADMA, MCSO2, 0.772; Orn, Phe, MCSO2, 0.772; GABA, MCSO2, SDMA, 0.772; Gly, Ala, MCSO2, 0.772; Gly, Arg, MCSO2, 0.772; His, Kyn, MCSO2, 0.772; Ala, Tyr, MCSO2, 0.772; Cit, Orn, MCSO2/MeCys, 0.772; Cit, Ile, MCSO2, 0.772; Arg, Ile, MCSO2, 0.772; Pro, 3-MeHis, MCSO2, 0.772; Pro, Cystathionine, MCSO2, 0.772; aABA, 3-MeHis, MCSO2, 0.772; Tyr, Leu, MCSO2, 0.772; Tyr, Kyn/BCAA, MCSO2, 0.772; Val, Orn, MCSO2, 0.772; Trp, Kyn/BCAA, MCSO2, 0.772; Hypotaurine, MCSO2, MCSO1, 0.772; MCSO2, MeCys, N6-AcLys, 0.772; MCSO2/MeCys, MeCys, N6-AcLys, 0.772; Asn, Arg, MCSO2, 0.771; Thr, Ile, MCSO2, 0.771; Arg, Lys, MCSO2/MeCys, 0.771; Pro, MCSO1/MCSO2, MCSO2/MeCys, 0.771; aABA, Kyn/BCAA, MCSO2, 0.771; Lys, MCSO1, MCSO2/MeCys, 0.771; ADMA, Kyn/BCAA, MCSO2, 0.771; His, 3-MeHis, MCSO2, 0.771; Thr, Val, MCSO2, 0.771; Ala, Phe, MCSO2, 0.771; Cit, Pro, MCSO2/MeCys, 0.771; Cit, Cystathionine, MCSO2, 0.771; Orn, Lys, MCSO2/MeCys, 0.771; Orn, MCSO2, MeCys, 0.771; Orn, MCSO1/MCSO2, MCSO2/MeCys, 0.771; Trp, MCSO2, SDMA, 0.771; ADMA, Kyn/Trp, MCSO2, 0.771; Kyn, Kyn/BCAA, MCSO2, 0.771; Glu, Gly, MCSO2, 0.771; Ser, Cit, MCSO2, 0.771; Ser, Lys, MCSO2/MeCys, 0.771; Asn, His, MCSO2, 0.771; Asn, Thr, MCSO2, 0.771; Thr, Arg, MCSO2, 0.771; Ala, Lys, MCSO2/MeCys, 0.771; Ala, Trp, MCSO2, 0.771; Ala, Hypotaurine, MCSO2, 0.771; Arg, Phe, MCSO2, 0.771; Pro, Val, MCSO2, 0.771; aABA, Met, MCSO2, 0.771; Tyr, MCSO2, MCSO2/MeCys, 0.771; Orn, Hypotaurine, MCSO2, 0.771; Cystathionine, MCSO2, MCSO1/MCSO2, 0.771; hArg, Kyn/Trp, Put, 0.771; Glu, Hypotaurine, Spd, 0.771; Glu, MCSO2, MCSO1/MCSO2, 0.771; Ser, Orn, MCSO2, 0.771; Asn, Orn, MCSO2, 0.771; Gly, Val, MCSO2, 0.771; Gly, 3-MeHis, MCSO2, 0.771; Ala, Ile, MCSO2, 0.771; Kyn, MCSO2, SDMA, 0.771; Kyn/Trp, MCSO2/MeCys, N6-AcLys, 0.771; MCSO2, MCSO2/MeCys, N6-AcLys, 0.771; Gly, aABA, MCSO2, 0.77; Gln, Tyr, MCSO2, 0.77; His, Phe, MCSO2, 0.77; Ala, Val, MCSO2, 0.77; Val, MCSO2, MCSO1, 0.77; Lys, MeCys, SDMA, 0.77; Ile, Kyn/BCAA, MCSO2, 0.77; Ile, MCSO2, SDMA, 0.77; Phe, MCSO2, MCSO1/MCSO2, 0.77; Gly, Ile, MCSO2, 0.77; Gly, Cystathionine, MCSO2, 0.77; His, aABA, MCSO2, 0.77; His, GABA, MCSO2, 0.77; Thr, Pro, MCSO2/MeCys, 0.77; Thr, Phe, MCSO2, 0.77; Thr, Kyn/Trp, MCSO2/MeCys, 0.77; Thr, MCSO2, MeCys, 0.77; Ala, MCSO2, MeCys, 0.77; Pro, Hypotaurine, MCSO2, 0.77; Leu, Kyn/BCAA, MCSO2, 0.77; 3-MeHis, GABA, MCSO2, 0.77; MCSO2, MCSO1/MCSO2, MeCys, 0.77; Glu, Thr, MCSO2, 0.77; His, Leu, MCSO2, 0.77; Thr, Cit, Put, 0.77; Ala, 3-MeHis, MCSO2, 0.77; Arg, Cystathionine, MCSO2, 0.77; Arg, Kyn, MCSO2, 0.77; Tyr, GABA, MCSO2, 0.77; Lys, Hypotaurine, MCSO2/MeCys, 0.77; Leu, Hypotaurine, MCSO2, 0.77; Trp, ADMA, MCSO2, 0.77; Trp, GABA, MCSO2, 0.77; GABA, hArg, MCSO2/MeCys, 0.77; GABA, Kyn/Trp, MCSO2, 0.77; Ser, Kyn/BCAA, MCSO2, 0.77; Asn, Kyn/Trp, MCSO2, 0.77; His, MCSO2, MCSO2/MeCys, 0.77; Arg, 3-MeHis, MCS
O2, 0.77; Val, MCSO2, SDMA, 0.77; Met, hArg, MCSO2/MeCys, 0.77; Leu, MCSO2/MeCys, MeCys, 0.77; hArg, Kyn/BCAA, MCSO2/MeCys, 0.77; Glu, Arg, MCSO2, 0.769; Glu, Leu, MCSO2, 0.769; Asn, Gln, MCSO2, 0.769; Gly, Phe, MCSO2, 0.769; His, Lys, MCSO2/MeCys, 0.769; Arg, Val, MCSO2, 0.769; aABA, Tyr, MCSO2, 0.769; aABA, ADMA, MCSO2, 0.769; Tyr, Lys, MCSO2/MeCys, 0.769; Orn, Kyn/Trp, MCSO2/MeCys, 0.769; Lys, Leu, MCSO2/MeCys, 0.769; Phe, MCSO2, N6-AcLys, 0.769; Kyn/BCAA, MCSO2, MCSO2/MeCys, 0.769; Ser, GABA, MCSO2, 0.769; Gly, ADMA, MCSO2, 0.769; His, Hypotaurine, MCSO2, 0.769; Cit, MCSO2/MeCys, N6-AcLys, 0.769; Pro, Phe, MCSO2, 0.769; Tyr, Kyn, MCSO2, 0.769; Tyr, Kyn/Trp, MCSO2, 0.769; Val, Kyn/BCAA, MCSO2, 0.769; Trp, 3-MeHis, MCSO2, 0.769; Kyn/Trp, MCSO2, MCSO1/MCSO2, 0.769; Kyn/Trp, MCSO2, MCSO2/MeCys, 0.769; MCSO2/MeCys, MeCys, SDMA, 0.769; Glu, His, MCSO2, 0.769; Asn, Tyr, MCSO2, 0.769; Asn, Lys, MCSO2/MeCys, 0.769; Gln, MCSO2, MCSO1/MCSO2, 0.769; Thr, aABA, MCSO2, 0.769; aABA, Lys, MCSO2/MeCys, 0.769; Lys, MCSO2/MeCys, N6-AcLys, 0.769; Phe, Kyn/BCAA, MCSO2, 0.769; Phe, MCSO2, SDMA, 0.769; Hypotaurine, MCSO2, MCSO1/MCSO2, 0.769; Kyn, Kyn/Trp, MCSO2, 0.769; Kyn, MeCys, N6-AcLys, 0.769; Glu, Ala, MCSO2, 0.769; Ser, Kyn/Trp, MCSO2, 0.769; Cit, Arg, MCSO2/MeCys, 0.769; Arg, ADMA, MCSO2, 0.769; aABA, MCSO2, SDMA, 0.769; Lys, Trp, MCSO2/MeCys, 0.769; Ile, Kyn/Trp, MCSO2, 0.769; Glu, Pro, MCSO2, 0.768; Gly, Hypotaurine, MCSO2, 0.768; Gly, Kyn, MCSO2, 0.768; His, Ile, MCSO2, 0.768; Cit, Lys, MeCys, 0.768; Arg, hArg, MCSO2/MeCys, 0.768; aABA, Ile, MCSO2, 0.768; Tyr, Phe, MCSO2, 0.768; Tyr, Trp, MCSO2, 0.768; Trp, Kyn/Trp, MCSO2, 0.768; 3-MeHis, ADMA, MCSO2, 0.768; GABA, Kyn/BCAA, MCSO2, 0.768; Glu, Tyr, MCSO2, 0.768; Ser, MCSO2, SDMA, 0.768; His, Val, MCSO2, 0.768; His, Cystathionine, MCSO2, 0.768; Cit, Arg, MeCys, 0.768; aABA, Trp, MCSO2, 0.768; Leu, ADMA, MCSO2, 0.768; Leu, Cystathionine, MCSO2, 0.768; Trp, Kyn, MCSO2, 0.768; Trp, MCSO2/MeCys, MeCys, 0.768; Tyr, Val, MCSO2, 0.768; Tyr, Ile, MCSO2, 0.768; Phe, hArg, MCSO2/MeCys, 0.768; MCSO1/MCSO2, MeCys, N6-AcLys, 0.768; Asn, Leu, MCSO2, 0.768; Gln, Ala, MCSO2, 0.768; His, hArg, MCSO2/MeCys, 0.768; Cit, Arg, Put, 0.768; Cit, MCSO2/MeCys, MeCys, 0.768; Tyr, MCSO2/MeCys, MeCys, 0.768; Met, Lys, MCSO2/MeCys, 0.768; Hypotaurine, Kyn/BCAA, MCSO2, 0.768; Kyn/BCAA, MCSO1/MCSO2, MCSO2/MeCys, 0.768; Kyn/BCAA, MeCys, N6-AcLys, 0.768; MCSO2, MCSO2/MeCys, SDMA, 0.768; Gln, Trp, MCSO2, 0.767; Gln, Kyn/BCAA, MCSO2, 0.767; His, MCSO2, MeCys, 0.767; His, MeCys, SDMA, 0.767; Arg, Hypotaurine, MCSO2, 0.767; Tyr, Cystathionine, MCSO2, 0.767; Val, MCSO1/MCSO2, MCSO2/MeCys, 0.767; Trp, MCSO2, MCSO2/MeCys, 0.767; 3-MeHis, Cystathionine, MCSO2, 0.767; MCSO1/MCSO2, MCSO2/MeCys, N6-AcLys, 0.767; Arg, Put, SDMA, 0.767; Leu, hArg, MCSO2/MeCys, 0.767; GABA, Hypotaurine, MCSO2, 0.767; hArg, Kyn, MCSO2/MeCys, 0.767; Hypotaurine, MCSO2, SDMA, 0.767; Kyn, MCSO2, MCSO1/MCSO2, 0.767; MCSO1, MCSO1/MCSO2, MCSO2/MeCys, 0.767; Glu, Kyn/BCAA, MCSO2, 0.767; Asn, Trp, MCSO2, 0.767; Arg, MCSO2, MeCys, 0.767; Val, hArg, MCSO2/MeCys, 0.767; Lys, Kyn, MeCys, 0.767; ADMA, GABA, MCSO2, 0.767; Kyn/Trp, MCSO2, SDMA, 0.767; Kyn/BCAA, MCSO2/MeCys, MeCys, 0.767; Asn, GABA, MCSO2, 0.767; Thr, Kyn/BCAA, MCSO2/MeCys, 0.767; aABA, GABA, MCSO2, 0.767; aABA, Kyn/Trp, MCSO2, 0.767; Val, ADMA, MCSO2, 0.767; Kyn/BCAA, MCSO2, SDMA, 0.767; MCSO2, MCSO1, MCSO1/MCSO2, 0.767; Glu, ADMA, MCSO2, 0.766; Thr, MCSO2/MeCys, SDMA, 0.766; Pro, MeCys, SDMA, 0.766; Val, MCSO2/MeCys, MeCys, 0.766; Leu, MCSO2, MeCys, 0.766; Phe, Kyn/Trp, MCSO2, 0.766; Trp, Cystathionine, MCSO2, 0.766; Trp, Hypotaurine, MCSO2, 0.766; 3-MeHis, MCSO2, MeCys, 0.766; GABA, MCSO1/MCSO2, MCSO2/MeCys, 0.766; Kyn/Trp, Kyn/BCAA, MCSO2, 0.766; Asn, aABA, MCSO2, 0.766; Gly, Tyr, MCSO2, 0.766; Gln, aABA, MCSO2, 0.766; Gln, hArg, MCSO2/MeCys, 0.766; Gln, MCSO2, SDMA, 0.766; His, Lys, MeCys, 0.766; Thr, GABA, MCSO2/MeCys, 0.766; aABA, Phe, MCSO2, 0.766; aABA, MCSO2, MCSO2/MeCys, 0.766; Tyr, Hypotaurine, MCSO2, 0.766; Met, MCSO1/MCSO2, MeCys, 0.766; Lys, ADMA, MCSO2/MeCys, 0.766; Lys, Kyn/Trp, MeCys, 0.766; Ile, MCSO2/MeCys, MeCys, 0.766; Leu, Phe, MCSO2, 0.766; Leu, GABA, MCSO2, 0.766; Trp, hArg, MCSO2/MeCys, 0.766; 3-MeHis, Hypotaurine, MCSO2, 0.766; 3-MeHis, MCSO2, MCSO2/MeCys, 0.766; ADMA, hArg, MCSO2/MeCys, 0.766; Cystathionine, hArg, MCSO2/MeCys, 0.766; hArg, Hypotaurine, Put, 0.766; hArg, MCSO1, Put, 0.766; Kyn/Trp, MCSO2/MeCys, MeCys, 0.766; Glu, Trp, MCSO2, 0.766; Glu, Kyn/Trp, MCSO2, 0.766; Ser, Ile, MCSO2, 0.766; Ser, Trp, MCSO2, 0.766; Ser, ADMA, MCSO2, 0.766; Gln, Lys, MeCys, 0.766; Gln, Leu, MCSO2, 0.766; Gln, Kyn/Trp, MCSO2, 0.766; aABA, Cystathionine, MCSO2, 0.766; Val, Kyn/Trp, MCSO2, 0.766; Ile, Kyn, MCSO2, 0.766; Leu, Trp, MCSO2, 0.766; 3-MeHis, MCSO2/MeCys, MeCys, 0.766; ADMA, MCSO2/MeCys, MeCys, 0.766; GABA, MCSO2, MCSO2/MeCys, 0.766; Ser, 3-MeHis, MCSO2, 0.766; Cystathionine, MCSO2, SDMA, 0.766; hArg, MCSO1, MCSO2/MeCys, 0.766; Kyn/BCAA, MCSO1/MCSO2, Put, 0.766; Ser, Gln, MCSO2, 0.765; Thr, MCSO1/MCSO2, MeCys, 0.765; aABA, Kyn, MCSO2, 0.765; Met, Put, SDMA, 0.765; Leu, MCSO2, MCSO2/MeCys, 0.765; Phe, GABA, MCSO2, 0.765; ADMA, MCSO2, MCSO2/MeCys, 0.765; Cystathionine, Kyn/BCAA, MCSO2, 0.765; GABA, Kyn, MCSO2, 0.765; Hypotaurine, Kyn/Trp, MCSO2, 0.765; MCSO2, MeCys, SDMA, 0.765; Asn, MCSO2, MCSO2/MeCys, 0.765; Arg, aABA, MCSO2, 0.765; Pro, Put, SDMA, 0.765; Tyr, MCSO2, MeCys, 0.765; Val, Kyn, MCSO2, 0.765; Met, MCSO2/MeCys, SDMA, 0.765; ADMA, Cystathionine, MCSO2, 0.765; ADMA, Hypotaurine, MCSO2, 0.765; GABA, MCSO2/MeCys, MeCys, 0.765; Ser, hArg, MCSO2/MeCys, 0.765; Gly, MCSO2, MeCys, 0.765; Gln, 3-MeHis, MCSO2, 0.765; Gln, ADMA, MCSO2, 0.765; Val, Trp, MCSO2, 0.765; Val, 3-MeHis, MCSO2, 0.765; Val, GABA, MCSO2, 0.765; Cystathionine, GABA, MCSO2, 0.765; Glu, GABA, MCSO2, 0.765; Glu, MCSO2, SDMA, 0.765; Ser, MCSO2, MeCys, 0.765; Asn, 3-MeHis, MCSO2, 0.765; Asn, ADMA, MCSO2, 0.765; Leu, 3-MeHis, MCSO2, 0.765; Gln, GABA, MCSO2, 0.764; aABA, MCSO2, MeCys, 0.764; Tyr, MCSO1/MCSO2, MCSO2/MeCys, 0.764; Lys, MeCys, N6-AcLys, 0.764; Ile, Trp, MCSO2, 0.764; Ile, 3-MeHis, MCSO2, 0.764; Phe, Trp, MCSO2, 0.764; Kyn/Trp, MCSO2, MeCys, 0.764; Ala, Put, SDMA, 0.764; Cit, hArg, Put, 0.764; aABA, Hypotaurine, MCSO2, 0.764; Ile, MCSO1/MCSO2, MCSO2/MeCys, 0.764; ADMA, Kyn, MCSO2, 0.764; Kyn/BCAA, MCSO2, MeCys, 0.764; Ser, Val, MCSO2, 0.764; Asn, hArg, MCSO2/MeCys, 0.764; His, MCSO1, MCSO1/MCSO2, 0.764; His, MCSO1/MCSO2, MeCys, 0.764; Arg, MCSO1/MCSO2, MCSO2/MeCys, 0.764; Phe, 3-MeHis, MCSO2, 0.764; Phe, ADMA, MCSO2, 0.764; Trp, MCSO2, MeCys, 0.764; 3-MeHis, hArg, MCSO2/MeCys, 0.764; ADMA, Put, SDMA, 0.764; Cystathionine, Kyn/Trp, MCSO2, 0.764; Glu, aABA, MCSO2, 0.764; Ser, Phe, MCSO2, 0.764; Met, Kyn/Trp, MCSO2/MeCys, 0.764; Ile, Cystathionine, MCSO2, 0.764; Ile, hArg, MCSO2/MeCys, 0.764; Ile, Hypotaurine, MCSO2, 0.764; Phe, Cystathionine, MCSO2, 0.764; Phe, MCSO2, MCSO2/MeCys, 0.764; Trp, MCSO1/MCSO2, MCSO2/MeCys, 0.764; Asn, MCSO2/MeCys, MeCys, 0.763; His, Cit, MCSO2/MeCys, 0.763; Thr, Orn, MCSO2/MeCys, 0.763; Phe, Hypotaurine, MCSO2, 0.763; ADMA, MCSO2, MeCys, 0.763; GABA, MCSO2, MeCys, 0.763; Ser, Kyn, MCSO2, 0.763; Asn, Hypotaurine, MCSO2, 0.763; Gly, MCSO1/MCSO2, MCSO2/MeCys, 0.763; Gly, MCSO2/MeCys, MeCys, 0.763; His, hArg, Put, 0.763; Ala, MCSO1/MCSO2, MeCys, 0.763; Val, Hypotaurine, MCSO2, 0.763; Met, Kyn, MCSO2/MeCys, 0.763; Lys, MCSO1, MeCys, 0.763; Ile, Phe, MCSO2, 0.763; Ile, ADMA, MCSO2, 0.763; hArg, MCSO2/MeCys, N6-AcLys, 0.763; MCSO1/MCSO2, Put, SDMA, 0.763; Glu, Ser, MCSO2, 0.763; Gln, Phe, MCSO2, 0.763; Pro, MCSO1/MCSO2, MeCys, 0.763; aABA, Val, MCSO2, 0.763; aABA, MCSO2/MeCys, MeCys, 0.763; Ile, MCSO2, MeCys, 0.763; Phe, MCSO2, MeCys, 0.763; Hypotaurine, MCSO2, MCSO2/MeCys, 0.763; Ser, Hypotaurine, MCSO2, 0.763; aABA, hArg, MCSO2/MeCys, 0.763; Orn, Kyn/BCAA, MCSO2/MeCys, 0.763; Cystathionine, MCSO2, MCSO2/MeCys, 0.763; Cystathionine, MCSO2, MeCys, 0.763; Kyn, MCSO2, MCSO2/MeCys, 0.763; Glu, Phe, MCSO2, 0.762; Ser, MCSO2, MCSO2/MeCys, 0.762; Ser, MCSO2/MeCys, MeCys, 0.762; Asn, MCSO1/MCSO2, MCSO2/MeCys, 0.762; Thr, Lys, MeCys, 0.762; Val, Ile, MCSO2, 0.762; Kyn/Trp, MCSO1/MCSO2, MCSO2/MeCys, 0.762; Ser, Cystathionine, MCSO2, 0.762; Gln, Hypotaurine, MCSO2, 0.762; Cit, Met, MCSO2/MeCys, 0.762; Cit, Met, MeCys, 0.762; aABA, Lys, MeCys, 0.762; Asn, Gly, MCSO2, 0.762; Asn, MCSO2, MeCys, 0.762; Gln, Kyn, MCSO2, 0.762; Gln, MCSO2, MeCys, 0.762; Thr, Phe, MCSO2/MeCys, 0.762; Met, GABA, MCSO2/MeCys, 0.762; Phe, Kyn, MCSO2, 0.762; Cystathionine, Hypotaurine, MCSO2, 0.762; Cystathionine, Kyn, MCSO2, 0.762; hArg, Kyn, Put, 0.762; MCSO1, MeCys, N6-AcLys, 0.762; Glu, 3-MeHis, MCSO2, 0.762; Gly, Thr, MCSO2/MeCys, 0.762; His, Pro, MCSO2/MeCys, 0.762; Thr, MCSO2/MeCys, N6-AcLys, 0.762; Val, Cystathionine, MCSO2, 0.762; Lys, Cystathionine, MeCys, 0.762; Ile, MCSO2, MCSO2/MeCys, 0.762; Kyn, MCSO2/MeCys, MeCys, 0.762; Kyn/Trp, MCSO1/MCSO2, Put, 0.762; Glu, MCSO2, MCSO2/MeCys, 0.761; Ser, Thr, MeCys, 0.761; Asn, Cystathionine, MCSO2, 0.761; Gly, Lys, MeCys, 0.761; Ala, Lys, MeCys, 0.761; Ile, GABA, MCSO2, 0.761; Glu, Kyn, MCSO2, 0.761; Asn, Ile, MCSO2, 0.761; Asn, Kyn, MCSO2, 0.761; Thr, Kyn, MCSO2/MeCys, 0.761; Cit, Orn, MeCys, 0.761; Leu, MCSO1/MCSO2, MeCys, 0.761; Gln, Ile, MCSO2, 0.761; Gln, MCSO2, MCSO2/MeCys, 0.761; Gln, MCSO2/MeCys, MeCys, 0.761; Val, Lys, MeCys, 0.761; Lys, Phe, MeCys, 0.761; Kyn, MCSO2, MeCys, 0.761; Glu, Gln, MCSO2, 0.761; Thr, Cit, MeCys, 0.761; Cit, MCSO1/MCSO2, MCSO2/MeCys, 0.761; Pro, Kyn, MCSO2/MeCys, 0.761; Pro, Kyn/BCAA, MCSO2/MeCys, 0.761; Val, Phe, MCSO2, 0.761; Val, MCSO2, MeCys, 0.761; Met, MeCys, N6-AcLys, 0.761; Phe, MCSO2/MeCys, MeCys, 0.761; Glu, Hypotaurine, MCSO2, 0.761; Gln, Val, MCSO2, 0.761; Gln, Cystathionine, MCSO2, 0.761; Tyr, hArg, MCSO2/MeCys, 0.761; hArg, MCSO1/MCSO2, Put, 0.761; MCSO1/MCSO2, MCSO2/MeCys, SDMA, 0.761; Glu, Cystathionine, MCSO2, 0.76; Val, MCSO2, MCSO2/MeCys, 0.76; Met, MeCys, SDMA, 0.76; Orn, Put, SDMA, 0.76; Glu, Asn, MCSO2, 0.76; Glu, MCSO2, MeCys, 0.76; Asn, Lys, MeCys, 0.76; His, MCSO1/MCSO2, MCSO2/MeCys, 0.76; Met, Lys, MeCys, 0.76; Met, Kyn/BCAA, MCSO2/MeCys, 0.76; Orn, Lys, MeCys, 0.76; Lys, GABA, MeCys, 0.76; Glu, MCSO2/MeCys, MeCys, 0.76; Th
r, Cystathionine, MCSO2/MeCys, 0.76; Lys, ADMA, MeCys, 0.76; Thr, MCSO1, MCSO2/MeCys, 0.76; Lys, Hypotaurine, MeCys, 0.76; Lys, Kyn/BCAA, MeCys, 0.76; Leu, Put, SDMA, 0.76; Cystathionine, MCSO2/MeCys, MeCys, 0.76; Hypotaurine, MCSO1/MCSO2, MCSO2/MeCys, 0.76; Glu, Val, MCSO2, 0.759; Glu, Ile, MCSO2, 0.759; Ser, MCSO1/MCSO2, MeCys, 0.759; Cit, MCSO1/MCSO2, MeCys, 0.759; Val, MCSO1/MCSO2, MeCys, 0.759; Hypotaurine, Kyn, MCSO2, 0.759; Asn, Phe, MCSO2, 0.759; Thr, Leu, MCSO2/MeCys, 0.759; Pro, Lys, MeCys, 0.759; Pro, GABA, MCSO2/MeCys, 0.759; Orn, MCSO2/MeCys, SDMA, 0.759; Lys, 3-MeHis, MeCys, 0.759; Arg, Lys, MeCys, 0.759; Arg, MeCys, SDMA, 0.759; Hypotaurine, MCSO2/MeCys, MeCys, 0.759; Asn, Val, MCSO2, 0.759; Gly, Put, SDMA, 0.759; Gln, MCSO1/MCSO2, MCSO2/MeCys, 0.759; His, Thr, MCSO2/MeCys, 0.759; His, Cit, MeCys, 0.759; Met, Cystathionine, MCSO2/MeCys, 0.759; Lys, Leu, MeCys, 0.759; Glu, Lys, MeCys, 0.758; Ser, Met, MeCys, 0.758; Asn, MCSO1/MCSO2, MeCys, 0.758; Met, Phe, MCSO2/MeCys, 0.758; Lys, Ile, MeCys, 0.758; Hypotaurine, MCSO2, MeCys, 0.758; Ala, Kyn/Trp, MCSO2/MeCys, 0.758; aABA, MCSO1/MCSO2, MCSO2/MeCys, 0.758; Lys, Trp, MeCys, 0.758; Ile, MCSO1/MCSO2, MeCys, 0.758; Hypotaurine, MCSO1/MCSO2, MeCys, 0.758; Thr, Trp, MCSO2/MeCys, 0.758; Pro, Cystathionine, MCSO2/MeCys, 0.758; Gly, MCSO1/MCSO2, MeCys, 0.758; Arg, Pro, MCSO2/MeCys, 0.758; aABA, MeCys, N6-AcLys, 0.758; Cystathionine, hArg, Put, 0.758; Asn, Put, SDMA, 0.757; Cit, Lys, Put, 0.757; Glu, Thr, MCSO2/MeCys, 0.757; Ser, MCSO1/MCSO2, MCSO2/MeCys, 0.757; His, MeCys, N6-AcLys, 0.757; Pro, Met, MCSO2/MeCys, 0.757; aABA, MCSO1/MCSO2, Put, 0.757; Met, MCSO1, MeCys, 0.757; Ser, His, MeCys, 0.757; Thr, Ala, MCSO2/MeCys, 0.757; Tyr, Lys, MeCys, 0.757; Orn, MCSO1/MCSO2, MeCys, 0.757; Cystathionine, MCSO1/MCSO2, MCSO2/MeCys, 0.757; MCSO1/MCSO2, MeCys, SDMA, 0.757; His, Ala, MeCys, 0.757; Arg, MCSO1/MCSO2, MeCys, 0.757; Pro, Kyn/Trp, MeCys, 0.757; Tyr, MCSO1/MCSO2, MeCys, 0.757; Phe, MCSO1/MCSO2, MCSO2/MeCys, 0.757; ADMA, MCSO1/MCSO2, MCSO2/MeCys, 0.757; Kyn, MCSO1/MCSO2, MCSO2/MeCys, 0.757; Glu, MCSO1/MCSO2, MCSO2/MeCys, 0.756; Gln, His, MeCys, 0.756; Cit, Met, Put, 0.756; 3-MeHis, MCSO1/MCSO2, MeCys, 0.756; 3-MeHis, Put, SDMA, 0.756; Asn, Thr, MCSO2/MeCys, 0.756; Gly, Pro, MCSO2/MeCys, 0.756; Gln, Thr, MCSO2/MeCys, 0.756; Thr, Hypotaurine, MCSO2/MeCys, 0.756; Lys, Kyn, Put, 0.756; Phe, MCSO1/MCSO2, MeCys, 0.756; ADMA, MCSO1/MCSO2, MeCys, 0.756; hArg, Kyn/BCAA, Put, 0.756; His, GABA, MCSO2/MeCys, 0.756; Thr, aABA, MCSO2/MeCys, 0.756; Met, Orn, MCSO2/MeCys, 0.756; Orn, hArg, Put, 0.756; Trp, MCSO1/MCSO2, MeCys, 0.756; Thr, Tyr, MCSO2/MeCys, 0.756; Thr, ADMA, MCSO2/MeCys, 0.756; Tyr, MeCys, N6-AcLys, 0.756; Cystathionine, MCSO1/MCSO2, MeCys, 0.756; Cystathionine, MeCys, N6-AcLys, 0.756; GABA, MCSO1/MCSO2, MeCys, 0.756; Gln, MCSO1/MCSO2, MeCys, 0.755; Thr, Ile, MCSO2/MeCys, 0.755; Ala, Orn, MCSO2/MeCys, 0.755; Arg, Kyn/Trp, MCSO2/MeCys, 0.755; Pro, Orn, MCSO2/MeCys, 0.755; Gly, MCSO1, MeCys, 0.755; His, MCSO1/MCSO2, Put, 0.755; Thr, Kyn, Put, 0.755; ADMA, Kyn/Trp, MCSO2/MeCys, 0.755; Asn, Cit, MCSO2/MeCys, 0.755; His, Kyn/Trp, MeCys, 0.755; GABA, Kyn/Trp, MCSO2/MeCys, 0.755; Kyn/BCAA, MCSO1/MCSO2, MeCys, 0.755; ADMA, Kyn/BCAA, MCSO2/MeCys, 0.755; Glu, MCSO1/MCSO2, MeCys, 0.754; Asn, hArg, Put, 0.754; Thr, Met, MCSO2/MeCys, 0.754; Thr, 3-MeHis, MCSO2/MeCys, 0.754; Thr, MeCys, N6-AcLys, 0.754; Ala, MCSO1/MCSO2, Put, 0.754; Arg, Kyn/BCAA, MCSO2/MeCys, 0.754; Lys, Kyn/Trp, Put, 0.754; Asn, MCSO2/MeCys, SDMA, 0.754; His, MCSO2/MeCys, SDMA, 0.754; Cit, MCSO1, MeCys, 0.754; aABA, hArg, Put, 0.754; Leu, MeCys, N6-AcLys, 0.754; Leu, MeCys, SDMA, 0.754; 3-MeHis, hArg, Put, 0.754; ADMA, Kyn/Trp, Put, 0.754; Asn, Pro, MCSO2/MeCys, 0.754; Gln, Arg, MeCys, 0.754; Trp, MeCys, N6-AcLys, 0.754; 3-MeHis, MCSO1/MCSO2, MCSO2/MeCys, 0.754; His, Orn, MCSO2/MeCys, 0.754; Ala, MeCys, N6-AcLys, 0.754; aABA, Put, SDMA, 0.754; Lys, hArg, Put, 0.754; Kyn/Trp, N6-AcLys, Put, 0.754; His, MCSO1, MeCys, 0.753; Thr, Kyn/Trp, Put, 0.753; Arg, GABA, MCSO2/MeCys, 0.753; Orn, GABA, MCSO2/MeCys, 0.753; MCSO1, MCSO1/MCSO2, MeCys, 0.753; Thr, MCSO1, MCSO1/MCSO2, 0.753; Thr, MCSO1/MCSO2, Put, 0.753; Ala, hArg, Put, 0.753; Pro, hArg, Put, 0.753; Leu, MCSO2/MeCys, SDMA, 0.753; ADMA, MCSO2/MeCys, SDMA, 0.753; His, Pro, MeCys, 0.753; His, Kyn/Trp, MCSO2/MeCys, 0.753; Cit, MCSO1/MCSO2, Put, 0.753; Arg, MCSO2/MeCys, SDMA, 0.753; Pro, aABA, MCSO2/MeCys, 0.753; His, Kyn/Trp, Put, 0.753; His, Kyn/BCAA, MCSO2/MeCys, 0.753; Thr, Arg, MCSO2/MeCys, 0.753; Thr, Val, MCSO2/MeCys, 0.753; Ala, Kyn/BCAA, MCSO2/MeCys, 0.753; Ala, MCSO1, MeCys, 0.753; Pro, Hypotaurine, MCSO2/MeCys, 0.753; Arg, hArg, Put, 0.752; Pro, Leu, MCSO2/MeCys, 0.752; GABA, hArg, Put, 0.752; MCSO1, Put, SDMA, 0.752; Ser, MeCys, N6-AcLys, 0.752; His, aABA, MeCys, 0.752; His, Kyn, MCSO2/MeCys, 0.752; Ala, MCSO2/MeCys, SDMA, 0.752; Lys, 3-MeHis, Put, 0.752; Phe, hArg, Put, 0.752; 3-MeHis, MeCys, N6-AcLys, 0.752; Gln, Met, MeCys, 0.752; Orn, MCSO1, MCSO1/MCSO2, 0.752; ADMA, MeCys, SDMA, 0.752; Hypotaurine, Put, SDMA, 0.752; Asn, Kyn/Trp, MCSO2/MeCys, 0.752; His, Ala, MCSO2/MeCys, 0.752; Thr, MCSO1, MeCys, 0.752; Arg, Kyn/Trp, Put, 0.752; Arg, MeCys, N6-AcLys, 0.752; GABA, MCSO1, MCSO1/MCSO2, 0.752; Kyn, MCSO1/MCSO2, Put, 0.752; Pro, Trp, MCSO2/MeCys, 0.751; Orn, Trp, MCSO2/MeCys, 0.751; Gly, Kyn/BCAA, MCSO2/MeCys, 0.751; Gly, MeCys, SDMA, 0.751; His, Met, MeCys, 0.751; Thr, MeCys, SDMA, 0.751; Cit, Orn, Put, 0.751; Orn, Kyn, MCSO2/MeCys, 0.751; Glu, Pro, MCSO2/MeCys, 0.751; Ser, Arg, MeCys, 0.751; Gln, hArg, Put, 0.751; His, Kyn, MeCys, 0.751; Cit, ADMA, MeCys, 0.751; Pro, MCSO2/MeCys, N6-AcLys, 0.751; aABA, MCSO1/MCSO2, MeCys, 0.751; Met, Kyn/BCAA, MeCys, 0.751; Met, MCSO1, MCSO2/MeCys, 0.751; Orn, MCSO1, MeCys, 0.751; Gly, Kyn/Trp, MCSO2/MeCys, 0.751; His, Kyn/BCAA, MeCys, 0.751; Ala, MeCys, SDMA, 0.751; Pro, MCSO1, MCSO2/MeCys, 0.751; Met, Kyn, MeCys, 0.751; Orn, Kyn/Trp, MeCys, 0.751; Cit, Pro, MeCys, 0.75; Tyr, MeCys, SDMA, 0.75; Met, hArg, Put, 0.75; Met, Kyn/Trp, Put, 0.75; Leu, MCSO1, MeCys, 0.75; His, Arg, MeCys, 0.75; Ala, Kyn, MCSO2/MeCys, 0.75; Met, Orn, MeCys, 0.75; Leu, Kyn, MCSO2/MeCys, 0.75; Gln, Thr, MeCys, 0.75; Pro, Phe, MCSO2/MeCys, 0.75; Ile, Leu, MeCys, 0.75; Leu, Kyn/Trp, MCSO2/MeCys, 0.75; Kyn/BCAA, MCSO2/MeCys, N6-AcLys, 0.75; Glu, MeCys, N6-AcLys, 0.75; His, Kyn, Put, 0.75; Pro, ADMA, MCSO2/MeCys, 0.75; Val, hArg, Put, 0.75; Leu, hArg, Put, 0.75; hArg, N6-AcLys, Put, 0.75; Pro, Val, MCSO2/MeCys, 0.75; Tyr, hArg, Put, 0.75; Trp, MeCys, SDMA, 0.75; 3-MeHis, MCSO2/MeCys, SDMA, 0.75
【図１】
2020067386.tif 000003
【図２】
2020067386.tif 000004
【図３】
2020067386.tif 000005
【図４】
2020067386.tif 000006
【図５】
2020067386.tif 000007
【図６】
2020067386.tif 000008
【図７】
2020067386.tif 000009
【図８】
2020067386.tif 000010
【図９】
2020067386.tif 000011
【図１０】
2020067386.tif 000012
【図１１】
2020067386.tif 000013
【図１２】
2020067386.tif 000014
【図１３】
2020067386.tif 000015
【図１４】
2020067386.tif 000016
【図１５】
2020067386.tif 000017
【図１６】
2020067386.tif 000018
【図１７】
2020067386.tif 000019
【図１８】
2020067386.tif 000020
【図１９】
2020067386.tif 000021
【図２０】
2020067386.tif 000022
【図２１】
2020067386.tif 000023
【図２２】
2020067386.tif 000024
【図２３】
2020067386.tif 000025
【図２４】
2020067386.tif 000026
【図２５】
2020067386.tif 000027
【図２６】
2020067386.tif 000028
【図２７】
2020067386.tif 000029
【図２８】
2020067386.tif 000030
【図２９】
2020067386.tif 000031
【図３０】
2020067386.tif 000032
【図３１】
2020067386.tif 000033
【図３２】
2020067386.tif 000034
【図３３】
2020067386.tif 000035
【図３４】
2020067386.tif 000036
【図３５】
2020067386.tif 000037
【図３６】
2020067386.tif 000038
【図３７】
2020067386.tif 000039
【国際調査報告】
2020067386.tif 000040
2020067386.tif 000041
2020067386.tif 000042
2020067386.tif 000043
2020067386.tif 000044
2020067386.tif 000045
2020067386.tif 000046
2020067386.tif 000047